(57)【要約】      （修正有）【課題】アンライセンスバンドをサポートする無線アクセスシステムにおいて、アンライセンスバンドで定義される部分サブフレームを構成する方法及びこれをサポートする装置を提供する。【解決手段】方法は、端末が基地局からライセンスバンドに構成されるプライマリセル（Ｐセル）を介して制御情報を受信する段階と、端末が基地局からの制御情報に基づいてアンライセンスバンドに構成されるアンライセンスバンドセル（Ｕセル）を介して下りリンクデータを受信する段階と、を有する。端末にクロスキャリアスケジューリングが構成された場合、端末は、下りリンクデータを受信するサブフレームとして最初の一部のシンボルが空のままで送信される部分サブフレーム（ｐＳＦ）を期待しないように構成され、ｐＳＦは一つのサブフレームより小さい大きさに構成される。【選択図】図２５
2018201236.tif 000002
【特許請求の範囲】
【請求項１】
アンライセンスバンドをサポートする無線アクセスシステムにおいてアンライセンスバンドに構成されるセル（Ｕセル）を介してデータを受信する方法であって、
端末が、基地局からライセンスバンドに構成されるプライマリセル（Ｐセル）を介して制御情報を受信する段階と、
前記端末が、前記基地局からの前記制御情報に基づいて前記アンライセンスバンドに構成されるアンライセンスバンドセル（Ｕセル）を介して下りリンクデータを受信する段階と、を有し、
前記端末にクロスキャリアスケジューリングが構成された場合、前記端末は、前記下りリンクデータを受信するサブフレームとして最初の一部のシンボルが空のままで送信される部分サブフレーム（ｐＳＦ）を期待しないように構成され、
前記ｐＳＦは一つのサブフレームより小さい大きさに構成される、データ受信方法。
【請求項２】
前記下りリンクデータは所定個数のサブフレームで構成された下りリンクバーストを介して送信される、請求項１に記載のデータ受信方法。
【請求項３】
前記下りリンクバーストが前記ｐＳＦを有する場合、前記下りリンクデータは前記下りリンクバーストに有された完全なサブフレーム及び最後の一部のシンボルが空のままで送信される部分サブフレームを介して送信される、請求項２に記載のデータ受信方法。
【請求項４】
前記制御情報はプレスケジューリング方式で送信され、
前記プレスケジューリング方式は、前記下りリンクデータの伝送より先に前記制御情報を送信する方式である、請求項２に記載のデータ受信方法。
【請求項５】
前記下りリンクデータが送信される開始点は前記ｐＳＦの開始位置又は長さによって決定される、請求項１に記載のデータ受信方法。
【請求項６】
前記端末は、上位層信号によって前記下りリンクデータの開始シンボルが設定された場合にも、前記ｐＳＦが構成された場合、前記上位層信号によって設定された開始シンボルの位置を有効でないものと見なす、請求項５に記載のデータ受信方法。
【請求項７】
アンライセンスバンドをサポートする無線アクセスシステムにおいてアンライセンスバンドに構成されるセル（Ｕセル）を介してデータを受信する端末であって、
受信器と、
前記受信器と機能的に接続され、前記Ｕセルを介したデータ受信をサポートするプロセッサと、を有し、
前記プロセッサは、前記受信器を制御することにより、
基地局からライセンスバンドに構成されるプライマリセル（Ｐセル）を介して制御情報を受信し、
前記制御情報に基づいて前記アンライセンスバンドに構成されるアンライセンスバンドセル（Ｕセル）を介して下りリンクデータを受信するように構成され、
前記端末にクロスキャリアスケジューリングが構成された場合、前記プロセッサは、前記下りリンクデータを受信するサブフレームとして最初の一部のシンボルが空のままで送信される部分サブフレーム（ｐＳＦ）を期待しないように構成され、
前記ｐＳＦは一つのサブフレームより小さい大きさに構成される、端末。
【請求項８】
前記下りリンクデータは所定個数のサブフレームで構成された下りリンクバーストを介して送信される、請求項７に記載の端末。
【請求項９】
前記下りリンクバーストが前記ｐＳＦを有する場合、前記下りリンクデータは前記下りリンクバーストに有された完全なサブフレーム及び最後の一部のシンボルが空のままで送信される部分サブフレームを介して送信される、請求項８に記載の端末。
【請求項１０】
前記制御情報はプレスケジューリング方式で送信され、
前記プレスケジューリング方式は、前記下りリンクデータの伝送より先に前記制御情報を送信する方式である、請求項８に記載の端末。
【請求項１１】
前記下りリンクデータが送信される開始点は前記ｐＳＦの開始位置又は長さによって決定される、請求項７に記載の端末。
【請求項１２】
前記プロセッサは、上位層信号によって前記下りリンクデータの開始シンボルが設定された場合にも、前記ｐＳＦが構成された場合、前記上位層信号によって設定された開始シンボルの位置を有効でないものと見なす、請求項１１に記載の端末。
【発明の詳細な説明】
【技術分野】
【０００１】
本発明は、アンライセンスバンド（非兔許帯域、免許不要の帯域）（unlicensed band）をサポート（支援）する（supporting）無線アクセス（接続）システム（wireless access system）に関し、部分サブフレーム（partial Subframe）を構成してスケジューリングする方法及びこれをサポートする装置に関する。
【背景技術】
【０００２】
無線アクセスシステムが音声やデータなどの種々の通信サービスを提供するために広範囲に展開されている。一般に、無線アクセスシステムは、使用可能なシステムリソース（帯域幅、送信電力など）を共有して複数のユーザ（多重ユーザ）（multiple users）との通信をサポートできる多元接続（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【発明の概要】
【発明が解決しようとする課題】
【０００３】
本発明の目的は、アンライセンスバンドをサポートする無線アクセスシステムにおいてアンライセンスバンドで定義される部分サブフレーム（partial SubFrame；ｐＳＦ）を構成する方法を提供することである。
【０００４】
本発明の他の目的は、ｐＳＦが構成される場合、これに対する多様なスケジューリング方法を提供することである。例えば、クロスキャリアスケジューリング、セルフキャリアスケジューリング及びハイブリッドスケジューリング方法を提供する。
【０００５】
本発明のさらに他の目的は、ｐＳＦ運用のための基地局及び端末の動作方法を提供することである。
【０００６】
本発明のさらに他の目的は、クロスキャリアスケジューリングを適用するとき、スケジューリング方式を制限する方法を提供することである。
【０００７】
本発明のさらに他の目的は、アンライセンスバンドセル（Ｕセル）（Unlicensed Cell）でＥＰＤＣＣＨを用いたセルフスケジューリングの際、ＥＲＥＧをインデックスする方法を提供することである。
【０００８】
本発明のさらに他の目的は、セルフキャリアスケジューリングを適用する場合、ＵセルにＥＰＤＣＣＨを構成して送信する方法及びこれをデコードする方法を提供することである。
【０００９】
本発明のさらに他の目的は、ｐＳＦに割り当てられるＤＭ−ＲＳパターンを提供することである。
【００１０】
本発明のさらに他の目的は、このような方法をサポートする装置を提供することである。
【００１１】
本発明で達成しようとする技術的目的は以上で言及した事項に制限されなく、言及しなかったさらに他の技術的課題は、以下で説明する本発明の実施形態から本発明が属する技術分野で通常の知識を有する者によって考慮されることができる。
【課題を解決するための手段】
【００１２】
本発明はアンライセンスバンドをサポートする無線アクセスシステムに関するもので、部分サブフレーム（ｐＳＦ）を構成してスケジューリングする方法及びこれをサポートする装置に関するものである。
【００１３】
本発明の一態様として、アンライセンスバンドをサポートする無線アクセスシステムにおいてアンライセンスバンドに構成されるセル（Ｕセル）を介してデータを受信する方法は、端末が基地局からライセンスバンド（兔許帯域）（licensed band）に構成されるプライマリセル（Ｐセル）を介して制御情報を受信する段階と、端末が基地局からの制御情報に基づいてアンライセンスバンドに構成されるアンライセンスバンドセル（Ｕセル）を介して下りリンクデータを受信する段階と、を有することができる。この際、端末にクロスキャリアスケジューリングが構成された場合、端末は、下りリンクデータを受信するサブフレームとして最初の一部のシンボルが空の（空いた）ままで送信される部分サブフレーム（ｐＳＦ）を期待しないように構成され、ｐＳＦは一つのサブフレームより小さい大きさに構成されることができる。
【００１４】
この際、下りリンクデータは所定個数のサブフレームで構成された下りリンクバーストを介して送信されることができる。
【００１５】
下りリンクバーストがｐＳＦを有する場合、下りリンクデータは下りリンクバーストに有された完全なサブフレーム及び最後の一部のシンボルが空のままで送信される部分サブフレームを介して送信されることができる。
【００１６】
制御情報はプレスケジューリング方式で送信され、プレスケジューリング方式は下りリンクデータの伝送（送信）（transmitting）より先に制御情報を送信する方式であってもよい。
【００１７】
下りリンクデータが送信される開始点はｐＳＦの開始位置又は長さによって決定されることができる。この際、端末は、上位層信号によって下りリンクデータの開始シンボルが設定された場合にも、ｐＳＦが構成された場合、上位層信号によって設定された開始シンボルの位置を有効でないものと見なすことができる。
【００１８】
本発明の他の態様として、アンライセンスバンドをサポートする無線アクセスシステムにおいてアンライセンスバンドに構成されるセル（Ｕセル）を介してデータを受信する端末は、受信器と、受信器と機能的に接続され、Ｕセルを介したデータ受信をサポートする（ための）プロセッサと、を有することができる。この際、プロセッサは受信器を制御することにより、基地局からライセンスバンドに構成されるプライマリセル（Ｐセル）を介して制御情報を受信し、制御情報に基づいてアンライセンスバンドに構成されるアンライセンスバンドセル（Ｕセル）を介して下りリンクデータを受信するように構成されることができる。
【００１９】
端末にクロスキャリアスケジューリングが構成された場合、プロセッサは、下りリンクデータを受信するサブフレームとして最初の一部のシンボルが空のままで送信される部分サブフレーム（ｐＳＦ）を期待しないように構成され、ｐＳＦは一つのサブフレームより小さい大きさに構成されることができる。
【００２０】
下りリンクデータは所定個数のサブフレームで構成された下りリンクバーストを介して送信されることができる。
【００２１】
下りリンクバーストがｐＳＦを有する場合、下りリンクデータは下りリンクバーストに有された完全なサブフレーム及び最後の一部のシンボルが空のままで送信される部分サブフレームを介して送信されることができる。
【００２２】
制御情報はプレスケジューリング方式で送信され、プレスケジューリング方式は下りリンクデータの伝送より先に制御情報を送信する方式であってもよい。
【００２３】
下りリンクデータが送信される開始点はｐＳＦの開始位置又は長さによって決定されることができる。
【００２４】
プロセッサは、上位層信号によって下りリンクデータの開始シンボルが設定された場合にも、ｐＳＦが構成された場合、上位層信号によって設定された開始シンボルの位置を有効でないものと見なすことができる。
【００２５】
上述した本発明の態様は、本発明の好適な実施形態の一部に過ぎず、本願発明の技術的特徴が反映された様々な実施形態が、当該技術の分野における通常の知識を有する者によって、以下に詳述する本発明の詳細な説明に基づいて導出され、理解されるであろう。
【発明の効果】
【００２６】
本発明の実施例によると、次のような効果がある。
【００２７】
第一に（一つ目）（First）、クロスキャリアスケジューリング、セルフキャリアスケジューリング及びハイブリッドスケジューリングなどの多様なスケジューリング方式を提供することにより、ＬＡＡ端末に適応的に無線リソースをスケジューリングすることができる。
【００２８】
第二に、ｐＳＦ運用のための基地局及び端末の動作方法を提供することにより、ＬＡＡのＵセル上で発生し得るリソースの浪費を防止することができる。
【００２９】
第三に、クロスキャリアスケジューリングを適用するとき、ｐＳＦで端末に適用するスケジューリング方式を制限することによってＰＤＣＣＨなどの制御リソースの浪費を防止することができる。
【００３０】
第四に、セルフキャリアスケジューリングを適用する場合、ＵセルにＥＰＤＣＣＨを構成して送信する方法及びこれをデコードする方法を提供することができる。ｐＳＦの場合、正常なＳＦではないので、従来（既存、レガシ）の（legacy）リソース割当て方式がそのまま使われにくい。特に、ＥＰＤＣＣＨを送信するためには従来の方式を補わなければならない。したがって、本発明では、ｐＳＦが構成されるリソース上のリソース要素に対して新たにＥＲＥＧインデクシングを実行（遂行）し（labeled with new Enhanced Resource Element Group (EREG) indexes）、ＥＲＥＧの個数を所定値に固定し、アグリゲーション（結合）（集約）（aggregation）レベルを上げることにより、ＥＰＤＣＣＨを効率的で安定的にマッピングすることができる。
【００３１】
第五に、ｐＳＦに割り当てられるＤＭ−ＲＳパターンを提供することにより、端末がｐＳＦでもチャネル推定を行ってデータデコーディング性能を高めることができる。
【００３２】
本発明の実施形態から得られる効果は、以上で言及した効果に制限されず、言及していない他の効果は、以下の本発明の実施形態に関する記載から、本発明の属する技術の分野における通常の知識を有する者によって明確に導出され理解されるであろう。すなわち、本発明を実施することによる意図しなかった効果も、本発明の実施形態から、当該技術の分野における通常の知識を有する者によって導出可能である。
【図面の簡単な説明】
【００３３】
【図１】物理チャネル及びこれらを用いた信号送信方法を説明する図である。
【図２】無線フレームの構造の一例を示す図である。
【図３】下りリンクスロットに対するリソースグリッド（resource grid）を例示する図である。
【図４】上りリンクサブフレームの構造の一例を示す図である。
【図５】下りリンクサブフレームの構造の一例を示す図である。
【図６】コンポーネントキャリア（ＣＣ）及びＬＴＥ−Ａシステムで使用されるキャリアアグリゲーション（キャリア併合）（Carrier Aggregation；ＣＡ）の一例を示す図である。
【図７】クロスキャリアスケジューリングによるＬＴＥ−Ａシステムのサブフレームの構造を示す図である。
【図８】クロスキャリアスケジューリングによるサービングセルの構成の一例を示す図である。
【図９】ＣＡ環境で動作するＣｏＭＰシステムの概念図である。
【図１０】本発明の実施例で使用可能なセル固有（特定）参照信号（ＣＲＳ：Cell specific Reference Signal）が割り当てられたサブフレームの一例を示す図である。
【図１１】本発明の実施例で使用可能なＣＳＩ−ＲＳがアンテナポートの個数によって割り当てられたサブフレームの一例を示す図である。
【図１２】ＬＴＥ／ＬＴＥ−Ａシステムで使われるレガシＰＤＣＣＨ（Legacy PDCCH）、ＰＤＳＣＨ及びＥ−ＰＤＣＣＨが多重化される一例を示す図である。
【図１３】ＬＴＥ−ＵシステムでサポートするＣＡ環境の一例を示す図である。
【図１４】ＴｘＯＰ区間を設定する方法の一つを示す図である。
【図１５】部分サブフレームの一例を説明する図である。
【図１６】アンライセンスバンドでＷｉＦｉ（登録商標）  ＡＰが無線チャネルを占有する場合、基地局がプレスケジューリングを実行（遂行）する（perform）ための条件の一つを説明する図である。
【図１７】ｐＳＦを説明する図の一つである。
【図１８】プレスケジューリング法の一つを説明する図である。
【図１９】セル固有（特定）（cell-specific）ＲＳが配置される形態の一つを説明する図である。
【図２０】フローティングサブフレームで下りリンク物理チャネルを送信する方法を説明する図である。
【図２１】フローティングＴＴＩが構成されるとき、開始位置を制限する方法を説明する図である。
【図２２】ＤＬバーストの最後のフローティングＴＴＩの長さを設定する方法の一つを説明する図である。
【図２３】ＰＳｔａｒｔでＤＭ−ＲＳ及びＥＰＤＣＣＨを構成する方法を説明する図である。
【図２４】ＤＭ−ＲＳパターン別にＥＰＤＣＣＨを構成する方法を説明する図である。
【図２５】クロスキャリアスケジューリングが構成された場合、端末がデコードするサブフレームを制限する方法を説明する図である。
【図２６】４．２節で説明したセルフスケジューリング方式を端末と基地局との間のシグナリングの観点で説明する図である。
【図２７】ｐＳＦが構成される場合、ＣＳＩを測定及び報告する方法を説明する図である。
【図２８】ここで説明する装置は図１〜図２７で説明した方法を具現することができる手段を示す図である。
【発明を実施するための形態】
【００３４】
本発明に関する理解を助けるために詳細な説明の一部として含まれる添付の図面は、本発明に関する様々な実施形態を提供する。また、添付の図面は、詳細な説明と共に本発明の実施形態を説明するために用いられる。
【００３５】
本発明はアンライセンスバンドをサポートする無線アクセスシステムに関するもので、部分サブフレーム（partial Subframe）を構成してスケジューリングする方法及びこれをサポートする装置を提案する。
【００３６】
以下の実施例は、本発明の構成要素及び特徴を所定の形態で組み合わせ（結合し）たもの（combinations）である。各構成要素又は特徴は、別の明示的な言及がない限り、選択的なものとして考慮することができる。各構成要素又は特徴は、他の構成要素や特徴と組み合わせない形態で実施することができる。また、一部の構成要素及び／又は特徴を組み合わせて本発明の実施例を構成することもできる。本発明の実施例で説明する動作の順序は変更してもよい。ある実施例の一部の構成や特徴は他の実施例に含まれてもよく、又は他の実施例の対応する構成又は特徴に置き換えられてもよい。
【００３７】
図面に関する説明において、本発明の要旨を曖昧にさせうる手順又は段階などは記述を省略し、当業者のレベルで理解できるような手順又は段階も記述を省略した。
【００３８】
明細書全般にわたり、ある部分がある構成要素を“含む（comprising又はincluding）”というとき、これは、特に反対する記載がない限り、他の構成要素を排除するものではなくて他の構成要素をさらに含むことができることを意味する。また、明細書に記載した“…部”、“…器（機）（-or/er）”、“モジュール”などの用語は少なくとも一つの機能又は動作を処理する単位を意味し、これはハードウェア又はソフトウェアあるいはハードウェアとソフトウェアとの組合せで具現されることができる。また、“一（ａ又はａｎ）”、“一つ（one）”、“その（the）”及び類似関連語は本発明を記述する文脈において（特に、後続の請求項の文脈で）本明細書に他に指示されるか文脈によって明らかに反駁されることがない限り、単数及び複数のいずれも含む意味として使われることができる。
【００３９】
本明細書では、本発明の実施例は、基地局と移動局との間のデータ送受信関係を中心に説明した。ここで、基地局は移動局と直接通信を行うネットワークの終端ノード（terminal node）としての意味を有する。本文書で基地局によって行われるとした特定動作は、場合によっては、基地局の上位ノード（upper node）によって行われてもよい。
【００４０】
すなわち、基地局を含む複数のネットワークノード（network nodes）からなるネットワークで移動局との通信のために行われる様々な動作は、基地局又は基地局以外の他のネットワークノードによって行われてもよい。ここで、「基地局」は、固定局（fixed station）、Ｎｏｄｅ  Ｂ、ｅＮｏｄｅ  Ｂ（ｅＮＢ）、高度（発展した）基地局（ＡＢＳ：Advanced Base Station）又はアクセスポイント（access point）などの用語に代えてもよい。
【００４１】
また、本発明の実施例でいう「端末（Terminal）」は、ユーザ機器（ＵＥ：User Equipment）、移動局（ＭＳ：Mobile Station）、加入者端末（ＳＳ：Subscriber Station）、移動加入者端末（ＭＳＳ：Mobile Subscriber Station）、移動端末（Mobile Terminal）、又は発展した移動端末（ＡＭＳ：Advanced Mobile Station）などの用語に代えてもよい。
【００４２】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００４３】
本発明の実施例は、無線アクセスシステムであるＩＥＥＥ  ８０２．ｘｘシステム、３ＧＰＰ（3rd Generation Partnership Project）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００４４】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００４５】
また、本発明の実施例で使われる特定用語は、本発明の理解を助けるために提供されたもので、このような特定用語の使用は、本発明の技術的思想を逸脱しない範囲で他の形態に変更してもよい。
【００４６】
例えば、伝送（送信）機会区間（ＴｘＯＰ：Transmission Opportunity Period）という用語は伝送区間又はＲＲＰ（Reserved Resource Period）という用語と等しい意味として使われることができる。また、ＬＢＴ（Listen Before Talk）過程はチャネル状態がアイドル（遊休）（idle）であるかを判断するためのキャリアセンシング（搬送波検出）（carrier sensing）過程と同一の目的で実行することができる。
【００４７】
以下では本発明の実施形態を使える無線アクセスシステムの一例として３ＧＰＰ  ＬＴＥ／ＬＴＥ−Ａシステムについて説明する。
【００４８】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセスシステムに適用することができる。
【００４９】
ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM（登録商標） Evolution）などの無線技術によって具現することができる。ＯＦＤＭＡは、ＩＥＥＥ  ８０２．１１（Ｗｉ−Ｆｉ（登録商標））、ＩＥＥＥ  ８０２．１６（ＷｉＭＡＸ）、ＩＥＥＥ  ８０２−２０、Ｅ−ＵＴＲＡ（Evolved UTRA）などの無線技術によって具現することができる。
【００５０】
ＵＴＲＡは、ＵＭＴＳ（Universal Mobile Telecommunications System）の一部である。３ＧＰＰ  ＬＴＥ（Long Term Evolution）は、Ｅ−ＵＴＲＡを用いるＥ−ＵＭＴＳ（Evolved UMTS）の一部であって、下りリンクでＯＦＤＭＡを採用し、上りリンクでＳＣ−ＦＤＭＡを採用する。ＬＴＥ−Ａ（Advanced）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００５１】
１．  ３ＧＰＰ  ＬＴＥ／ＬＴＥ＿Ａシステム
無線アクセスシステムにおいて、端末は下りリンク（ＤＬ：DownLink）を介して基地局から情報を受信し、上りリンク（ＵＬ：UpLink）を介して基地局に情報を送信する。基地局と端末とが送受信する情報は、一般データ情報及び様々な制御情報を含み、これらが送受信する情報の種類／用途によって様々な物理チャネルが存在する。
【００５２】
１．１  システム一般
図１は、本発明の実施例で使用できる物理チャネル及びこれらを用いた信号送信方法を説明する図である。
【００５３】
電源が消えた状態で再び電源がついたり、新しくセルに進入したりした端末は、Ｓ１１段階で基地局と同期を取るなどの初期セルサーチ（探索）（Initial cell search）作業を行う。そのために、端末は基地局からプライマリ（１次）同期チャネル（Ｐ−ＳＣＨ：Primary Synchronization CHannel）及びセカンダリ（２次）同期チャネル（Ｓ−ＳＣＨ：Secondary Synchronization CHannel）を受信して基地局と同期を取り、セルＩＤなどの情報を取得する。
【００５４】
その後、端末は、基地局から物理放送チャネル（ＰＢＣＨ：Physical Broadcast CHannel）信号を受信してセル内放送情報を取得することができる。
【００５５】
一方、端末は、初期セルサーチ段階で下りリンク参照信号（ＤＬ  ＲＳ：DownLink Reference Signal）を受信して下りリンクチャネル状態を確認することができる。
【００５６】
初期セルサーチを終えた端末は、Ｓ１２段階で、物理下りリンク制御チャネル（ＰＤＣＣＨ：Physical Downlink Control CHannel）、及び物理下りリンク制御チャネル情報に基づく物理下りリンク共有チャネル（ＰＤＳＣＨ：Physical Downlink Shared CHannel）を受信し、より具体的なシステム情報を取得することができる。
【００５７】
その後、端末は、基地局への接続を完了するために、段階Ｓ１３乃至段階Ｓ１６のようなランダムアクセス過程（Random Access Procedure）を行うことができる。そのために、端末は、物理ランダムアクセスチャネル（ＰＲＡＣＨ：Physical Random Access CHannel）を介してプリアンブル（preamble）を送信し（Ｓ１３）、物理下りリンク制御チャネル及びこれに対応する物理下りリンク共有チャネルを介してプリアンブルに対する応答メッセージを受信することができる（Ｓ１４）。コンテンション（競合）（contention）ベースのランダムアクセスでは、端末は、さらなる物理ランダムアクセスチャネル信号の送信（Ｓ１５）、及び物理下りリンク制御チャネル信号及びこれに対応する物理下りリンク共有チャネル信号の受信（Ｓ１６）などの衝突解決手順（Contention (collision) Resolution Procedure）を行うことができる。
【００５８】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Physical Uplink Shared CHannel）信号及び／又は物理上りリンク制御チャネル（ＰＵＣＣＨ：Physical Uplink Control CHannel）信号の送信（Ｓ１８）を行うことができる。
【００５９】
端末が基地局に送信する制御情報を総称して、上りリンク制御情報（ＵＣＩ：Uplink Control Information）という。ＵＣＩは、ＨＡＲＱ−ＡＣＫ／ＮＡＣＫ（Hybrid Automatic Repeat and reQuest ACKnowledgement/Negative-ACK）、ＳＲ（Scheduling Request）、ＣＱＩ（Channel Quality Indication）、ＰＭＩ（Precoding Matrix Indication）、ＲＩ（Rank Indication）情報などを含む。
【００６０】
ＬＴＥシステムにおいて、ＵＣＩは、一般にＰＵＣＣＨを介して周期的に送信されるが、制御情報とトラフィックデータとが同時に送信されるべき場合にはＰＵＳＣＨを介して送信してもよい。また、ネットワークの要求／指示に応じてＰＵＳＣＨを介してＵＣＩを非周期的に送信してもよい。
【００６１】
図２には、本発明の実施例で用いられる無線フレームの構造を示す。
【００６２】
図２（ａ）は、タイプ１フレーム構造（frame structure type 1）を示す。タイプ１フレーム構造は、全二重（full duplex）ＦＤＤ（Frequency Division Duplex）システム及び半二重（half duplex）ＦＤＤシステムの両方に適用することができる。
【００６３】
１つの無線フレーム（radio frame）は、
2018201236.tif 000003
の長さを有し、
2018201236.tif 000004
の均等な長さを有し、０から１９までのインデックスが与えられた２０個のスロットで構成される。１つのサブフレームは、２個の連続したスロットとして定義され、ｉ番目のサブフレームは、２ｉ及び２ｉ＋１に該当するスロットで構成される。すなわち、無線フレーム（radio frame）は、１０個のサブフレーム（subframe）で構成される。１サブフレームを送信するのにかかる時間をＴＴＩ（Transmission Time Interval）という。ここで、Ｔｓはサンプリング時間を表し、Ｔｓ＝１／（１５ｋＨｚ×２０４８）＝３．２５５２×１０−８（約３３ｎｓ）と示される。スロットは、時間領域で複数のＯＦＤＭシンボル又はＳＣ−ＦＤＭＡシンボルを含み、周波数領域で複数のリソースブロック（Resource Block）を含む。
【００６４】
１つのスロットは、時間領域で複数のＯＦＤＭ（Orthogonal Frequency Division Multiplexing）シンボルを含む。３ＧＰＰ  ＬＴＥは、下りリンクでＯＦＤＭＡを使うので、ＯＦＤＭシンボルは１シンボル区間（symbol period）を表現するためのものである。ＯＦＤＭシンボルは、１つのＳＣ−ＦＤＭＡシンボル又はシンボル区間ということができる。リソースブロック（resource block）は、リソース割当て単位であって、１スロットで複数の連続した副搬送波（サブキャリア）（subcarrier）を含む。
【００６５】
全二重ＦＤＤシステムでは、各１０ｍｓ区間で１０個のサブフレームを下りリンク送信と上りリンク送信とのために同時に利用することができる。このとき、上りリンク送信と下りリンク送信とは周波数領域で区別される。一方、半二重ＦＤＤシステムでは、端末は送信と受信とを同時に行うことができない。
【００６６】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００６７】
図２（ｂ）には、タイプ２フレーム構造（frame structure type 2）を示す。タイプ２フレーム構造はＴＤＤシステムに適用される。１つの無線フレームは、
2018201236.tif 000005
の長さを有し、
2018201236.tif 000006
の長さを有する２個のハーフフレーム（half-frame）で構成される。各ハーフフレームは、
2018201236.tif 000007
の長さを有する５個のサブフレームで構成される。ｉ番目のサブフレームは、２ｉ及び２ｉ＋１に該当する各
2018201236.tif 000008
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で示される。
【００６８】
タイプ２フレームは、ＤｗＰＴＳ（Downlink Pilot Time Slot）、保護区間（ＧＰ：Guard Period）、ＵｐＰＴＳ（Uplink Pilot Time Slot）の３つのフィールドで構成されるスペシャル（特別）サブフレーム（special subframe）を含む。ここで、ＤｗＰＴＳは、端末での初期セルサーチ、同期化又はチャネル推定に用いられる。ＵｐＰＴＳは、基地局でのチャネル推定及び端末の上り送信同期を取るために用いられる。保護区間は、上りリンクと下りリンクとの間において下りリンク信号のマルチパス（多重経路）遅延によって上りリンクで生じる干渉を除去するための区間である。
【００６９】
下記の表１に、スペシャルサブフレーム（特別フレーム）の構成（ＤｗＰＴＳ／ＧＰ／ＵｐＰＴＳの長さ）を示す。
【００７０】
＜表１＞
【表１】
2018201236.tif 000009
【００７１】
図３は、本発明の実施例で使用できる下りリンクスロットのリソースグリッド（resource grid）を例示する図である。
【００７２】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００７３】
リソースグリッド上における各要素（element）をリソース要素（resource element）とし、１つのリソースブロックは１２×７個のリソース要素を含む。下りリンクスロットに含まれるリソースブロックの数ＮＤＬは、下りリンク送信帯域幅（bandwidth）に依存する。上りリンクスロットの構造は、下りリンクスロットの構造と同一であってもよい。
【００７４】
図４は、本発明の実施例で使用できる上りリンクサブフレームの構造を示す。
【００７５】
図４を参照すると、上りリンクサブフレームは、周波数領域で制御領域とデータ領域とに区分（区別）される（divided）。制御領域には、上りリンク制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨとを同時に送信しない。一つの端末に対するＰＵＣＣＨにはサブフレーム内のＲＢ対が割り当てられる。ＲＢ対に属するＲＢは、２個のスロットのそれぞれで異なる副搬送波を占める。これを、ＰＵＣＣＨに割り当てられたＲＢ対はスロットの境界（slot boundary）で周波数ホッピング（跳躍）（frequency hopping）するという。
【００７６】
図５には、本発明の実施例で使用できる下りリンクサブフレームの構造を示す。
【００７７】
図５を参照すると、サブフレームにおける第一のスロットでＯＦＤＭシンボルインデックス０から最大３個のＯＦＤＭシンボルが、制御チャネルが割り当てられる制御領域（control region）であり、残りのＯＦＤＭシンボルが、ＰＤＳＣＨが割り当てられるデータ領域（data region）である。３ＧＰＰ  ＬＴＥで用いられる下りリンク制御チャネルの例には、ＰＣＦＩＣＨ（Physical Control Format Indicator CHannel）、ＰＤＣＣＨ、ＰＨＩＣＨ（Physical Hybrid-ARQ Indicator CHannel）などがある。
【００７８】
ＰＣＦＩＣＨは、サブフレームにおける最初のＯＦＤＭシンボルで送信され、サブフレーム内における制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Hybrid Automatic Repeat reQuest）に対するＡＣＫ（ACKnowledgement）／ＮＡＣＫ（Negative-ACKnowledgement）信号を運ぶ。ＰＤＣＣＨを介して送信される制御情報を下りリンク制御情報（ＤＣＩ：Downlink Control Information）という。下りリンク制御情報は、上りリンクリソース割当て情報、下りリンクリソース割当て情報、又は任意の端末グループに対する上りリンク送信（Ｔｘ）電力制御命令を含む。
【００７９】
１．２  ＰＤＣＣＨ（Physical Downlink Control CHannel）
１．２．１  ＰＤＣＣＨ一般
ＰＤＣＣＨは、ＤＬ−ＳＣＨ（DownLink Shared CHannel）のリソース割当て及び送信フォーマット（すなわち、下りリンクグラント（DL-Grant））、ＵＬ−ＳＣＨ（UpLink Shared CHannel）のリソース割当て情報（すなわち、上りリンクグラント（UL-Grant））、ＰＣＨ（Paging CHannel）におけるページング（paging）情報、ＤＬ−ＳＣＨにおけるシステム情報、ＰＤＳＣＨで送信されるランダムアクセス応答（random access response）などの上位レイヤ（upper-layer）制御メッセージに対するリソース割当て、任意の端末グループ内の個別の端末に対する送信電力制御命令の集合（セット）（set）、ＶｏＩＰ（Voice over IP）活性化の有無に関する情報などを運ぶことができる。
【００８０】
複数のＰＤＣＣＨが制御領域内で送信されてもよく、端末は複数のＰＤＣＣＨをモニタリングすることができる。ＰＤＣＣＨは、１つ又は複数の連続したＣＣＥ（Control Channel Elements）のアグリゲーション（集合）（aggregation）で構成される。１つ又は複数の連続したＣＣＥの集合で構成されたＰＤＣＣＨは、サブブロックインターリーブ（subblock interleaving）を経た後、制御領域を通して送信することができる。ＣＣＥは、無線チャネルの状態による符号化率をＰＤＣＣＨに提供するために使われる論理的割当て単位である。ＣＣＥは、複数のリソース要素グループ（ＲＥＧ：Resource Element Group）に対応する。ＣＣＥの数とＣＣＥによって提供される符号化率との関係によってＰＤＣＣＨのフォーマット及び可能なＰＤＣＣＨのビット数が決定される。
【００８１】
１．２．２  ＰＤＣＣＨ構造
複数の端末に対する多重化された複数のＰＤＣＣＨが制御領域内で送信されてもよい。ＰＤＣＣＨは１つ又は２つ以上の連続したＣＣＥの集合（CCE aggregation）で構成される。ＣＣＥは、４個のリソース要素で構成されたＲＥＧの９個のセットに対応する単位のことを指す。各ＲＥＧには４個のＱＰＳＫ（Quadrature Phase Shift Keying）シンボルがマッピングされる。参照信号（ＲＳ：Reference Signal）によって占有されたリソース要素はＲＥＧに含まれない。すなわち、ＯＦＤＭシンボル内でのＲＥＧの総個数は、セル固有参照信号が存在するか否かによって異なることがある。４個のリソース要素を１つのグループにマッピングするＲＥＧの概念は、他の下りリンク制御チャネル（例えば、ＰＣＦＩＣＨ又はＰＨＩＣＨ）にも適用することができる。ＰＣＦＩＣＨ又はＰＨＩＣＨに割り当てられないＲＥＧを
2018201236.tif 000010
とすれば、システムで利用可能なＣＣＥの個数は
2018201236.tif 000011
であり、各ＣＣＥは０から
2018201236.tif 000012
までのインデックスを有する。
【００８２】
端末のデコーディングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
2018201236.tif 000013
を満たすＣＣＥから始まってもよい。
【００８３】
基地局は１つのＰＤＣＣＨ信号を構成するために｛１，２，４，８｝個のＣＣＥを使うことができ、ここで、｛１，２，４，８｝をＣＣＥアグリゲーション（集合）レベル（aggregation level）と呼ぶ。特定ＰＤＣＣＨの送信のために使われるＣＣＥの個数はチャネル状態によって基地局で決定される。例えば、良好な（good）下りリンクチャネル状態（基地局に近接している場合）を有する端末のためのＰＤＣＣＨは、１つのＣＣＥだけで十分でありうる。一方、良好でない（よくない）チャネル状態（セル境界にある場合）を有する端末の場合は、８個のＣＣＥが十分なロバスト性（堅牢さ）（robustness）のために要求されることがある。しかも、ＰＤＣＣＨの電力レベルも、チャネル状態にマッチして（合わせて）調節されてもよい。
【００８４】
下記の表２にＰＤＣＣＨフォーマットを示す。ＣＣＥアグリゲーションレベルによって、表２のように４つのＰＤＣＣＨフォーマットがサポートされる。
【００８５】
＜表２＞
【表２】
2018201236.tif 000014
【００８６】
端末ごとにＣＣＥアグリゲーションレベルが異なる理由は、ＰＤＣＣＨに載せられる制御情報のフォーマット又はＭＣＳ（Modulation and Coding Scheme）レベルが異なるためである。ＭＣＳレベルは、データコーディングに用いられるコードレート（code rate）及び変調次数（序列）（modulation order）を意味する。適応的なＭＣＳレベルはリンク適応（link adaptation）のために用いられる。一般に、制御情報を送信する制御チャネルでは３〜４個程度のＭＣＳレベルを考慮することができる。
【００８７】
制御情報のフォーマットを説明すると、ＰＤＣＣＨを介して送信される制御情報を下りリンク制御情報（ＤＣＩ）という。ＤＣＩフォーマットによってＰＤＣＣＨペイロード（payload）に載せられる情報の構成が異なることがある。ＰＤＣＣＨペイロードは、情報ビット（information bit）を意味する。下記の表３は、ＤＣＩフォーマットによるＤＣＩを示すものである。
【００８８】
＜表３＞
【表３】
2018201236.tif 000015
【００８９】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードのコンパクト（簡単）な（compact）スケジューリングのためのフォーマット１Ａ、ＤＬ−ＳＣＨの非常にコンパクトなスケジューリングのためのフォーマット１Ｃ、閉ループ（Closed-loop）空間多重（化）（spatial multiplexing）モードでのＰＤＳＣＨスケジューリングのためのフォーマット２、開ループ（Open-loop）空間多重モードでのＰＤＳＣＨスケジューリングのためのフォーマット２Ａ、上りリンクチャネルのためのＴＰＣ（Transmission Power Control）命令の送信のためのフォーマット３及び３Ａがある。ＤＣＩフォーマット１Ａは、端末にいずれの送信モードが設定されてもＰＤＳＣＨスケジューリングのために用いることができる。
【００９０】
ＤＣＩフォーマットによってＰＤＣＣＨペイロード長が変わることがある。また、ＰＤＣＣＨペイロードの種類とそれによる長さとは、コンパクトな（compact）スケジューリングであるか否か、又は端末に設定された送信モード（transmission mode）などによって異なってもよい。
【００９１】
送信モードは、端末がＰＤＳＣＨを介した下りリンクデータを受信するように設定（configuration）することができる。例えば、ＰＤＳＣＨを介した下りリンクデータには、端末にスケジューリングされたデータ（scheduled data）、ページング、ランダムアクセス応答、又はＢＣＣＨを介したブロードキャスト情報などがある。ＰＤＳＣＨを介した下りリンクデータは、ＰＤＣＣＨを介してシグナリングされるＤＣＩフォーマットと関係がある。送信モードは、上位層シグナリング（例えば、ＲＲＣ（Radio Resource Control）シグナリング）によって端末に準静的に（semi-statically）設定することができる。送信モードは、シングル（単一）アンテナ送信（Single antenna transmission）又はマルチアンテナ（Multi-antenna）送信に分類（区別）できる（classified）。
【００９２】
端末は、上位層シグナリングによって準静的（semi-static）に送信モードが設定される。例えば、マルチアンテナ送信には、送信ダイバーシチ（Transmit diversity）、開ループ（Open-loop）又は閉ループ（Closed-loop）空間多重化（Spatial multiplexing）、ＭＵ−ＭＩＭＯ（Multi-user-Multiple Input Multiple Output）、及びビームフォーミング（形成）（Beamforming）などがある。送信ダイバーシチは、複数の（多重）（multiple）送信アンテナで同一のデータを送信して送信信頼度を高める技術である。空間多重化は、複数の送信アンテナで互いに異なるデータを同時に送信し、システムの帯域幅を増加させることなく高速のデータを送信できる技術である。ビームフォーミングは、複数のアンテナにチャネル状態による加重値を与えて信号のＳＩＮＲ（Signal to Interference plus Noise Ratio）を増加させる技術である。
【００９３】
ＤＣＩフォーマットは、端末に設定された送信モードに依存する。端末が自体に設定された送信モードによってモニタリングする参照（Reference）ＤＣＩフォーマットがある。次の通り、端末に設定される送信モードは１０個の送信モードを有することができる。
【００９４】
（１）送信モード１：単一アンテナポート、ポート０
（２）送信モード２：送信ダイバーシチ（Transmit Diversity）
（３）送信モード３：開ループ空間多重化（Open-loop Spatial Multiplexing）
（４）送信モード４：閉ループ空間多重化（Closed-loop Spatial Multiplexing）
（５）送信モード５：マルチ（多重）ユーザＭＩＭＯ（MU-MIMO）
（６）送信モード６：閉ループランク１プリコーディング
（７）送信モード７：コードブックに基づかない、単一レイヤ送信をサポートするプリコーディング
（８）送信モード８：コードブックに基づかない、２個までのレイヤをサポートするプリコーディング
（９）送信モード９：コードブックに基づかない、８個までのレイヤをサポートするプリコーディング
（１０）送信モード１０：コードブックに基づかない、ＣｏＭＰのために用いられる、８個までのレイヤをサポートするプリコーディング
【００９５】
１．２．３  ＰＤＣＣＨ送信
基地局は、端末に送信しようとするＤＣＩによってＰＤＣＣＨフォーマットを決定し、制御情報にＣＲＣ（Cyclic Redundancy Check）を付加する。ＣＲＣにはＰＤＣＣＨの所有者（owner）や用途によって固有の識別子（例えば、ＲＮＴＩ（Radio Network Temporary Identifier））でマスクする。特定の端末のためのＰＤＣＣＨであれば、端末固有の識別子（例えば、Ｃ−ＲＮＴＩ（Cell-RNTI））でＣＲＣをマスクすることができる。若しくは、ページングメッセージのためのＰＤＣＣＨであれば、ページング指示識別子（例えば、Ｐ−ＲＮＴＩ（Paging-RNTI））でＣＲＣをマスクすることができる。システム情報、より具体的にはシステム情報ブロック（system information block、ＳＩＢ）のためのＰＤＣＣＨであれば、システム情報識別子（例えば、ＳＩ−ＲＮＴＩ（system information RNTI））でＣＲＣをマスクすることができる。端末のランダムアクセスプリアンブルの送信に対する応答であるランダムアクセス応答を示すために、ＲＡ−ＲＮＴＩ（random access-RNTI）でＣＲＣをマスクすることができる。
【００９６】
続いて、基地局は、ＣＲＣの付加された制御情報にチャネルコーディングを行って符号化されたデータ（coded data）を生成する。このとき、ＭＣＳレベルによるコードレートでチャネルコーディングを行うことができる。基地局は、ＰＤＣＣＨフォーマットに割り当てられたＣＣＥアグリゲーションレベルによる送信レート（率）マッチング（rate matching）を行い、符号化されたデータを変調して変調シンボルを生成する。このとき、ＭＣＳレベルによる変調次数を用いることができる。１つのＰＤＣＣＨを構成する変調シンボルは、ＣＣＥアグリゲーションレベルが１、２、４、８のいずれか一つであってもよい。その後、基地局は、変調シンボルを物理的なリソース要素にマッピング（CCE to RE mapping）する。
【００９７】
１．２．４  ブラインドデコーディング（ＢＳ：Blind Decoding）
一つのサブフレーム内で複数のＰＤＣＣＨが送信されてもよい。すなわち、一つのサブフレームの制御領域は、インデックス０〜
2018201236.tif 000016
を有する複数のＣＣＥで構成される。ここで、
2018201236.tif 000017
は、ｋ番目のサブフレームの制御領域内における全ＣＣＥの個数を意味する。端末は、サブフレームごとに複数のＰＤＣＣＨをモニタリングする。ここで、モニタリングとは、端末が、モニタリングされるＰＤＣＣＨのフォーマットによってＰＤＣＣＨのそれぞれのデコーディングを試みることをいう。
【００９８】
基地局は、端末にサブフレーム内に割り当てられた制御領域で該当ＰＤＣＣＨがどこに位置するのかに関する情報を提供しない。端末は基地局から送信された制御チャネルを受信するために自体のＰＤＣＣＨがどの位置でどのＣＣＥアグリゲーションレベルやＤＣＩフォーマットで送信されるのかを把握できず、端末は、サブフレーム内でＰＤＣＣＨ候補（candidate）の集合をモニタリングして自体のＰＤＣＣＨを探す。これをブラインドデコーディング（ＢＤ）という。ブラインドデコーディングとは、端末がＣＲＣ部分を自体の端末識別子（ＵＥ  ＩＤ）でデマスク（De-Masking）した後、ＣＲＣ誤りを検討し、当該ＰＤＣＣＨが自体の制御チャネルであるか否かを確認する方法をいう。
【００９９】
アクティブ（活性）モード（active mode）で、端末は自体に送信されるデータを受信するために各サブフレームのＰＤＣＣＨをモニタリングする。ＤＲＸモードで、端末はＤＲＸ周期ごとのモニタリング区間で起床（wake up）し、モニタリング区間に該当するサブフレームでＰＤＣＣＨをモニタリングする。ＰＤＣＣＨのモニタリングが行われるサブフレームをｎｏｎ−ＤＲＸサブフレームという。
【０１００】
端末は、自体に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるのかを把握できないことから、各ｎｏｎ−ＤＲＸサブフレーム内でＰＤＣＣＨのブラインドデコーディングに成功するまで、可能なＣＣＥアグリゲーション（集団）（aggregation）レベルでＰＤＣＣＨを全てデコードしなければならない。端末は、自体のためのＰＤＣＣＨがいくつのＣＣＥを用いるのかを把握できず、ＰＤＣＣＨのブラインドデコーディングに成功するまで、可能な全てのＣＣＥアグリゲーションレベルで検出を試みなければならない。
【０１０１】
ＬＴＥシステムでは端末のブラインドデコーディングのためにサーチスペース（ＳＳ：Search Space）の概念を定義する。サーチスペースは、端末がモニタリングするためのＰＤＣＣＨ候補セットを意味し、各ＰＤＣＣＨフォーマットによって異なるサイズを有することができる。サーチスペースは、共通（共用）サーチスペース（ＣＳＳ：Common Search Space）及び端末固有（特定）サーチスペース（ＵＳＳ：UE-specific/Dedicated Search Space）を含むことができる。
【０１０２】
共通サーチスペースの場合、全ての端末が共通サーチスペースのサイズを認知できるが、端末固有サーチスペースは、各端末ごとに個別に設定することができる。したがって、端末は、ＰＤＣＣＨをデコードするために、端末固有サーチスペース及び共通サーチスペースを全てモニタリングしなければならず、したがって、１サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１０３】
サーチスペースの制約によって、基地局が、与えられたサブフレーム内でＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがあるためである。次のサブフレームでも続き得るこのような障壁を最小にするために、端末固有ホッピング（跳躍）（hopping）シーケンスを端末固有サーチスペースの始点に適用することができる。
【０１０４】
表４は、共通サーチスペース及び端末固有サーチスペースのサイズを示す。
【０１０５】
＜表４＞
【表４】
2018201236.tif 000018
【０１０６】
ブラインドデコーディングを試みる回数による端末の負荷を軽減するために、端末は、定義された全てのＤＣＩフォーマットによるサーチを同時に行うわけではない。具体的には、端末は、端末固有サーチスペースで常にＤＣＩフォーマット０及び１Ａに対するサーチを行う。このとき、ＤＣＩフォーマット０と１Ａとは同じサイズを有するが、端末は、ＰＤＣＣＨに含まれたＤＣＩフォーマット０と１Ａとを区別するために用いられるフラグ（flag for format 0/format 1A differentiation）を用いてＤＣＩフォーマットを区別することができる。また、端末にＤＣＩフォーマット０及びＤＣＩフォーマット１Ａに加えて他のＤＣＩフォーマットが要求されてもよいが、その一例としてＤＣＩフォーマット１、１Ｂ、２がある。
【０１０７】
共通サーチスペースで、端末はＤＣＩフォーマット１Ａ及び１Ｃをサーチすることができる。また、端末はＤＣＩフォーマット３又は３Ａをサーチするように設定されてもよく、ＤＣＩフォーマット３及び３Ａは、ＤＣＩフォーマット０及び１Ａと同じサイズを有するが、端末は、端末固有識別子以外の識別子によってスクランブルされたＣＲＣを用いてＤＣＩフォーマットを区別することができる。
【０１０８】
サーチスペース
2018201236.tif 000019
は、アグリゲーションレベル
2018201236.tif 000020
によるＰＤＣＣＨ候補セットを意味する。サーチスペースのＰＤＣＣＨ候補セット
2018201236.tif 000021
によるＣＣＥは、次の数式１によって決定することができる。
【０１０９】
＜数式１＞
【数１】
2018201236.tif 000022
【０１１０】
ここで、
2018201236.tif 000023
は、サーチスペースでモニタリングするためのＣＣＥアグリゲーションレベルＬによるＰＤＣＣＨ候補の個数を表し、
2018201236.tif 000024
である。
2018201236.tif 000025
は、ＰＤＣＣＨにおいて各ＰＤＣＣＨ候補における個別ＣＣＥを指定するインデックスであり、
2018201236.tif 000026
である。
2018201236.tif 000027
であり、
2018201236.tif 000028
は、無線フレーム内でのスロットインデックスを表す。
【０１１１】
上述したように、端末は、ＰＤＣＣＨをデコードするために端末固有サーチスペース及び共通サーチスペースの両方をモニタリングする。ここで、共通サーチスペース（ＣＳＳ）は、｛４，８｝のアグリゲーションレベルを有するＰＤＣＣＨをサポートし、端末固有サーチスペース（ＵＳＳ）は、｛１，２，４，８｝のアグリゲーションレベルを有するＰＤＣＣＨをサポートする。表５は、端末によってモニタリングされるＰＤＣＣＨ候補を表す。
【０１１２】
＜表５＞
【表５】
2018201236.tif 000029
【０１１３】
数式１を参照すると、共通サーチスペースの場合、２個のアグリゲーションレベル、Ｌ＝４及びＬ＝８に対して
2018201236.tif 000030
は０に設定される。一方、端末固有サーチスペースの場合、アグリゲーションレベルＬに対して
2018201236.tif 000031
は数式２のように定義される。
【０１１４】
＜数式２＞
【数２】
2018201236.tif 000032
【０１１５】
ここで、
2018201236.tif 000033
であり、
2018201236.tif 000034
はＲＮＴＩ値を表す。また、
2018201236.tif 000035
であり、
2018201236.tif 000036
である。
【０１１６】
２．キャリアアグリゲーション（ＣＡ：Carrier Aggregation）環境
２．１  ＣＡ一般
３ＧＰＰ  ＬＴＥ（3rd Generation Partnership Project Long Term Evolution；Ｒｅｌ−８又はＲｅｌ−９）システム（以下、ＬＴＥシステム）は、単一コンポーネントキャリア（ＣＣ：Component Carrier）を複数の帯域に分割して使うマルチキャリア（多重搬送波）変調（ＭＣＭ：Multi-Carrier Modulation）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅をサポートするために、一つ又は複数のコンポーネントキャリアを集約（結合）し（aggregating）て使うキャリアアグリゲーション（ＣＡ：Carrier Aggregation）のような方法を用いることができる。キャリアアグリゲーションは、搬送波集約（集成）、搬送波整合、マルチコンポーネントキャリア環境（Multi-CC）、又はマルチキャリア環境と呼ぶこともできる。
【０１１７】
本発明において、マルチキャリアはキャリアのアグリゲーション（又は、キャリアアグリゲーション）を意味し、この場合、キャリアのアグリゲーションは、隣接した（contiguous）キャリア間のアグリゲーションだけでなく、隣接していない（非隣接した）（non-contiguous）キャリア間のアグリゲーションも意味する。また、下りリンクと上りリンクとにおいて集約されるコンポーネントキャリアの数を異なるように設定してもよい。下りリンクコンポーネントキャリア（以下、「ＤＬ  ＣＣ」という）の数と上りリンクコンポーネントキャリア（以下、「ＵＬ  ＣＣ」という）の数とが一致する場合を対称（的）（symmetric）アグリゲーションといい、両者の数が異なる場合を非対称（的）（asymmetric）アグリゲーションという。このようなキャリアアグリゲーションは、搬送波アグリゲーション（集成）、帯域幅アグリゲーション（bandwidth aggregation）、スペクトルアグリゲーション（spectrum aggregation）などの用語に言い換えてもよい。
【０１１８】
２つ以上のコンポーネントキャリアが集約して構成されるキャリアアグリゲーションは、ＬＴＥ−Ａシステムでは１００ＭＨｚ帯域幅までサポートすることを目標とする。目標帯域よりも小さい帯域幅を有する１つ又は複数のキャリアを集約するとき、集約するキャリアの帯域幅は、従来のＩＭＴシステムとの互換性（backward compatibility）を維持するために、従来のシステムで使う帯域幅に制限することができる。
【０１１９】
例えば、従来の３ＧＰＰ  ＬＴＥシステムでは、｛１．４，３，５，１０，１５，２０｝ＭＨｚ帯域幅をサポートし、３ＧＰＰ  ＬＴＥ−ａｄｖａｎｃｅｄシステム（すなわち、ＬＴＥ−Ａ）では、従来のシステムとの互換性のために、それらの帯域幅のみを用いて２０ＭＨｚよりも大きい帯域幅をサポートするようにすることができる。また、本発明で用いられるキャリアアグリゲーションシステムは、従来のシステムで用いる帯域幅にかかわらず、新しい帯域幅を定義してキャリアアグリゲーションをサポートするようにすることもできる。
【０１２０】
また、このようなキャリアアグリゲーションは、バンド内（イントラバンド）ＣＡ（Intra-band CA）とバンド間（インターバンド）ＣＡ（Inter-band CA）とに区別できる。バンド内キャリアアグリゲーションとは、複数のＤＬ  ＣＣ及び／又はＵＬ  ＣＣが周波数上で隣接するか近接して位置することを意味する。言い換えると、ＤＬ  ＣＣ及び／又はＵＬ  ＣＣのキャリア周波数が同じバンド内に位置することを意味できる。一方、周波数領域において遠く離れている環境をバンド間ＣＡ（Inter-Band CA）と呼ぶことができる。言い換えると、複数のＤＬ  ＣＣ及び／又はＵＬ  ＣＣのキャリア周波数が、互いに異なるバンドに位置することを意味できる。この場合、端末は、キャリアアグリゲーション環境における通信を行うために、複数のＲＦ（Radio Frequency）端を使うことができる。
【０１２１】
ＬＴＥ−Ａシステムは、無線リソースを管理するためにセル（cell）の概念を用いる。上述したキャリアアグリゲーション環境は、マルチセル（多重セル）（multiple cells）環境と呼ぶことができる。セルは、下りリンクリソース（ＤＬ  ＣＣ）と上りリンクリソース（ＵＬ  ＣＣ）との組合せとして定義されるか、上りリンクリソースは必須要素ではない。このため、セルは、下りリンクリソース単独、又は下りリンクリソース及び上りリンクリソースの両者で構成することができる。
【０１２２】
例えば、特定端末が、１個の設定されたサービングセル（configured serving cell）を有する場合、１個のＤＬ  ＣＣ及び１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又はより小さい数であってもよい。若しくは、これとは逆にＤＬ  ＣＣ及びＵＬ  ＣＣが構成されてもよい。すなわち、特定端末が複数の設定されたサービングセルを有する場合、ＤＬ  ＣＣの数よりもＵＬ  ＣＣの数が多いキャリアアグリゲーション環境がサポートされてもよい。
【０１２３】
また、キャリアアグリゲーション（結合）（ＣＡ）は、それぞれのキャリア周波数（セルの中心周波数）が異なる２つ以上のセルのアグリゲーションとして理解されてもよい。キャリアアグリゲーションでいう「セル（Cell）」は、周波数の観点で説明されるものであり、一般に使われる、基地局がカバーする地理的領域としての「セル」とは区別されなければならない。以下、上述したバンド内キャリアアグリゲーションをバンド内マルチセルといい、バンド間キャリアアグリゲーションをバンド間マルチセルという。
【０１２４】
ＬＴＥ−Ａシステムで用いられるセルは、プライマリセル（ＰＣｅｌｌ：Primary Cell）及びセカンダリセル（ＳＣｅｌｌ：Secondary Cell）を含む。Ｐセル及びＳセルはサービングセル（Serving Cell）として用いることができる。ＲＲＣ＿ＣＯＮＮＥＣＴＥＤ状態にあるが、キャリアアグリゲーションが設定されていないか又はキャリアアグリゲーションをサポートしない端末の場合、Ｐセルのみで構成されたサービングセルが１つのみ存在する。一方、ＲＲＣ＿ＣＯＮＮＥＣＴＥＤ状態であるとともに、キャリアアグリゲーションが設定されている端末の場合、一つ又は複数のサービングセルが存在してもよく、全体のサービングセルにはＰセル及び一つ又は複数のＳセルが含まれる。
【０１２５】
サービングセル（Ｐセル及びＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（short）識別子であって、１から７までの整数値を有する。ＳｅｒｖＣｅｌｌＩｎｄｅｘは、サービングセル（Ｐセル又はＳセル）を識別するために使われる簡略な（short）識別子であって、０から７までの整数値を有する。値０はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１２６】
Ｐセルはプライマリ周波数（又は、ｐｒｉｍａｒｙ  ＣＣ）上で動作するセルを意味する。端末が初期接続設定（initial connection establishment）過程を行うか、接続再設定過程を行うために用いられてもよく、ハンドオーバ過程で指示されたセルのことを指してもよい。また、Ｐセルは、キャリアアグリゲーション環境で設定されたサービングセルのうち、制御関連の通信の中心となるセルを意味する。すなわち、端末は、自体のＰセルでのみＰＵＣＣＨの割当てを受けて送信することができ、システム情報を取得するか、モニタリング手順を変更するときにＰセルのみを用いることができる。Ｅ−ＵＴＲＡＮ（Evolved Universal Terrestrial Radio Access）は、キャリアアグリゲーション環境をサポートする端末に対して、モビリティ（移動性）制御情報（mobilityControlInfo）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバ手順のためにＰセルのみを変更することもできる。
【０１２７】
Ｓセルはセカンダリ周波数（又は、Ｓｅｃｏｎｄａｒｙ  ＣＣ）上で動作するセルを意味できる。特定端末にＰセルは１一つのみ割り当てられ、Ｓセルは１つ又は複数割り当てられてもよい。Ｓセルは、ＲＲＣ接続設定がなされた後に構成可能であり、追加の無線リソースを提供するために用いることができる。キャリアアグリゲーション環境で設定されたサービングセルにおいてＰセル以外のセル、すなわち、ＳセルにはＰＵＣＣＨが存在しない。
【０１２８】
Ｅ−ＵＴＲＡＮは、Ｓセルをキャリアアグリゲーション環境をサポートする端末に追加するとき、ＲＲＣ＿ＣＯＮＮＥＣＴＥＤ状態にある関連したセルの動作に関する全てのシステム情報を特定シグナル（dedicated signal）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する専用（特定）シグナリング（dedicated signaling）を行えばよい。
【０１２９】
初期セキュリティ（保安）（security）活性化過程が始まった後に、Ｅ−ＵＴＲＡＮは、接続設定過程で初期に構成されるＰセルに加えて一つ又は複数のＳセルを含むネットワークを構成することができる。キャリアアグリゲーション環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０１３０】
図６は、本発明の実施例で用いられるコンポーネントキャリア（ＣＣ）、及びＬＴＥ＿Ａシステムで用いられるキャリアアグリゲーションの一例を示す図である。
【０１３１】
図６（ａ）は、ＬＴＥシステムで用いられる単一キャリア構造を示す。コンポーネントキャリアにはＤＬ  ＣＣ及びＵＬ  ＣＣがある。一つのコンポーネントキャリアは２０ＭＨｚの周波数範囲を有することができる。
【０１３２】
図６（ｂ）は、ＬＴＥ＿Ａシステムで用いられるキャリアアグリゲーション構造を示す。図６（ｂ）では、２０ＭＨｚの周波数サイズを有する３個のコンポーネントキャリアが集約された場合を示している。ＤＬ  ＣＣ及びＵＬ  ＣＣがそれぞれ３個ずつあるが、ＤＬ  ＣＣ及びＵＬ  ＣＣの個数に制限があるわけではない。キャリアアグリゲーションの場合、端末は３個のＣＣを同時にモニタリングすることができ、下りリンク信号／データを受信することができ、上りリンク信号／データを送信することができる。
【０１３３】
（仮に、）特定セルでＮ個のＤＬ  ＣＣが管理される場合には、ネットワークは、端末にＭ（Ｍ≦Ｎ）個のＤＬ  ＣＣを割り当てることができる。このとき、端末はＭ個の制限されたＤＬ  ＣＣのみをモニタリングしてＤＬ信号を受信することができる。また、ネットワークはＬ（Ｌ≦Ｍ≦Ｎ）個のＤＬ  ＣＣに優先順位を与えて主な（main）ＤＬ  ＣＣを端末に割り当てることもでき、この場合、ＵＥはＬ個のＤＬ  ＣＣを必ずモニタリングしなければならない。この方式は上りリンク送信に同一に適用されてもよい。
【０１３４】
下りリンクリソースの搬送波周波数（又はＤＬ  ＣＣ）と上りリンクリソースの搬送波周波数（又は、ＵＬ  ＣＣ）とのリンケージ（linkage）は、ＲＲＣメッセージのような上位層メッセージやシステム情報で示すことができる。例えば、ＳＩＢ２（System Information Block Type2）によって定義されるリンケージによってＤＬリソースとＵＬリソースとの組合せを構成することができる。具体的には、リンケージは、ＵＬグラントを運ぶＰＤＣＣＨが送信されるＤＬ    ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０１３５】
２．２  クロスキャリアスケジューリング（Cross Carrier Scheduling）
キャリアアグリゲーションシステムには、キャリア（又は搬送波）又はサービングセル（Serving Cell）に対するスケジューリングの観点で、セルフ（自己）スケジューリング（Self-Scheduling）方法及びクロスキャリアスケジューリング（Cross Carrier Scheduling）方法がある。クロスキャリアスケジューリングは、クロスコンポーネントキャリアスケジューリング（Cross Component Carrier Scheduling）又はクロスセルスケジューリング（Cross Cell Scheduling）と呼ぶこともできる。
【０１３６】
セルフスケジューリングは、ＰＤＣＣＨ（ＤＬグラント）とＰＤＳＣＨとが同一ＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０１３７】
クロスキャリアスケジューリングは、ＰＤＣＣＨ（ＤＬグラント）とＰＤＳＣＨとがそれぞれ異なるＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０１３８】
クロスキャリアスケジューリングは、端末固有（UE-specific）に活性化又は非活性化することができ、上位層シグナリング（例えば、ＲＲＣシグナリング）を用いて準静的（semi-static）に各端末に対して知らせることができる。
【０１３９】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるのかを知らせるキャリア指示子フィールド（ＣＩＦ：Carrier Indicator Field）が必要である。例えば、ＰＤＣＣＨは、ＰＤＳＣＨリソース又はＰＵＳＣＨリソースをＣＩＦを用いて複数のコンポーネントキャリアの一つに割り当てることができる。すなわち、ＤＬ  ＣＣ上のＰＤＣＣＨが集約（多重集成）された（aggregated）ＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０１４０】
一方、ＤＬ  ＣＣ上のＰＤＣＣＨが、同じＤＬ  ＣＣ上のＰＤＳＣＨリソースを割り当てるか、又は該ＤＬ  ＣＣにリンクされた単一のＵＬ  ＣＣにＰＵＳＣＨリソースを割り当てる（単一リンクされたＵＬ  ＣＣ上のＰＵＳＣＨリソースを割り当てる）場合には（if a PDCCH transmitted in a DL CC allocates PDSCH resources of the same DL CC or allocates PUSCH resources in a single UL CC linked to the DL CC）、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）及びＤＣＩフォーマットが用いられてもよい。
【０１４１】
クロスキャリアスケジューリングが可能な場合、端末はＣＣ別送信モード及び／又は帯域幅によってモニタリングＣＣの制御領域で複数のＤＣＩに対するＰＤＣＣＨをモニタリングする必要がある。このため、これをサポートできる検索空間の構成及びＰＤＣＣＨモニタリングが必要である。
【０１４２】
キャリアアグリゲーションシステムにおいて、端末ＤＬ  ＣＣ集合は、端末がＰＤＳＣＨを受信するようにスケジューリングされたＤＬ  ＣＣの集合を指し、端末ＵＬ  ＣＣ集合は、端末がＰＵＳＣＨを送信するようにスケジューリングされたＵＬ  ＣＣの集合を指す。また、ＰＤＣＣＨモニタリング集合（monitoring set）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の部分集合（副集合）（subset）であってもよい。ＰＤＣＣＨモニタリング集合は、端末ＤＬ  ＣＣ集合におけるＤＬ  ＣＣの少なくとも一つを含むことができる。若しくは、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対するセルフスケジューリング（self-scheduling）が常に可能であるように設定することができる。このような、端末ＤＬ  ＣＣ集合、端末ＵＬ  ＣＣ集合及びＰＤＣＣＨモニタリング集合は、端末固有（UE-specific）、端末グループ固有（特定）（UE group-specific）又はセル固有（Cell-specific）に設定することができる。
【０１４３】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジューリングするために、基地局はＰＤＣＣＨモニタリング集合のみを介してＰＤＣＣＨを送信する。
【０１４４】
図７は、本発明の実施例で用いられるクロスキャリアスケジューリングによるＬＴＥ−Ａシステムのサブフレーム構造を示す図である。
【０１４５】
図７を参照すると、ＬＴＥ−Ａ端末のためのＤＬサブフレームは、３個の下りリンクコンポーネントキャリア（ＤＬ  ＣＣ）が集約されており、ＤＬ  ＣＣ  「Ａ」はＰＤＣＣＨモニタリングＤＬ  ＣＣとして設定された場合を示す。ＣＩＦが使用されない場合、各ＤＬ  ＣＣはＣＩＦ無しで自体のＰＤＳＣＨをスケジューリングするＰＤＣＣＨを送信することができる。一方、ＣＩＦが上位層シグナリングによって使用される場合には、一つのＤＬ  ＣＣ  「Ａ」のみがＣＩＦを用いて自体のＰＤＳＣＨ又は他のＣＣのＰＤＳＣＨをスケジューリングするＰＤＣＣＨを送信することができる。このとき、ＰＤＣＣＨモニタリングＤＬ  ＣＣとして設定されていないＤＬ  ＣＣ  「Ｂ」及び「Ｃ」はＰＤＣＣＨを送信しない。
【０１４６】
図８は、本発明の実施例で用いられるクロスキャリアスケジューリングによるサービングセル構成の一例を示す図である。
【０１４７】
キャリアアグリゲーション（ＣＡ）をサポートする無線アクセスシステムでは基地局及び／又は端末を一つ又は複数のサービングセルで構成することができる。図８において、基地局は、Ａセル、Ｂセル、Ｃセル及びＤセルの合計４個のサービングセルをサポートすることができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうち少なくとも一つをＰセルとして設定することができる。このとき、Ｐセルは常に活性化された状態であり、Ｓセルは基地局及び／又は端末によって活性化又は非活性化されてもよい。
【０１４８】
図８において、構成されたセルは、基地局のセルのうち、端末からの測定報告（measurement report）メッセージに基づいてＣＡにセルの追加が可能なセルであって、端末別に設定可能である。構成されたセルは、ＰＤＳＣＨ信号の送信に対するＡＣＫ／ＮＡＣＫメッセージの送信のためのリソースをあらかじめ予約しておく。活性化されたセル（Activated cell）は、構成されたセルのうち、実際にＰＤＳＣＨ信号及び／又はＰＵＳＣＨ信号を送信するように設定されたセルであり、ＣＳＩ報告及びＳＲＳ（Sounding Reference Signal）送信を行う。非活性化されたセル（De-Activated cell）は、基地局の命令又はタイマ動作によってＰＤＳＣＨ／ＰＵＳＣＨ信号の送受信を行わないように構成されるセルであって、ＣＳＩ報告及びＳＲＳ送信も中断される。
【０１４９】
２．３  ＣＡ環境に基づくＣｏＭＰ動作
以下では、本発明の実施形態に適用可能な協調マルチポイント（協力的多重ポイント）（ＣｏＭＰ：Cooperative Multi-Point）伝送動作について説明する。
【０１５０】
ＬＴＥ−ＡシステムにおいてＬＴＥにおけるＣＡ（Carrier Aggregation）機能を用いてＣｏＭＰ伝送を具現することができる。図９は、ＣＡ環境で動作するＣｏＭＰシステムの概念図である。
【０１５１】
図９において、Ｐセルとして動作するキャリアとＳセルとして動作するキャリアとは周波数軸上の同じ周波数帯域を使うことができ、地理的に離れた二つのｅＮＢにそれぞれ割り当てられた場合を仮定する。この際、ＵＥ１のサービングｅＮＢをＰセルとして割り当て、多くの干渉を与える隣接セルをＳセルとして割り当てることができる。すなわち、一つの端末に対してＰセルの基地局とＳセルの基地局とが互いにＪＴ（Joint Transmission）、ＣＳ／ＣＢ及び動的セル選択（Dynamic cell selection）などの多様なＤＬ／ＵＬ  ＣｏＭＰ動作を実行することができる。
【０１５２】
図９は、一つの端末（例えば、ＵＥ１）に対して二つのｅＮＢが管理するセルをそれぞれＰセル及びＳセルとして集約する場合に対する例を示す。ただし、他の例として３個以上のセルが集約することができる。例えば、三つ以上のセルの一部のセルは同じ周波数帯域で一つの端末に対してＣｏＭＰ動作を実行し、他のセルは他の周波数帯域で単純（simple）ＣＡ動作を実行するように構成されることも可能である。この際、Ｐセルは必ずしもＣｏＭＰ動作に参加する必要はない。
【０１５３】
２．４  参照信号（ＲＳ：Reference Signal）
以下では、本発明の実施例で使用可能な参照信号について説明する。
【０１５４】
図１０は、本発明の実施例で使用可能なセル固有参照信号（ＣＲＳ：Cell specific Reference Signal）が割り当てられたサブフレームの一例を示す図である。
【０１５５】
図１０は、システムで４個のアンテナをサポートする場合におけるＣＲＳの割当て構造を示す。３ＧＰＰ  ＬＴＥ／ＬＴＥ−ＡシステムにおいてＣＲＳはデコーディング及びチャネル状態測定の目的で使われる。したがって、ＣＲＳはＰＤＳＣＨ伝送をサポートするセル（cell）内の全ての下りリンクサブフレームで全下りリンク帯域幅にわたって送信され、基地局（ｅＮＢ）に構成された全てのアンテナポートから送信される。
【０１５６】
具体的には、ＣＲＳシーケンスはスロットｎsでアンテナポートｐのための参照シンボルとして使われる複素変調シンボル（complex-valued modulation symbols）にマッピングされる。
【０１５７】
ＵＥはＣＲＳを用いてＣＳＩを測定することができ、ＣＲＳを用いてＣＲＳを含むサブフレームでＰＤＳＣＨを介して受信した下りリンクデータ信号をデコードすることができる。すなわち、ｅＮＢは全てのＲＢにおいて各ＲＢ内の一定位置でＣＲＳを送信し、ＵＥは上記ＣＲＳに基づいてチャネル推定を実行した後にＰＤＳＣＨを検出した。例えば、ＵＥはＣＲＳ  ＲＥで受信した信号を測定する。ＵＥはＣＲＳ  ＲＥ別受信エネルギとＰＤＳＣＨがマッピングされたＲＥ別受信エネルギとの比を用いてＰＤＳＣＨがマッピングされたＲＥからＰＤＳＣＨ信号を検出することができる。
【０１５８】
このように、ＣＲＳに基づいてＰＤＳＣＨ信号が送信される場合、ｅＮＢは全てのＲＢに対してＣＲＳを送信しなければならないため、不必要なＲＳオーバーヘッドが発生することになる。このような問題点を解決するために、３ＧＰＰ  ＬＴＥ−ＡシステムではＣＲＳの外にＵＥ固有ＲＳ（以下、ＵＥ−ＲＳ）及びチャネル状態情報参照信号（ＣＳＩ−ＲＳ：Channel State Information Reference Signal）をさらに定義する。ＵＥ−ＲＳは復調のために使われ、ＣＳＩ−ＲＳはチャネル状態情報を獲得（導出）するために（derive）使われる。
【０１５９】
ＵＥ−ＲＳ及びＣＲＳは復調のために使われるので、用途の側面で復調用ＲＳであると言える。すなわち、ＵＥ−ＲＳはＤＭ−ＲＳ（DeModulation Reference  Signal）の一種と見なすことができる。また、ＣＳＩ−ＲＳ及びＣＲＳはチャネル測定あるいはチャネル推定に使われるので、用途の側面ではチャネル状態測定用ＲＳであると言える。
【０１６０】
図１１は本発明の実施例で使用可能なＣＳＩ−ＲＳがアンテナポートの個数によって割り当てられたサブフレームの一例を示す図である。
【０１６１】
ＣＳＩ−ＲＳは復調の目的ではなく無線チャネルの状態測定のために３ＧＰＰ  ＬＴＥ−Ａシステムで導入した下りリンク参照信号である。３ＧＰＰ  ＬＴＥ−ＡシステムはＣＳＩ−ＲＳ伝送のために複数のＣＳＩ−ＲＳ設定を定義している。ＣＳＩ−ＲＳ伝送が構成されたサブフレームでＣＳＩ−ＲＳシーケンスはアンテナポートｐ上の参照シンボルとして使われる複素変調シンボルによってマッピングされる。
【０１６２】
図１１（ａ）はＣＳＩ−ＲＳ構成の中で２個のＣＳＩ−ＲＳポートによるＣＳＩ−ＲＳ伝送に利用可能な２０種のＣＳＩ−ＲＳ構成０〜１９を示したものであり、図１１（ｂ）はＣＳＩ−ＲＳ構成の中で４個のＣＳＩ−ＲＳポートによって利用可能な１０種のＣＳＩ−ＲＳ構成０〜９を示したものであり、図１１（ｃ）はＣＳＩ−ＲＳ構成の中で８個のＣＳＩ−ＲＳポートによって利用可能な５種のＣＳＩ−ＲＳ構成０〜４を示したものである。
【０１６３】
ここで、ＣＳＩ−ＲＳポートはＣＳＩ−ＲＳ伝送のために設定されたアンテナポートを意味する。ＣＳＩ−ＲＳポートの個数によってＣＳＩ−ＲＳ構成が変わるので、ＣＳＩ−ＲＳ伝送のために構成されたアンテナポートの個数が異なる場合、同じＣＳＩ−ＲＳ構成番号が異なるＣＳＩ−ＲＳ構成に対応することがある（ＣＳＩ−ＲＳ構成番号が違うと言ってもＣＳＩ−ＲＳ伝送のために構成されたアンテナポートの個数が違えば違うＣＳＩ−ＲＳ構成となる）（if the numbers of antenna ports configured for CSI-RS transmission differ, the same CSI-RS configuration number may correspond to different CSI-RS configurations）。
【０１６４】
一方、ＣＳＩ−ＲＳはサブフレームごとに送信されるように構成されたＣＲＳとは違い（異なり）、複数のサブフレームに相当する所定の伝送周期ごとに送信されるように設定される。したがって、ＣＳＩ−ＲＳ構成はリソースブロック対内でＣＳＩ−ＲＳが占有するＲＥの位置だけではなくＣＳＩ−ＲＳが設定されるサブフレームによっても変わる。
【０１６５】
また、ＣＳＩ−ＲＳ構成番号が同じであってもＣＳＩ−ＲＳ伝送のためのサブフレームが違えばＣＳＩ−ＲＳ構成も違うと言える。例えば、ＣＳＩ−ＲＳ伝送周期（ＴCSI-RS）が違うかあるいは一無線フレーム内でＣＳＩ−ＲＳ伝送が構成された最初のサブフレーム（ΔCSI-RS）が違えばＣＳＩ−ＲＳ構成が違うと言える。
【０１６６】
以下では、（１）ＣＳＩ−ＲＳ構成番号が付与されたＣＳＩ−ＲＳ構成と、（２）ＣＳＩ−ＲＳ構成番号、ＣＳＩ−ＲＳポートの個数及び／又はＣＳＩ−ＲＳが構成されたサブフレームによって変わるＣＳＩ−ＲＳ構成と、を区別（区分）する（distinguish）ために、後者（２）の構成をＣＳＩ−ＲＳリソース構成（CSI-RS resource configuration）という。前者（１）の設定はＣＳＩ−ＲＳ構成又はＣＳＩ−ＲＳパターンともいう。
【０１６７】
ｅＮＢは、ＵＥにＣＳＩ−ＲＳリソース構成を知らせるとき、ＣＳＩ−ＲＳの伝送のために使われるアンテナポートの個数、ＣＳＩ−ＲＳパターン、ＣＳＩ−ＲＳサブフレーム構成（CSI-RS subframe configuration）ＩCSI-RS、ＣＳＩフィードバックのための参照ＰＤＳＣＨ伝送電力に関するＵＥ仮定（UE assumption on reference PDSCH transmitted power for CSI feedback）Ｐc、ゼロパワーＣＳＩ−ＲＳ構成リスト、ゼロパワーＣＳＩ−ＲＳサブフレーム構成などに関する情報を知らせることができる。
【０１６８】
ＣＳＩ−ＲＳサブフレーム構成インデックスＩCSI-RSはＣＳＩ−ＲＳの存在（occurrence）に対するサブフレーム構成周期ＴCSI-RS及びサブフレームオフセットΔCSI-RSを特定するための情報である。次の表４はＴCSI-RS及びΔCSI-RSによるＣＳＩ−ＲＳサブフレーム構成インデックスＩCSI-RSを例示したものである。
【０１６９】
＜表６＞
【表６】
2018201236.tif 000037
【０１７０】
この際、次の数式３を満たすサブフレームがＣＳＩ−ＲＳを含むサブフレームとなる。
【０１７１】
＜数式３＞
【数３】
2018201236.tif 000038
【０１７２】
３ＧＰＰ  ＬＴＥ−Ａシステム以後に定義された伝送モード（例えば、伝送モード９あるいはその他に新たに定義される伝送モード）に設定されたＵＥはＣＳＩ−ＲＳを用いてチャネル測定を実行し、ＵＥ−ＲＳを用いてＰＤＳＣＨを復号することができる。
【０１７３】
３ＧＰＰ  ＬＴＥ−Ａシステム以後に定義された伝送モード（例えば、伝送モード９あるいはその他の新たに定義される伝送モード）に設定されたＵＥはＣＳＩ−ＲＳを用いてチャネル測定を実行し、ＵＥ−ＲＳを用いてＰＤＳＣＨを復号することができる。
【０１７４】
２．５  Ｅｎｈａｎｃｅｄ  ＰＤＣＣＨ（ＥＰＤＣＣＨ）
３ＧＰＰ  ＬＴＥ／ＬＴＥ−Ａシステムにおいて複数のコンポーネントキャリア（ＣＣ：Component Carrier＝（serving）cell）に対するアグリゲーション（結合）状態（状況）（aggregation status）でのクロスキャリアスケジューリング（ＣＣＳ：Cross Carrier Scheduling）動作を定義すると、一つのスケジューリングされるＣＣ（すなわち、ｓｃｈｅｄｕｌｅｄ  ＣＣ）は他の一つのスケジューリング（する）ＣＣ（すなわち、ｓｃｈｅｄｕｌｉｎｇ  ＣＣ）からのみＤＬ／ＵＬスケジューリングを受けることができるように（すなわち、該当ｓｃｈｅｄｕｌｅｄ  ＣＣに対するＤＬ／ＵＬ  ｇｒａｎｔ  ＰＤＣＣＨを受信することができるように）前もって設定できる。この際、スケジューリングＣＣは基本的に自体に対するＤＬ／ＵＬスケジューリングを実行することができる。言い換えれば、上記ＣＣＳ関係にあるスケジューリングする（scheduling）／スケジューリングされる（scheduled）ＣＣをスケジューリングするＰＤＣＣＨに対するサーチスペース（ＳＳ：Search Space）は全てのスケジューリングＣＣの制御チャネル領域に存在することができる。
【０１７５】
一方、ＬＴＥシステムにおいて、ＦＤＤ  ＤＬキャリア又はＴＤＤ  ＤＬサブフレームは各サブフレームの最初のｎ個（ｎ＜＝４）のＯＦＤＭシンボルを各種制御情報伝送のための物理チャネルであるＰＤＣＣＨ、ＰＨＩＣＨ及びＰＣＦＩＣＨなどの伝送に使い、残りのＯＦＤＭシンボルをＰＤＳＣＨ伝送に使うように構成される。この際、各サブフレームで制御チャネル伝送に使うＯＦＤＭシンボルの個数はＰＣＦＩＣＨなどの物理チャネルを介して動的にあるいはＲＲＣシグナリングを介した準静的な方式で端末に伝達されることができる。
【０１７６】
一方、ＬＴＥ／ＬＴＥ−Ａシステムにおいては、ＤＬ／ＵＬスケジューリング及び各種制御情報を送信するための物理チャネルであるＰＤＣＣＨは制限されたＯＦＤＭシンボルを介して送信されるなどの限界があるので、ＯＦＤＭシンボルを介して送信されてＰＤＳＣＨから分離されたＰＤＣＣＨのような制御チャネルの代わりにＦＤＭ／ＴＤＭ方式でＰＤＳＣＨともっと自由に多重化される拡張されたＰＤＣＣＨ（すなわち、Ｅ−ＰＤＣＣＨ）を導入することができる。図１２はＬＴＥ／ＬＴＥ−Ａシステムで使われるレガシＰＤＣＣＨ（Legacy PDCCH）、ＰＤＳＣＨ及びＥ−ＰＤＣＣＨが多重化される一例を示す図である。
【０１７７】
２．６  制限されたＣＳＩ測定
無線ネットワークでセル間に及ぶ干渉による影響を減らすために、ネットワークエンティティ間の協調（協力）動作を実行する（cooperate）ことができる。例えば、セルＡがデータを送信する特定のサブフレーム間にセルＡ以外の他のセルは共用制御情報のみを送信し、データは送信しないように制限することで、セルＡでデータを受信している使用者に対する干渉を最小にすることができる。
【０１７８】
このような方法によって、ネットワーク内でセル間協調によって特定の瞬間にデータを送信するセルを除いた残りのセルで最小限の共用制御情報のみを送信することによってセル間に及ぶ干渉の影響を減らすことができる。
【０１７９】
このために、上位層で二つのＣＳＩ測定サブフレーム集合ＣＣＳＩ、０及びＣＣＳＩ、１を設定する場合、端末はリソース制限測定（ＲＲＭ：Resource-Restricted Measurement）動作を実行することができる。この際、二つの測定サブフレーム集合に相当するＣＳＩ参照リソースは二つのサブフレーム集合の一つにのみ属すると仮定する。
【０１８０】
次の表７はＣＳＩサブフレーム集合（Subframe Set）を設定する上位層信号の一例を示す。
【０１８１】
＜表７＞
【表７】
2018201236.tif 000039
【０１８２】
表７はＣＳＩサブフレーム集合を設定するために送信されるＣＱＩ報告構成（ＣＱＩ−Ｒｅｐｏｒｔ  Ｃｏｆｉｇ）メッセージの一例を示す。この際、ＣＱＩ報告構成メッセージには、非周期的ＣＱＩ報告（ｃｑｉ−ＲｅｐｏｒｔＡｐｅｒｉｏｄｉｃ−ｒ１０）ＩＥ、ｎｏｍＰＤＳＣＨ−ＲＳ−ＥＰＲＥ−Ｏｆｆｓｅｔ  ＩＥ、周期的ＣＱＩ報告（ｃｑｉ−ＲｅｐｏｒｔＰｅｒｉｏｄｃｉ−ｒ１０）ＩＥ、ＰＭＩ−ＲＩレポート（ｐｍｉ−ＲＩ−Ｒｅｐｏｒｔ−ｒ９）ＩＥ及びＣＳＩサブフレームパターン構成（ｃｓｉ−ｓｕｂｆｒａｍｅＰａｔｔｅｒｎＣｏｎｆｉｇ）ＩＥが含まれることができる。この際、ＣＳＩサブフレームパターン構成ＩＥはサブフレーム集合別に測定サブフレームパターンを示すＣＳＩ測定サブフレーム集合１情報（ｃｓｉ−ＭｅａｓＳｕｂｆｒａｍｅＳｅｔ１）ＩＥ及びＣＳＩ測定サブフレーム集合２情報（ｃｓｉ−ＭｅａｓＳｕｂｆｒａｍｅＳｅｔ２）ＩＥを含む。
【０１８３】
ここで、ＣＳＩ測定サブフレーム集合１（ｃｓｉ−ＭｅａｓＳｕｂｆｒａｍｅＳｅｔ１−ｒ１０）情報要素（ＩＥ：Information Element）及びＣＳＩ測定サブフレーム集合２（ｃｓｉ−ＭｅａｓＳｕｂｆｒａｍｅＳｅｔ２−ｒ１０）ＩＥは４０ビットビットマップ情報として各サブフレーム集合に属するサブフレームについての情報を示す。また、非周期的ＣＱＩ報告（ＣＱＩ−ＲｅｐｏｒｔＡｐｅｒｉｏｄｉｃ−ｒ１０）ＩＥは端末に対する非周期的ＣＱＩ報告のための設定を実行するためのＩＥであり、周期的ＣＱＩ報告（ＣＱＩ−ＲｅｐｏｒｔＰｅｒｉｏｄｉｃ−ｒ１０）ＩＥは周期的ＣＱＩ報告のための設定を実行するＩＥである。
【０１８４】
ｎｏｍＰＤＳＣＨ−ＲＳ−ＥＰＲＥ−Ｏｆｆｓｅｔ  ＩＥは
2018201236.tif 000040
値を示す。この際、実際の値（Actual Value）は
2018201236.tif 000041
値＊２［ｄＢ］に設定される。また、ＰＭＩ−ＲＩレポートＩＥはＰＭＩ／ＩＲ報告が構成されるか否かを示す。ＥＵＴＲＡＮは伝送モードがＴＭ８、９又は１０に設定された場合にのみＰＭＩ−ＲＩレポートＩＥを構成する。
【０１８５】
３．  ＬＴＥ−Ｕシステム
３．１  ＬＴＥ−Ｕシステム構成
以下では、ライセンスバンド（Licensed Band）であるＬＴＥ−Ａ帯域とアンライセンスバンド（Unlicensed Band）とのキャリアアグリゲーション（搬送波結合）（ＣＡ）環境でデータを送受信する方法について説明する。本発明の実施形態において、ＬＴＥ−ＵシステムはこのようなライセンスバンドとアンライセンスバンドとのＣＡ状態をサポートするＬＴＥシステムを意味する。アンライセンスバンドはワイファイ（ＷｉＦｉ（登録商標））帯域又はブルートゥース（登録商標）（ＢＴ）帯域などを用いることができる。
【０１８６】
図１３はＬＴＥ−ＵシステムでサポートするＣＡ環境の一例を示す図である。
【０１８７】
以下では、説明の便宜のために、ＵＥが二つのコンポーネントキャリア（要素搬送波）（ＣＣ：Component Carrier）を用いてライセンスバンド（兔許帯域）及びアンライセンスバンド（非兔許帯域）のそれぞれで無線通信を行うように設定された状況を仮定する。もちろん、ＵＥに三つ以上のＣＣが構成された場合にも以下で説明する方法を適用することができる。
【０１８８】
本発明の実施形態において、ライセンスバンドの搬送波（ＬＣＣ：Licensed CC）はプライマリコンポーネントキャリア（主要素搬送波）（Primary CC：ＰＣＣ又はＰセルと呼ぶことができる）であり、アンライセンスバンドの搬送波（Unlicensed CC：ＵＣＣ）はセカンダリコンポーネントキャリア（副要素搬送波）（Secondary CC：ＳＣＣ又はＳセルと呼ぶことができる）である場合を仮定する。ただし、本発明の実施形態は複数のライセンスバンドと複数のアンライセンスバンドとがキャリアアグリゲーション方式で用いられる状況にも拡張して適用することができる。また、本発明の提案方式は３ＧＰＰ  ＬＴＥシステムだけでなく他の特性のシステムにも拡張して適用可能である。
【０１８９】
図１３は、一つの基地局でライセンスバンド及びアンライセンスバンドを共にサポートする場合を示した。すなわち、端末はライセンスバンドであるＰＣＣを介して制御情報及びデータを送受信することができ、またアンライセンスバンドであるＳＣＣを介して制御情報及びデータを送受信することができる。しかし、図１３に示した状況は一例であり、一つの端末が複数の基地局と接続するＣＡ環境にも本発明の実施形態を適用することができる。
【０１９０】
例えば、端末はマクロ基地局（Ｍ−ｅＮＢ：Macro eNB）とＰセルを構成し、スモール基地局（Ｓ−ｅＮＢ：Small eNB）とＳセルを構成することができる。この際、マクロ基地局とスモール基地局とはバックホール網を介して接続されてもよい。
【０１９１】
本発明の実施形態において、アンライセンスバンドはコンテンションに基づくランダムアクセス（任意接続）（random access）方式で動作することができる。この際、アンライセンスバンドをサポートするｅＮＢはデータ送受信前にまずキャリアセンシング（ＣＳ：Carrier Sensing）過程を実行することができる。ＣＳ過程は該当帯域が他のエンティティによって占有されているかを判断する過程である。
【０１９２】
例えば、Ｓセルの基地局（ｅＮＢ）は現在チャネルを使っているビジー（busy）状態であるか、又は使っていないアイドル（idle）状態であるかをチェックする。該当帯域がアイドル状態であると判断されれば、基地局は、クロスキャリアスケジューリング方式の場合、Ｐセルの（Ｅ）ＰＤＣＣＨを介して、又はセルフスケジューリング方式の場合、ＳセルのＰＤＣＣＨを介してスケジューリンググラント（scheduling grant）を端末に送信してリソースを割り当て、データ送受信を試みることができる。
【０１９３】
ＣＳ過程はＬＢＴ（Listen Before Talk）過程と同一にあるいは類似して実行されることができる。ＬＢＴ過程は、Ｐセルの基地局がＵセル（アンライセンスバンドで動作するセル）の現在の状態がビジー状態であるか又はアイドル状態であるかをチェックする過程である。例えば、既に設定された又は上位層信号によって設定されたＣＣＡ（Clear Channel Assessment）閾値が存在する場合、Ｕセルで該当ＣＣＡ閾値より高いエネルギが検出されればビジー状態であると判断され、そうでなければアイドル状態であると判断される。Ｕセルがアイドル状態であると判断される場合、Ｐセルの基地局はＰセルの（Ｅ）ＰＤＣＣＨを介して又はＵセルのＰＤＣＣＨを介してスケジューリンググラント（すなわち、ＤＣＩなど）を送信してＵセルに対するリソースをスケジューリングし、Ｕセルを介してデータ送受信を実行することができる。
【０１９４】
この際、基地局はＭ個の連続したサブフレームで構成された伝送（送信）機会（ＴｘＯＰ：Transmission OPportunity）区間を設定することができる。ここで、Ｍ値及びＭ個のサブフレームの用途を前もって基地局が端末にＰセルを介した上位層シグナリングによって、あるいは物理制御チャネル又は物理データチャネルを介して知らせることができる。Ｍ個のサブフレームで構成されたＴｘＯＰ区間は予約されたリソース区間（ＲＲＰ：Reserved Resource Period）と呼ぶことができる。
【０１９５】
３．２  ＴｘＯＰ区間
基地局はＴｘＯＰ区間の間に一つの端末とデータを送受信することもでき、複数（多く）の（a plurality of）端末にそれぞれＮ個の連続したサブフレームで構成されたＴｘＯＰ区間を設定し、ＴＤＭ又はＦＤＭ方式でデータを送受信することもできる。この際、基地局はＴｘＯＰ区間の間にライセンスバンドであるＰセル及びアンライセンスバンドであるＳセルを介してデータを送受信することができる。
【０１９６】
ただし、基地局がライセンスバンドであるＬＴＥ−Ａシステムのサブフレーム境界（subframe boundary）に合わせてデータ伝送を行えば、アンライセンスバンドであるＳセルのアイドル判断時点と実際のデータ伝送時点との間にタイミングギャップ（timing gap）が存在し得る。特に、Ｓセルは該当基地局及び端末が独占的に使えないアンライセンスバンドで、ＣＳに基づくコンテンションによって用いなければならないので、このようなタイミングギャップの間に他のシステムが情報伝送を試みることもできる。
【０１９７】
したがって、基地局はＳセルでタイミングギャップの間に他のシステムが情報伝送を試みることを防止するために予約信号（reservation signal）を送信することもできる。ここで、予約信号はＳセルの該当リソース領域を自体のリソースとして予約しておくために送信する一種の“ｄｕｍｍｙ情報”あるいは“ＰＤＳＣＨの一部に対するコピー（複写本）（copy）”を意味する。予約信号はタイミングギャップ（すなわち、Ｓセルのアイドル判断時点以後から実際の伝送時点まで）の間に送信されることができる。
【０１９８】
３．３  ＴｘＯＰ区間設定方法
図１４は、ＴｘＯＰ区間を設定する方法の一つを示す図である。
【０１９９】
基地局はＰセルを介してＴｘＯＰ区間を前もって準静的な方式で設定することができる。例えば、基地局は上位層信号（例えば、ＲＲＣ信号）によってＴｘＯＰ区間を構成するサブフレームの個数Ｎの値と該当ＴｘＯＰ区間の用途についての構成情報とを端末に送信することができる（Ｓ１４１０）。
【０２００】
ただし、システム構成によって段階Ｓ１４１０は動的に実行されることができる。このような場合、基地局はＴｘＯＰ区間についての構成情報をＰＤＣＣＨ又はＥ−ＰＤＣＣＨを介して端末に送信することができる。
【０２０１】
Ｓセルではキャリアセンシング（ＣＳ）過程を行って現在のチャネル状態がアイドル状態であるか又ははビジー状態であるかをチェックすることができる（Ｓ１４２０）。
【０２０２】
ＰセルとＳセルとは互いに異なる基地局又は互いに同一である基地局が管理することができる。ただし、互いに異なる基地局が管理する場合には、バックホールを介してＳセルのチャネル状態についての情報がＰセルに伝達されることができる（Ｓ１４３０）。
【０２０３】
その後、ＴｘＯＰ区間に設定されたサブフレームで端末はＰセル及びＳセルを介してデータを送受信することができる。段階Ｓ１４１０で該当ＴｘＯＰの用途が下りリンクデータ伝送用に設定された場合、端末はＴｘＯＰ区間でＳセルを介してＤＬデータを受信することができ、ＴｘＯＰの用途が上りリンクデータ伝送用に設定された場合、端末はＳセルを介してＵＬデータを送信することができる（Ｓ１４４０）。
【０２０４】
本発明の実施例において、ＴｘＯＰ区間はＤＬ伝送バースト（DL Tx burst）、ＤＬバースト又はＲＲＰ区間と同一の意味として使える。ただし、ＤＬバースト又はＤＬ伝送バーストなどはチャネル占有のための予約信号を伝送する区間も含むことができる。
【０２０５】
４．  部分サブフレーム構成及びスケジューリング方法
本発明の実施例はアンライセンスバンドで動作するＬＴＥ−Ａシステムに関するものである。本発明の実施例において、このようなシステムをＬＡＡ（Licensed Assisted Access）システムと呼ぶことにする。すなわち、ＬＡＡシステムではＬＴＥ／ＬＴＥ−Ａに対する基本的な動作をそのまま実行するとともにアンライセンスバンドでＬＴＥ端末とデータ送受信を行う方法を提供する。
【０２０６】
アンライセンスバンドでコンテンションに基づくアクセス（接続）方式で共存するＷｉＦｉ（登録商標）システム又は相互運用（インターオペレート）（inter-operate）システムを考慮すると、Ｓセルのサブフレーム（ＳＦ：SubFrame）がＰセルのサブフレーム（ＳＦ）の境界に合わせて伝送の開始を許せば、ＬＴＥ−Ａシステムが他のシステムに過度にチャネル占有を譲歩することになることができる。したがって、ＬＡＡシステムでは、従来ＬＴＥ−Ａシステムとは違い、ＳＦ境界ではない時点で信号伝送の開始又は終了を許すことができる。この際、連続する信号伝送区間をデータバースト（Data Burst）として定義することができる。データバーストは上述したＴｘＯＰ、ＲＲＰなどと同一の意味として使われることができる。
【０２０７】
以下では、ＳＦ境界ではない時点で信号伝送を開始するかあるいはＳＦ境界以前の時点で信号伝送が終了する場合、一つのサブフレーム（例えば、１ｍｓ）より小さい単位の部分ＳＦ（ｐＳＦ：partial SF）を構成する方法について説明する。
【０２０８】
４．１  クロスキャリアスケジューリング
ＬＴＥ−Ａシステムのキャリアアグリゲーション（ＣＡ）状態でセカンダリセル（secondary cell）をスケジューリングする方法は大別して二つに区分する（分ける）ことができる。一つは特定のセルで他のセルに対してスケジューリングを行うクロスキャリアスケジューリング（cross-carrier scheduling）方法であり、他の一つは該当セルで直接スケジューリングするセルフスケジューリング（self-scheduling）方法である。以下では、クロスキャリアスケジューリング方法によるｐＳＦ設定方法及びこれによるＰＤＣＣＨ伝送及び動作方法について説明する。
【０２０９】
図１５は、部分サブフレームの一例を説明する図である。
【０２１０】
図１５で、Ｕセル（ＵＣｅｌｌ）は、ＰセルのＳＦ  ＃Ｎに対応する時点からキャリアセンシング過程（又は、ＣＣＡ過程、ＬＢＴ過程）を実行するためのバックオフ（backoff）を始めて、ＳＦ  ＃Ｎ＋１の中間時点で予約信号（reservation signal）の伝送を開始し、前もって決定された時点からプリアンブル及び／又はＰＤＳＣＨ伝送を開始する場合を示す。
【０２１１】
この際、本発明の実施例において、Ｕセル上のＳＦ  ＃Ｎ＋１の時点のｐＳＦに対するスケジューリングをＰセル上のＳＦ  ＃Ｎ＋２の時点で実行することができる。このように、ｐＳＦ開始時点より遅くクロスキャリアスケジューリングを行うことをポストスケジューリング（post-scheduling）と呼ぶことができる。また、ｐＳＦ開始時点に先立ってＳＦ  ＃Ｎ＋１の時点でクロスキャリアスケジューリングを行うことをプレスケジューリング（pre-scheduling）と呼ぶことができる。
【０２１２】
本発明の実施例において、説明の便宜上、ＰセルのＳＦ  ＃Ｎと対応するＵセルのＳＦをＰセルのＳＦ番号と同一にＳＦ  ＃Ｎと呼ぶことにする。また、図１５を含めた他の図面でＴｘＯＰ区間（又は、ＲＲＰ区間、ＤＬバースト区間）の大きさは４ＳＦ（すなわち、４ｍｓ）で構成されることを仮定して説明する。もちろん、このようなＴｘＯＰ区間の大きさはチャネル環境及び／又はシステム要求事項によって可変な（可変することができる）（variable）値である。
【０２１３】
以下では、プレスケジューリングを行う条件について説明する。
【０２１４】
４．１．１  プレスケジューリング条件
（Ａ−１ａ）プレスケジューリングを行う一番簡単な方法として、ＳＦ  ＃Ｎ＋１開始直前のＵセル上ＣＣＡの結果にかかわらず、基地局又は端末の送信すべきデータが存在すれば、いつもプレスケジューリングが実行されることができる。しかし、チャネルがビジー（busy）であってＰＤＣＣＨを送信したＳＦで信号を送信することができない場合が発生すれば、該当ＰＤＣＣＨリソースが浪費されることができる。したがって、ｅＮＢが送信すべきデータがあっても該当ＳＦの間にデータを送信することができる確率が高いときに限ってＰＤＣＣＨを送信することが好ましく、以下ではこのような条件について説明する。
【０２１５】
（Ａ−１ｂ）ＳＦ  ＃Ｎ＋１開始直前のＣＣＡの結果がアイドル（遊休）状態の場合にのみプレスケジューリングが実行されるように許されることができる。
【０２１６】
アンライセンスバンドにおいて共存するシステムの特性上、特定の送信端がチャネルを占有すれば、よほど長い時間の間に連続して占有することができる。したがって、ＳＦ  ＃Ｎ＋１開始直前のＣＣＡの結果がビジーであれば、基地局は該当ＳＦの間に続けて信号を送信することができないこともある。ＳＦ  ＃Ｎ＋１の間にチャネルがずっとビジーであってＵセルで信号を送信することができなかったとすれば、ＳＦ  ＃Ｎ＋１でプレスケジューリングによるＰＤＣＣＨリソースは浪費されることができる。したがって、これを防止するために、ＳＦ  ＃Ｎ＋１開始直前のＣＣＡの結果がアイドル状態の場合にのみ基地局がプレスケジューリングを実行するように許されることができる。
【０２１７】
ＳＦ  ＃Ｎ＋１開始直前のＣＣＡの結果がビジー状態であれば、該当ＳＦの間に基地局はＣＳを実行しないこともできる。若しくは、ＳＦ  ＃Ｎ＋１直前にビジーであったがＣＳを実行してからＳＦ  ＃Ｎ＋１の中間のアイドル区間によってバックオフ動作が終わったときは、基地局はＳＦを始めることができないから、予約信号を送信しなければならない。
【０２１８】
（Ａ−１ｃ）ＳＦ  ＃Ｎ＋１開始直前のＣＣＡの結果がアイドル状態でありながらＳＦ  ＃Ｎ＋１の間にバックオフ動作が終わることができるときにのみプレスケジューリングを実行するように許すことができる。
【０２１９】
例えば、基地局がバックオフを行う場合、バックオフカウント値が‘Ｎ’であり、該当バックオフカウント値が‘０’になるまで必要な時間がＴ３ｍｓであると仮定する。Ｔ３ｍｓが１ｍｓより大きい値であれば、基地局はＳＦ  ＃Ｎ＋１の間にずっとチャネルがアイドル状態であるとしてもＳＦ伝送を始めることができないであろう。
【０２２０】
したがって、基地局はＳＦ  ＃Ｎ＋１開始直前のＣＣＡの結果がアイドル状態でありながらＴ３＜＝Ｘの条件を満たすとき、プレスケジューリングを実行するように構成されることができる。この際、Ｘ＝１ｍｓであればＳＦ  ＃Ｎ＋１がいつもアイドル状態である場合を仮定してプレスケジューリングを行うものである。
【０２２１】
ＳＦ  ＃Ｎ＋１開始直前のＣＣＡの結果がビジー状態であるかＴ３＞Ｘであれば、基地局は該当ＳＦではプレスケジューリングを実行しない。条件（Ａ−１ｂ）で記述したように、ＳＦ  ＃Ｎ＋１開始直前のＣＣＡの結果がビジー状態であれば、基地局は該当ＳＦの間にＣＳ及びバックオフ動作を実行しないこともできる。
【０２２２】
若しくは、基地局は、ＳＦ  ＃Ｎ＋１の直前にＵセルがビジー状態であったがＣＳを実行してから（during CS）ＳＦ  ＃Ｎ＋１の中間のアイドル区間によってバックオフ動作が終わったときには、ＳＦを始めることができないので、予約信号を送信することが好ましい。
【０２２３】
（Ａ−１ｄ）基地局はＳＦ  ＃Ｎ＋１開始直前のＣＣＡの結果にかかわらず、ＳＦ  ＃Ｎ＋１の間にバックオフ動作が終わることができる場合にのみプレスケジューリングが許されることができる。例えば、基地局は、条件（Ａ−１ｃ）と同様に、Ｔ３＜＝Ｘの条件を満たせばプレスケジューリングを実行することができる。一方、Ｔ３＞Ｘであれば、基地局は該当ＳＦではプレスケジューリングを実行しない。
【０２２４】
（Ａ−１ｅ）基地局はＳＦ  ＃Ｎ＋１開始直前のＣＣＡの結果がビジー状態であるとしても現在伝送中のノード（例えば、送信端）の伝送がいつ終わるかが分かれば、これを考慮してプレスケジューリングを実行することができる。
【０２２５】
例えば、図１６のように現在伝送中の送信端がＷｉＦｉ（登録商標）  ＡＰであり、ＰセルでＷｉＦｉ（登録商標）信号を受信することができると仮定する。図１６はアンライセンスバンドでＷｉＦｉ（登録商標）  ＡＰが無線チャネルを占有する場合、基地局がプレスケジューリングを実行するための条件の一つを説明する図である。
【０２２６】
図１６において、基地局がＷｉＦｉ（登録商標）信号をデコードすることができれば、Ｐセルの基地局は現在伝送中のＷｉＦｉ（登録商標）データがＳＦ  ＃Ｎ＋１の始めからＹｍｓ（０＜Ｙ＜１ｍｓ）後に終わることが分かる。このとき、バックオフカウント値が０になるまで必要な時間がＴ３ｍｓであると仮定すれば、基地局はＹ＋Ｔ３＜Ｘの条件を満たす場合に限り、プレスケジューリングを実行することができる。
【０２２７】
上述した（Ａ−１ａ）、（Ａ−１ｄ）の条件は、Ｕセルで他のシステム又は伝送端によってデータが伝送されつつあるＳＦでも適用することができる。例えば、図１７において、ＳＦ  ＃Ｎ＋４のように一つのＳＦ内に二つのｐＳＦが存在することができるからである。図１７はｐＳＦを説明する図の一つである。
【０２２８】
また、条件（Ａ１−ｄ）の場合、基地局は、以前のＴｘＯＰ区間の間にＳＦ  ＃Ｎ＋４のｐＳＦで伝送が終わる場合、該当ＳＦ  ＃Ｎ＋４の間にバックオフ動作が完了することができるときにだけプレスケジューリングを実行するように許されることができる。
【０２２９】
４．１．２  Ａ／Ｎ伝送方法
以下では、プレスケジューリングのときの受信確認信号（例えば、ＡＣＫ、ＮＡＣＫ信号）の伝送方法について説明する。例えば、図１５のようにＳＦ  ＃Ｎ＋１の時点でｅＮＢがＵセルに予約信号（及び／又はプリアンブル）及びＰＤＳＣＨを送信した場合を仮定する。
【０２３０】
ＵＥがＰセルからＰＤＣＣＨは成功裏に受信したが、Ｕセルでプリアンブル及び／又はＰＤＳＣＨ上の参照信号（ＲＳ：Reference Signal）の検出に失敗した場合、端末は該当ＳＦでＵセルのチャネルがビジーであって送信された信号がないと判断することができる。したがって、端末はＰＤＳＣＨデコーディングを試みず該当ＳＦに対するバッファリングを実行しないことができる。
【０２３１】
ＬＴＥ−ＡシステムのＣＡ状態で、端末がＰＤＣＣＨデコーディングに失敗するか、ＰＤＣＣＨデコーディングは成功したがＰＤＳＣＨデコーディングに失敗して該当ＰＤＳＣＨをバッファに保存する二つの動作のみが存在した。端末は、前者の場合にＤＴＸ信号を、後者の場合にＮＡＣＫ信号をＡＣＫ／ＮＡＣＫリソースで送信することができた。この際、ＤＴＸはＡＣＫ／ＮＡＣＫを送信しないことを意味するかあるいはＡＣＫ／ＮＡＣＫ伝送における特定の状態（state）を意味する。
【０２３２】
言い替えれば、ＵＥがＡＣＫ／ＮＡＣＫを送信しないというのは、ｅＮＢがＵセル上で送信すべきデータがないとき、ＵＥのＡＣＫ／ＮＡＣＫ動作と同一であることを意味する。しかし、ＬＡＡ環境では、端末がＰＤＣＣＨは成功裏に受信したが、正常に受信することができなかったＰＤＳＣＨをバッファにも保存しない新しい状態に対する考慮がさらに必要である。以下では、このような新しい状態に対する定義方法について説明する。
【０２３３】
（Ａ−２ａ）端末がＰＤＣＣＨは成功裏に受信したが、プリアンブル（及び／又はＰＤＳＣＨ上のＲＳ）検出に失敗した場合とプリアンブル（及び／又はＰＤＳＣＨ上のＲＳ）検出に成功したがＰＤＳＣＨデコーディングに失敗した場合、端末はＮＡＣＫ状態又はＤＴＸ状態であると見なすことができる。これについて後述の（Ａ−２ｂ）〜（Ａ−２ｅ）でより詳細に説明する。
【０２３４】
（Ａ−２ｂ）端末がＰＤＣＣＨは成功裏に受信したが、プリアンブル（及び／又はＰＤＳＣＨ上のＲＳ）検出に失敗した場合、端末はＮＡＣＫ信号を送信するように設定することができる。この場合、ｅＮＢは該当端末が少なくともＰＤＣＣＨは成功裏に受信したことが分かるが、関連のＰＤＳＣＨをＵＥがバッファに保存したかは明らかに分からない。
【０２３５】
（Ａ−２ｃ）端末がＰＤＣＣＨは成功裏に受信したが、プリアンブル（及び／又はＰＤＳＣＨ上のＲＳ）検出に失敗した場合、端末はＤＴＸ信号を送信するように設定することができる。この場合、ｅＮＢはＵＥに関連したＰＤＳＣＨをバッファに保存しなかったことが明らかに分かる。
【０２３６】
また、ｅＮＢがプレスケジューリングを実行したがチャネルがビジーであって該当ＳＦでデータを送信しなかった場合にもＵＥはＡＣＫ／ＮＡＣＫ伝送を実行しないように構成されることができる。
【０２３７】
このような場合、実際にＵセル上にＳＦを構成しなかったプレスケジューリングによるＡＣＫ／ＮＡＣＫオーバーヘッドを減らすことができる。しかし、基地局は、端末からＡ／Ｎ信号を受信することができなければ、ＰＤＣＣＨ検出失敗と誤認してＰＤＣＣＨ伝送電力を増加させるか、ＰＤＣＣＨアグリゲーションレベルを上げるなどの誤作動を実行するおそれがある。
【０２３８】
（Ａ−２ｄ）基地局がＰセルでクロスキャリアスケジューリングを行う場合、Ｐセル−ＰＤＣＣＨとＵセル−ＰＤＣＣＨとのアグリゲーションレベルが同一である場合を仮定する。ＵＥがＵセル−ＰＤＣＣＨを成功裏に受信したとすれば、従来ＬＴＥ−ＡのＣＡ状態で該当ＵＥはＵセル−ＰＤＣＣＨのＡＲＩ（Ａ／N Resource Indicator）を用いてＡＣＫ／ＮＡＣＫ伝送を試みる。
【０２３９】
端末がＵセル−ＰＤＣＣＨは成功裏に受信してもプリアンブル（及び／又はＰＤＳＣＨ上のＲＳ）検出に失敗した場合、端末はＡＲＩを使わずにＰＵＣＣＨフォーマット１ａ／１ｂでフォールバックを実行するように設定することができる。ｅＮＢは端末からＰＵＣＣＨフォーマット１ａ／１ｂを介してＡＣＫ／ＮＡＣＫを受信すれば、アグリゲーションレベルが同一であるのでＰセル−ＰＤＣＣＨとＵセル−ＰＤＣＣＨとの成功確率が類似しているという仮定の下に、端末がＵセル−ＰＤＣＣＨは成功裏に受信したがＵセルのプリアンブル（及び／又はＰＤＳＣＨ上のＲＳ）検出に成功することができなかったと暗黙（黙示）的に解釈することができる。
【０２４０】
（Ａ−２ｅ）端末がＰＤＣＣＨは成功裏に受信したがプリアンブル（及び／又はＰＤＳＣＨ上のＲＳ）検出に失敗した場合、Ａ／Ｎ信号伝送のとき、ＮＡＣＫ／ＤＴＸではない新しい状態を形成することにより、（Ａ−２ｂ）及び（Ａ−２ｃ）で指摘した曖昧さ（ambiguity）を解決することができる。
【０２４１】
例えば、端末がＰＤＣＣＨは成功裏に受信したがプリアンブル（及び／又はＰＤＳＣＨ上のＲＳ）検出に失敗した場合の状態をＤＴＸ２として定義することができる。この際、ＤＴＸ２状態をＬＴＥ−ＡシステムのＡＣＫ／ＮＡＣＫ／ＤＴＸ状態と区別するように定義し、端末が基地局にフィードバックすることができる。
【０２４２】
本実施例の一態様において、システム上でＤＴＸ２を含むチャネル選択伝送テーブル（channel selection transmission table）を新たに構成することができる。
【０２４３】
本実施例の他の態様において、システム上でＡＣＫ＝１１、ＮＡＣＫ＝１０、ＤＴＸ＝００、ＤＴＸ２＝０１に区分（を包括）して（inclusive of）各伝送ブロック（ＴＢ）別に２ビットのＡＣＫ／ＮＡＣＫ情報を構成することができる。
【０２４４】
このような方式のように新たに定義されたＤＴＸ２の状態によって、端末がプリアンブル（及び／又はＰＤＳＣＨ上のＲＳ）検出に失敗した場合をｅＮＢが認知することができるようになれば、ＤＴＸ２状態をフィードバックされたｅＮＢは次に送信すべきプリアンブル（及び／又はＰＤＳＣＨ上のＲＳ）の検出確率を高めるために伝送電力を高めることができる。
【０２４５】
４．１．３  プレスケジューリング法
プレスケジューリングの際、図１８のように基地局がＰセルを介してＳＦ  ＃Ｎ＋１の時点でＰＤＣＣＨを送信したが、ＳＦ  ＃Ｎ＋１の時点でバックオフ動作が完了しなくて基地局はＵセル上でＰＤＳＣＨを送信することができないことがあり得る。図１８はプレスケジューリング法の一つを説明する図である。
【０２４６】
このような場合、端末がＳＦ  ＃Ｎ＋１上でプリアンブル（及び／又はＰＤＳＣＨ上のＲＳ）検出を実行するに際して、プリアンブル（及び／又はＰＤＳＣＨ上のＲＳ）が存在しないが存在したと判断する間違った警報（false alarm）が発生し得る。これを防止するために、ＰＤＣＣＨを受信したＵＥはいつもプリアンブル（及び／又はＰＤＳＣＨ上のＲＳ）の存在の有無にかかわらず、該当サブフレームでＰＤＳＣＨに対するバッファリングを実行することができる。
【０２４７】
また、ｅＮＢはバックオフ動作が終わるまで同じＵＥにＰＤＣＣＨを複数（多数）回（a plurality of times）送信することができる。基地局が同じＵＥにＰＤＣＣＨを送信する度に新しいＰＤＳＣＨ（すなわち、新しいパケット）が送信されることを知らせるとすると、該当ＵＥはＰＤＣＣＨを受信する度にバッファリングを実行し、新しいパケットであることを認知すれば、既にバッファリングを実行したデータを削除（flushing）することができる。
【０２４８】
例えば、図１８を参照すると、端末がＳＦ  ＃Ｎ＋１でＰＤＳＣＨに対するバッファリングを実行したとしても、ＳＦ  ＃Ｎ＋２で新しいパケットを知らせるＰＤＣＣＨを受信し、さらに新しいＰＤＳＣＨ（すなわち、新しいパケット）を受信するはずであるので、端末はＳＦ  ＃Ｎ＋１でバッファリングしたデータを削除することができる。
【０２４９】
基地局がＳＦ  ＃Ｎ＋２で新しいパケットを送信する方法の一例として、ＳＦ  ＃Ｎ＋２で送信するＰＤＣＣＨに対してＳＦ  ＃Ｎ＋１のＰＤＣＣＨとＨＡＲＱプロセス番号（HARQ process number）を同様に構成し、ＮＤＩ（New Data Indicator）をトグル（toggle）させることができる。
【０２５０】
また、図１８のようにＳＦ  ＃Ｎ＋１の時点でＰＤＣＣＨを送信したが、バックオフ動作が終わらないため実際にｅＮＢがＵセル上でＰＤＳＣＨを送信することができないような場合、同じＵＥに同じＰＤＣＣＨを複数回送信するように構成することができる。
【０２５１】
以下では、このような場合にＰＤＣＣＨ上のリソースの浪費を解決するための方法について説明する。
【０２５２】
特定のＵＥにＰＤＣＣＨを一度送信すれば、該当ＳＦにＰＤＳＣＨを送信することができずに次のＳＦでＰＤＳＣＨを送信するとしてもＰＤＣＣＨは繰り返して送信しないことがあり得る。例えば、図１８を参照すると、ＳＦ  ＃Ｎ＋１で送信したＰＤＣＣＨはＳＦ  ＃Ｎ＋２では送信しないこともある。ＳＦ  ＃Ｎ＋１でＰＤＣＣＨを受信したＵＥは該当ＳＦ  ＃Ｎ＋１でＰＤＳＣＨを受信しなければ、ＳＦ  ＃Ｎ＋２でもＳＦ  ＃Ｎ＋１で受信したＰＤＣＣＨ情報を同様に活用することができる。ＳＦ  ＃Ｎ＋１で受信したＰＤＣＣＨ情報は該当ＵＥがＰＤＳＣＨを介してデータを受信するまでずっと有効なものと見なすことができる。
【０２５３】
若しくは、ｅＮＢは任意のＳＦ  ＃Ｎ＋ｋの時点で該当ＵＥにＳＦ  ＃Ｎ＋１のＰＤＣＣＨ情報の代わりをする新しいＰＤＣＣＨ情報を送信することができる。このとき、新しいＰＤＣＣＨ情報という事実はＤＣＩ情報（例えば、スクランブルシーケンス（scrambling sequence）、ＣＲＣマスク（CRC mask）、サーチスペース（search space）、及び／又は新しい指示子（インジケータ）（indicator）など）によって知らせることができる。
【０２５４】
若しくは、ＵＥは、ＳＦ  ＃Ｎ＋１で受信したＰＤＣＣＨが一定の条件を満たせば、有効ではないものであると判断することができる。例えば、一定のＴｉｍｅｒ値（Ｔ１）を上位層シグナリングによって設定し、ＳＦ  ＃Ｎ＋１で受信したＰＤＣＣＨはＳＦ  ＃Ｎ＋１＋Ｔ１の時点からは有効ではないものと見なすことができる。
【０２５５】
上述したＰＤＳＣＨに対するＡＣＫ／ＮＡＣＫタイミング及びリソース設定方法について提案する。端末がＳＦ  ＃Ｎ＋１の時点でＰＤＣＣＨを受信したとしても、該当ＰＤＣＣＨ上のスケジューリング情報が活用された時点（すなわち、実際のＰＤＳＣＨ伝送時点）はＳＦ  ＃Ｎ＋１ではないＳＦ  ＃Ｎ＋ｍであると仮定する。この際、ＡＣＫ／ＮＡＣＫ伝送タイミングはＳＦ  ＃Ｎ＋ｍの時点を基準に送信されるように規定することができる。例えば、ＦＤＤシステムではＳＦ  ＃Ｎ＋ｍ＋４の時点で端末がＡＣＫ／ＮＡＣＫ信号を基地局に送信することができる。このときのＡＣＫ／ＮＡＣＫ伝送リソースはＳＦ  ＃Ｎ＋１の時点のＰＤＣＣＨのＣＣＥインデックスによって設定されたリソースであってもよい。若しくは、端末は上位層シグナリングによって前もって決定されたリソースを活用してＳＦ  ＃Ｎ＋ｍ＋４の時点でＡＣＫ／ＮＡＣＫ信号を送信することもできる。
【０２５６】
４．１．４  ＰＤＳＣＨ開始点設定方法
以下では、クロスキャリアスケジューリングの場合、スケジューリングセルであるＵセルのＰＤＳＣＨ開始点設定について説明する。
【０２５７】
ＬＴＥ−Ａシステムにおいて（Ｅ）ＰＤＣＣＨに基づくクロスキャリアスケジューリングの場合、スケジューリングされるＵセルの開始時点はスケジューリングされるセルに設定されたＰＤＳＣＨ開始シンボルに従うように規定されることができる。この際、ＰＤＳＣＨ開始シンボルはＲＲＣシグナリングによって設定することができる。特に、部分サブフレーム（ｐＳＦ）のためのクロスキャリアスケジューリングの場合、特徴的に該当ＲＲＣシグナリングによるＰＤＳＣＨ開始シンボルは有効ではないものと見なすことができる。
【０２５８】
この際、ＰＤＳＣＨ開始時点はｐＳＦの開始位置によって決定されることができる。例えば、ＰＤＣＣＨ領域が上位層シグナリングによって二つのシンボルを含むように前もって設定されていれば、端末はｐＳＦの開始位置から２シンボル以後にＰＤＳＣＨが始まると見なすことができる。
【０２５９】
クロスキャリアスケジューリングがＥ−ＰＤＣＣＨを介して行われる場合、ｐＳＦの長さに合わせてＥ−ＰＤＣＣＨの開始シンボルが決定されることができる。例えば、上位層シグナリングによってＥ−ＰＤＣＣＨの開始シンボルが４番目のＯＦＤＭシンボルに設定されているとしても、スケジューリングされるセルであるＵセル上のｐＳＦの開始位置が７番目のＯＦＤＭシンボルの場合は、スケジューリングセルのＥ−ＰＤＣＣＨの開始シンボルを７番目のＯＦＤＭシンボルとして認識するようにすることができる。これにより、ＵＥは、スケジューリングセル上のバッファリングを実行するに当たり、Ｕセル上のｐＳＦ開始時点からバッファリングを実行するという利点がある。
【０２６０】
４．１．５  スケジューリング方式制限方法
先に４．１節で説明した方法において（すなわち、ｐＳＦに対してクロスキャリアスケジューリングを実行することにおいて）、プレスケジューリングはＵセル上で実際にどの時点でＣＣＡ動作（又はＣＳ動作、ＬＢＴ動作）が完了するかを予測することができないからＰＤＣＣＨの浪費の問題があり得、ポストスケジューリングはＵＥバッファリングの側面で問題があり得る。したがって、ＬＡＡシステムでは、ｐＳＦに対してクロスキャリアスケジューリングは許されず、セルフスケジューリングのみ許されるように構成されることができる。
【０２６１】
基地局がｐＳＦ伝送時点でクロスキャリアスケジューリングを実行しなければならなければ、該当ｐＳＦにＰＤＳＣＨは含まれないこともある。例えば、単にチャネルを占有するためのダミー信号（dummy signal）で該当ｐＳＦが構成されることができる。
【０２６２】
若しくは、ｐＳＦは同期（synchronization）、ＡＧＣ設定及び／又はセル識別（cell identification）の用途のためにのみ構成されることもできる。
【０２６３】
若しくは、端末にクロスキャリアスケジューリングが構成された場合、端末はｐＳＦを期待しないこともできる。この際、端末がｐＳＦを期待しないという意味は、端末が、Ｐセルを介してスケジューリングされるＵセルのＳＦがｐＳＦではなくて完全なＳＦであると仮定して該当ＳＦをデコードすることを意味する。
【０２６４】
このような場合、ｐＳＦは以下に後述するＰＳｔａｒｔの場合にのみ限定することができる。例えば、ＰＥｎｄの場合にはクロスキャリアスケジューリングを適用することができる。
【０２６５】
４．２  セルフスケジューリング
以下では、セルフスケジューリング方法について説明する。Ｕセルに構成されるｐＳＦに対するセルフスケジューリングはＰＤＣＣＨ及び／又はＥ−ＰＤＣＣＨを介して実行されることができる。以下で説明するセルフスケジューリング方式はＳＦ境界以前に始まるＰＳｔａｒｔ、及び完全なＳＦであるＦｕｌｌ  ＳＦ及び／又はＳＦ境界以前に終わるＰｅｎｄの両者に共に適用可能である。
【０２６６】
４．２．１  ＰＤＣＣＨを用いたセルフスケジューリング
ＵセルにおいてＰＤＣＣＨの開始時点はＣＣＡ過程（又は、ＣＳ過程、ＬＢＴ過程）を完了した後、プリアンブル伝送が終わる時点に設定することができる。若しくは、ＰＤＣＣＨの開始時点はセル固有ＲＳ（ＣＲＳ：Cell-specific RS）ポート０に対するシンボルの一つに設定することができる。図１９はセル固有ＲＳが配置される形態の一つを説明する図である。図１９を参照すると、ＣＲＳポート０が割り当てられるシンボルは１ｓｔ、５ｔｈ、８ｔｈ及び１２ｔｈシンボルである。よって、ＰＤＣＣＨが送信される時点はＣＳＲポート０が割り当てられるシンボルの一つに設定することができる。
【０２６７】
この際、ＰＤＣＣＨの時間軸上の長さは上位層シグナリングによって前もって決定された値であってもよい。
【０２６８】
若しくは、ＰＤＣＣＨの時間軸上の長さはｐＳＦの長さによって前もって決定された値であってもよい。例えば、ｐＳＦの長さが１スロット（one slot）の長さより長ければ２ＯＦＤＭシンボルの間にＰＤＣＣＨが送信され、一つのスロットの長さより短ければ１ＯＦＤＭシンボルの間に送信されることができる。
【０２６９】
従来ＬＴＥ−ＡシステムにおいてＰＤＣＣＨの開始時点はＰＣＦＩＣＨ値によって決定される。Ｕセルに対してＰＣＦＩＣＨが存在しなければ、上位層シグナリングによって前もって設定された値によってＰＤＣＣＨの開始時点が決定されることができる。例えば、ＰＤＣＣＨの開始時点が５番目のシンボル（1st slot、ｌ＝４）であり、ＰＤＣＣＨの長さが１シンボルに前もって設定されていれば、ＰＤＳＣＨの開始時点は６番目のシンボル（1st slot、ｌ＝５）と見なされることができる。
【０２７０】
若しくは、ＵＣｅｌｌにＰＣＦＩＣＨが存在すれば、ｐＳＦのためのＰＣＦＩＣＨ値は従来ＳＦのＰＣＦＩＣＨと解釈を異なるようにすることができる。例えば、ｐＳＦが５番目のシンボル（1st slot、ｌ＝４）で始まり、ＰＣＦＩＣＨ値が２であれば、端末は７（５＋２）番目のシンボルからＰＤＳＣＨが始まったと見なすことができる。
【０２７１】
若しくは、ＰＣＦＩＣＨが存在しないとき、ＰＤＣＣＨの時間軸上の長さは前もって設定した値であってもよい。また、ＴＸバースト上の１番目のＳＦがｐＳＦである場合にのみＰＣＦＩＣＨ（及びＰＨＩＣＨ）が存在しなくて前もって設定された値又は上位層信号（例えば、ＲＲＣ）によってＰＤＣＣＨの時間軸上の長さが設定されることができる。
【０２７２】
本発明の実施例において、端末はＵセル上に二つの制御領域があると見なし、ＰＤＣＣＨに対するブラインドデコーディング（ＢＤ）を実行することができる。例えば、完全なサブフレームで端末は各サブフレームの１番目のシンボルから３番目のシンボルまでを制御領域として認識することができる。また、部分サブフレームでは２番目のスロットの１番目のシンボルから２番目のシンボルまでを制御領域として認識してＢＤを実行することができる。
【０２７３】
４．２．１節に記述した方法はＰＳｔａｒｔであるｐＳＦに適用される。
【０２７４】
４．２．２  フローティングサブフレーム（Floating SF）構造上の下りリンク物理チャネル
図２０は、フローティングサブフレームで下りリンク物理チャネルを送信する方法を説明する図である。
【０２７５】
図２０に示したフローティングサブフレームは、ＵセルのＳＦの大きさがＰセルのＳＦの大きさと同一であるとともにＵセルのＳＦの開始及び終了時点がＰセルのＳＦ境界と一致しないように設定されるサブフレームを意味する。
【０２７６】
図２０を参照すると、基地局は、ＳＦ境界ではない時点でＬＢＴ動作が完了してもいつも１ｍｓ程度のＴＴＩを維持しながらＳＦを送信することができる。ＴＴＩの開始時点と終了時点とがＰセルのサブフレーム境界と一致しないとしてもＵセルとＰセルとの間で整列され（揃えられ）（aligned）ているサブフレーム境界は依然として有効であり、Ｕセル上の参照信号及びＰＤＣＣＨはＰセルタイミングを基準に構成されることができる。
【０２７７】
この際、ＴＴＩの開始時点がサブフレーム境界ではない場合、ＳＦ＃（ｎ＋１）上に存在するＰＤＣＣＨから該当ＴＴＩに対するスケジューリングを受信することができる。ＰＤＣＣＨの長さはＵセル上のＰＣＦＩＣＨによって決定されることもでき、上位層シグナリングによって前もって設定された値であってもよい。
【０２７８】
この際、設定されたＰＤＣＣＨの長さが２ＯＦＤＭシンボル以上の場合に限り、ＴＴＩの開始点が限定されることができる。例えば、ＰＤＣＣＨの長さが２ＯＦＤＭシンボルの場合、ＳＦ  ＃ｎの２番目のＯＦＤＭシンボルではＴＴＩが始まることができないように設定することができる。これは、２番目のＯＦＤＭシンボルでＴＴＩが始まれば、ＳＦ  ＃ｎの２番目のＯＦＤＭシンボルとＳＦ＃（ｎ＋１）の１番目のＯＦＤＭシンボルとにＰＤＣＣＨが分けられて送信されることができ、このため、ＰＤＣＣＨのデコーディングの成功を保証（保障）し（ensured）にくいことがあるからである。
【０２７９】
類似の例として、ＰＤＣＣＨの長さが３ＯＦＤＭシンボルの場合、ＳＦ  ＃ｎの２番目及び３番目のＯＦＤＭシンボルではＴＴＩが始まることができないように設定することができる。
【０２８０】
図２０のようなフローティングＳＦの構造において、ＳＦ  ＃ｎの前側の３個のＯＦＤＭシンボルをパンクチャリングした後、残りの部分にＰＤＳＣＨのＲＥをマッピングして送信し、パンクチャリングされた３個のＯＦＤＭシンボルをそのままＳＦ  ＃ｎ＋１にマッピングして送信することができる。若しくは、ＴＴＩの開始時点を基準にＲＥマッピングを新たに始めるように設定することができる。
【０２８１】
４．２．３  Ｅ−ＰＤＣＣＨを用いたセルフスケジューリング
ＬＴＥ−ＡシステムにおいてＥ−ＰＤＣＣＨの開始シンボルはＲＲＣシグナリングによって設定され、１〜４ＯＦＤＭシンボルの値を有する。
【０２８２】
しかし、チャネルのアイドル／ビジー状態によってＳＦの長さが変わるＬＡＡシステムのｐＳＦの場合には、プリアンブルの伝送が終わる時点から又はＰＤＳＣＨ上のＲＳ（例えば、ＣＲＳポート０に対するＲＳが割り当てられるシンボルの一つ）が始まる時点からＥ−ＰＤＣＣＨ開始位置を設定しておくことができる。言い替えれば、ＬＡＡシステムでは、ＲＲＣシグナリングによって設定されたＵセルに対するＥ−ＰＤＣＣＨ開始シンボルについての情報はｐＳＦに対して有効ではないものとして端末が見なすことができる。
【０２８３】
ただし、Ｅ−ＰＤＣＣＨを構成するＰＲＢの個数はＲＲＣシグナリングによって決定された値をそのまま維持することができる。
【０２８４】
若しくは、Ｅ−ＰＤＣＣＨを構成するＰＲＢの個数は従来のＲＲＣシグナリングとは別個にｐＳＦの長さによって前もって決定された値であってもよい。例えば、Ｅ−ＰＤＣＣＨを構成するＰＲＢの個数は、ｐＳＦを構成するＯＦＤＭシンボルの個数が７より小さければ８ＰＲＢに、７以上であれば４ＰＲＢに設定することができる。
【０２８５】
ＤＬバースト（又はＴｘＯＰ、ＲＲＰなど）が始まるＳＦの開始シンボル（starting symbol）が可変であるため、無線リソースを効率的に活用するためにＤＬバーストが終わるＳＦの終了シンボル（ending symbol）も可変であるように設定することができる。終了シンボルの位置によってＥ−ＰＤＣＣＨの長さも可変であれば、Ｅ−ＰＤＣＣＨを介してセルフスケジューリングを受ける端末の具現複雑度が増加することができる。
【０２８６】
これを解決するために、全てのＥ−ＰＤＣＣＨの終了シンボルはＳＦ境界ではない特定のＯＦＤＭシンボルに設定することができる。例えば、ＤＬバーストが終わるＳＦの最小長が１１ＯＦＤＭシンボルに設定されていれば、Ｅ−ＰＤＣＣＨの終了シンボルはいつも１１番目のＯＦＤＭシンボルに設定することができる。この際、Ｅ−ＰＤＣＣＨの終了シンボルは既設定の（予め設定された）（preset）値であっても、上位層信号によって設定された値であってもよい。
【０２８７】
ＵＥは、特定のＳＦがＤＬバースト上の開始（始まる）ＳＦであるか又は終了（終わる）ＳＦであるかが分からないこともある。すなわち、端末は全てのＳＦに対して開始ＳＦであると仮定してＥ−ＰＤＣＣＨに対する受信を試み、同時に終了ＳＦであると仮定してＥ−ＰＤＣＣＨに対する受信を試みることができる。この際、ＵＥが仮定することができるＥ−ＰＤＣＣＨ構成方法は次の通りである。
【０２８８】
（１）第１のＥ−ＰＤＣＣＨ構成方法：Ｅ−ＰＤＣＣＨの開始シンボル及び終了シンボルが共に従来ＬＴＥ−Ａシステムの定義に従うＥ−ＰＤＣＣＨ。
【０２８９】
従来のＥ−ＰＤＣＣＨ開始シンボルは前もって決定されるかあるいはＲＲＣシグナリングによって設定され、シンボルインデックス１〜４の値を有する。すなわち、開始シンボルはシンボルインデックスが１〜４のＯＦＤＭの一つであり得、終了シンボルは最後のＯＦＤＭシンボルに設定することができる。この際、さらにＥ−ＰＤＣＣＨ開始シンボルはシンボルインデックス‘０’であるＯＦＤＭシンボルを含むことができる。
【０２９０】
（２）第２のＥ−ＰＤＣＣＨ構成方法：（１）の方法より後の開始シンボルで始まって（特徴的には、ＬＴＥ−Ａシステムで定義されず、ｐＳＦが始まるシンボル位置以後に始まって）ＬＴＥ−Ａシステムで定義される終了シンボルで（として）終わるＥ−ＰＤＣＣＨ。
【０２９１】
例えば、ｐＳＦの最初のＯＦＤＭシンボルが［０、４、７］番目のＯＦＤＭシンボルの一つであれば、一番後側の７番目（又は７番目のＯＦＤＭシンボルで始まるＰＤＣＣＨが終わるＯＦＤＭシンボル）で始まり終了ＯＦＤＭシンボルで終わるＥ−ＰＤＣＣＨを仮定することができる。この際、Ｅ−ＰＤＣＣＨ開始シンボルは前もってシステム上で定義されるかＲＲＣ信号によって端末に知らせることができる。若しくは、可能なｐＳＦの最初のＯＦＤＭシンボルの集合がシグナリングされるとき、該当ＯＦＤＭシンボル集合内の最大のＯＦＤＭシンボル（又は最大のＯＦＤＭシンボルで始まるＰＤＣＣＨが終わるＯＦＤＭシンボル）にＥＰＤＣＣＨ開始シンボルが決定されることができる。
【０２９２】
（３）第３のＥ−ＰＤＣＣＨ構成方法：従来ＬＴＥ−Ａシステムで定義される開始シンボルで始まり（１）の方法の場合より前に終了シンボルとして終わる（すなわち、最後のＯＦＤＭシンボル以前のシンボルで終わる）Ｅ−ＰＤＣＣＨ。
【０２９３】
さらに、Ｅ−ＰＤＣＣＨ開始シンボルは‘０’番目のシンボルインデックスを含むことができる。ＥＰＤＣＣＨ終了シンボルは前述したようにＤＬバーストが終わるＳＦの最小長に設定することができる。例えば、ｐＳＦが［１０、１１、１２又は１４］番目のＯＦＤＭシンボルで終わることができれば、１０番目のＯＦＤＭシンボルがＥＰＤＣＣＨの終了シンボルに設定されることができる。この際、ＥＰＤＣＣＨ終了シンボルは前もって決定されるかあるいはＲＲＣシグナリングによって端末に知らせられることができる。
【０２９４】
若しくは、ｐＳＦの終了ＯＦＤＭシンボル集合が端末にシグナリングされるとき、ＥＰＤＣＣＨ終了シンボルはＯＦＤＭシンボル集合内の最小ＯＦＤＭシンボルに決定されることができる。ＤＬバーストが終わるＳＦのために許された長さ（例えば、ＯＦＤＭシンボル（数で）の長さ）の最小値が特定値（例えば、ＸＯＦＤＭシンボル）以下であれば、該当値以下の長さではＥＰＤＣＣＨの終了シンボルに設定することができないことがある。例えば、ＤＬバーストの終了（終わるＳＦ）が［３、６、９、１０、１１、１２、１３又は１４］番目のＯＦＤＭシンボルで、Ｘ＝５である場合、Ｅ−ＰＤＣＣＨは３ＯＦＤＭシンボルのみで構成されることができない。
【０２９５】
また、残りの［６、９、１０、１１、１２、１３又は１４］番目のＯＦＤＭシンボルの中で最小値である６ＯＦＤＭシンボルがＥＰＤＣＣＨ終了シンボルに決定されることができる。
【０２９６】
また、ＥＰＤＣＣＨ終了シンボルを構成することができるＯＦＤＭシンボル（の個数（番号））の集合とＤＬバーストが終わるＳＦを構成するＯＦＤＭシンボル（の個数）の集合とが違う場合、ＤＬバーストの終了ＳＦのＯＦＤＭシンボルとＥＰＤＣＣＨ終了シンボルとは違うことがあり得る。例えば、ＤＬバーストの最後のＳＦを構成するＯＦＤＭシンボルは［７、９、１０、１１、１２、１３又は１４］番目のＯＦＤＭシンボルの一つであり、ＥＰＤＣＣＨ終了シンボルで（を）構成することができるＯＦＤＭシンボル（の個数）の集合は［６、９、１０、１１、１２又は１４］番目のＯＦＤＭシンボルである場合、ＤＬバーストの中でｐＳＦのＥＰＤＣＣＨ終了シンボルは、ＥＰＤＣＣＨ終了シンボルを構成することができるＯＦＤＭシンボルの個数（番号）の集合の最小値である６番目のＯＦＤＭシンボルに決定されることができる。
【０２９７】
（４）第４のＥ−ＰＤＣＣＨ構成方法：ＥＰＤＣＣＨの開始シンボル及び終了シンボルのいずれもＬＴＥ−Ａシステムで定義されないＥ−ＰＤＣＣＨ。
【０２９８】
このようなＥ−ＰＤＣＣＨの場合、例えば、（２）で記述したＥ−ＰＤＣＣＨ開始シンボル決定方法及び（３）で記述したＥ−ＰＤＣＣＨ終了シンボル決定方法に従うことができる。
【０２９９】
ｐＳＦを含むＤＬバースト（又はＴｘＯＰ、ＲＲＰなど）で構成されることができるＥ−ＰＤＣＣＨをデコードするため、前述した四つのＥ−ＰＤＣＣＨを決定する方法を全て仮定して端末がＥ−ＰＤＣＣＨ受信を試みることは端末の複雑度を高めることができる。よって、上述した四つのＥ−ＰＤＣＣＨ構成方法の一部のみでＥ−ＰＤＣＣＨが構成されるように制限してＥ−ＰＤＣＣＨを設定することができる。これに対する具体的な実施例は次の通りである。ＵＥは次の組合せの一つに属する全てのＥ−ＰＤＣＣＨに対する検出を試み、これからＳＦの長さが分かる。
【０３００】
（Ａ）ＤＬバーストの最初のＳＦのみｐＳＦが許される場合：（１）の方式又は（１）及び（２）の方式のＥ−ＰＤＣＣＨが許されることができる。
【０３０１】
（Ｂ）ＤＬバーストの終了ＳＦにのみｐＳＦが許される場合：Ｅ−ＰＤＣＣＨを構成するとき、（３）の方式のみ許されることができる。
【０３０２】
（Ｃ）ＤＬバーストの最初のＳＦ及び終了ＳＦに対してｐＳＦが許される場合：Ｅ−ＰＤＣＣＨ構成時、（１）、（２）及び（３）の方式の組合せ、（１）及び（３）の方式の組合せ、（１）及び（４）の方式の組合せ、（２）及び（３）の方式の組合せ、（２）及び（４）の方式の組合せ、（３）及び（４）の方式の組合せ、（３）の方式のみ、又は（４）の方式のみが許されることができる。
【０３０３】
（Ｄ）上記提案したｐＳＦを構成するＥ−ＰＤＣＣＨの組合せのうち、（３）又は（４）の方式を含む組合せに対し（すなわち、最後のＯＦＤＭシンボル以前のシンボルで終わるＥ−ＰＤＣＣＨ及び終了ｐＳＦを受信する）ＵＥの動作は次の通りである。
【０３０４】
最後のＯＦＤＭシンボル以前に終わるＥ−ＰＤＣＣＨを検出したＵＥは、該当ＳＦを構成するＰＤＳＣＨがサブフレーム境界以前に終わることになることを認知することができる。Ｅ−ＰＤＣＣＨ終了シンボルは、前述したようにＤＬバーストが終わるＳＦの最小長に設定される場合、Ｅ−ＰＤＣＣＨ上に送信されるＤＣＩを介して指示された情報を活用して実際にＤＬバーストが終わるシンボルの位置が正確に分かる。
【０３０５】
例えば、［１０、１１、１２又は１４］番目のＯＦＤＭシンボルでＤＬバーストが終わることができれば、ＤＬバーストの終了ｐＳＦに構成されるＥ−ＰＤＣＣＨは１０番目のＯＦＤＭシンボルで終わるように設定することができる。（端末が）終了ｐＳＦを受信するＵＥはブラインドデコーディングによってＥＰＤＣＣＨが１０番目のＯＦＤＭシンボルで終わることを認知したとすれば、該当ＳＦのＰＤＳＣＨがサブフレームの境界以前に終わることが分かるが、［１０、１１、１２、又は１４］番目のＯＦＤＭシンボルの中でどのＯＦＤＭシンボルで終わるかはまだ正確に分からない。
【０３０６】
したがって、端末（ＵＥ）はＥ−ＰＤＣＣＨ上で送信されるＤＣＩによって指示される情報を活用して実際にどのＯＦＤＭシンボルでＰＤＳＣＨが終わるかが分かる。この際、基地局はＥＰＤＣＣＨのＤＣＩによって指示されるＯＦＤＭシンボル情報をスクランブルシーケンス、ＣＲＣマスク、サーチスペース及び／又は新しい指示子などを介して端末に知らせることができる。
【０３０７】
例えば、ＤＣＩフォーマットに２ビットの大きさの新しいフィールドが定義される場合、新しいフィールドの‘００’は１０番目のＯＦＤＭシンボル、‘０１’は１１番目のＯＦＤＭシンボル、‘１０’は１２番目のＯＦＤＭシンボルでＰＤＳＣＨが終わることを指示するように設定することができる。このような動作は（１）又は（２）のＥ−ＰＤＣＣＨ構成方式を含む組合せにおいてｐＳＦの開始ＯＦＤＭシンボルの候補が３個以上の場合も同様に適用することができる。
【０３０８】
４．２．３．１  ＥＲＥＧインデクシング法
以下では、上述したＥ−ＰＤＣＣＨを用いてセルフスケジューリングを行う場合、Ｅ−ＰＤＣＣＨを構成するリソース要素のＥＲＥＧ（enhanced REG）インデクシングを行う方法について説明する。４．２．３．１節及び４．２．３．２節の方法はＰＳｔａｒｔであるｐＳＦに適用される。
【０３０９】
基地局は従来の完全なＳＦ（すなわち、Ｆｕｌｌ  ＳＦ）のＥ−ＰＤＣＣＨのような方法でＥＲＥＧのためのインデクシングを行った後、ｐＳＦによって送信できなかったシンボルはパンクチャリングされたと仮定することができる。若しくは、ｐＳＦの実際の開始ＯＦＤＭシンボルから新たにＥＲＥＧインデクシングを実行することもできる。
【０３１０】
ｐＳＦがスロット境界に合わせて構成され、特に該当ＳＦの２番目のスロット境界で始まるように制限される場合には、基地局は完全なＳＦでのように割り当てたＥＲＥＧに対するインデクシングを行った後、１番目のスロットに含まれるＯＦＤＭシンボルをパンクチャリングして２番目のスロットにマッピングすることによってｐＳＦを構成することができる。
【０３１１】
この際、ＥＲＥＧは拡張（向上した）（enhanced）制御チャネルのリソース要素に対するマッピングを定義するために使われる。完全なサブフレームに対して各物理リソースブロック対（PRB pair）当たり０番目のＥＲＥＧから１５番目のＥＲＥＧまでの１６個のＥＲＥＧが存在することができる。ノーマル（一般）ＣＰの場合はアンテナポートｐ＝｛１０７、１０８、１０９、１１０｝、又は拡張ＣＰの場合はアンテナポートｐ＝｛１０７、１０８｝に対して、ＤＭ−ＲＳを伴うリソース要素を除く全てのリソース要素は、ＰＲＢ対上で周波数を優先して０から１５まで昇順に循環的にマッピングされ、以後は時間リソース上にマッピングされる。このとき、該当ＰＲＢ対内で番号ｉを有する全てのリソース要素はＥＲＥＧ番号ｉを構成することができる。
【０３１２】
また、フレーム構造タイプ３に対し、例えば（仮に）上位層パラメータ（例えば、ｓｕｂｆｒａｍｅＳｔａｒｔＰｏｓｉｔｉｏｎ）が‘ｓ０７’を指示し、下りリンク伝送がサブフレームの２番目のスロットで始まれば（すなわち、ｐＳＦが構成されれば）、このように説明したＥＲＥＧマッピング方式は該当サブフレームの１番目のスロットの代わりに２番目のスロットに適用することができる。
【０３１３】
この際、フレーム構造タイプ３はＬＡＡで使用する新しいフレーム構造を示し、上位層パラメータが指示する‘ｓ０７’は基地局がＴｘＯＰ区間（又はＤＬバースト、ＲＲＰ）を構成する１番目のＳＦがｐＳＦで構成されることを意味することができる。
【０３１４】
４．２．３．２  最小アグリゲーションレベル設定
以下ではｐＳＦのためのＥＰＤＣＣＨに対する最小アグリゲーションレベルを設定する方法について説明する。
【０３１５】
最小アグリゲーションレベルはＬＴＥ−Ａシステムのスペシャルサブフレーム（特別サブフレーム）（special SF）のために設定された値を再使用することができる。例えば、ノーマルＣＰの場合、スペシャルＳＦ（特別ＳＦ）構成（special SF configuration）３、４及び８の場合（すなわち、ｐＳＦを構成するシンボルの個数が１１個又は１２個）とスペシャルＳＦ構成１、２、６、７及び９の場合（すなわち、ｐＳＦを構成するシンボルの個数が７個、９個又は１０個の場合）とを分けて最小アグリゲーションレベルを設定することができる。
【０３１６】
ｐＳＦに対するＥＰＤＣＣＨの最小アグリゲーションレベルは、スペシャルＳＦ構成上に定義されなかったシンボルの個数（例えば、Ｑ個）で構成されたｐＳＦの場合にはＱと最も近い長さ（又は、Ｑより小さい最大長又はＱより大きい最小長）のシンボルで構成されたスペシャルＳＦ構成に対する設定方法に従うように定義することができる。これは拡張ＣＰの場合にも同じ規則を簡単に（易しく）（readily）拡張して適用することができる。
【０３１７】
４．２．３．３  ＥＰＤＣＣＨモニタリングサブフレーム
現在ＬＴＥ−Ａシステムにおいて、Ｅ−ＰＤＣＣＨに対するモニタリングＳＦはセル単位でＲＲＣ層で端末にシグナリングされる。
【０３１８】
この際、端末はＵＣｅｌｌでＥＰＤＣＣＨモニタリングＳＦに対するＲＲＣシグナリングがＤＬバースト区間内でのみ有効であると見なすことができる。
【０３１９】
若しくは、全てのＵＣｅｌｌ（又は、特定のＵＣｅｌｌ）のためにはこのようなＲＲＣシグナリングを許さず、前もって定義されたＰＣｅｌｌ（又は他のＣｅｌｌ）上の構成を承継するように設定することができる。このような規則は、クロスキャリアスケジューリング（又は、セルフスケジューリング）によって定義されたＭＢＳＦＮ  ＳＦのためにも同様に適用可能である。
【０３２０】
４．２．３．４  ＺＰ−ＣＳＩ−ＲＳ設定方法
ＬＴＥ−Ａシステムにおいて特定のＥＰＤＣＣＨ集合上のＺＰ−ＣＳＩ−ＲＳ設定はＲＲＣシグナリングによって実行される。
【０３２１】
ＬＡＡシステムのＵセル上において不連続で現れるＤＬバーストの特性上、ＺＰ−ＣＳＩ−ＲＳが周期的に設定されることは難しいことがあり得る。よって、端末はＵＣｅｌｌでＺＰ−ＣＳＩ−ＲＳ構成に対するシグナリングがＤＬバースト区間内でのみ有効であると見なすことができる。
【０３２２】
若しくは、端末は、Ｕセルで送信されるＥＰＤＣＣＨ集合に関連して非周期的ＺＰ−ＣＳＩ−ＲＳ構成が導入される場合、ＲＲＣシグナリングによって設定されたＥＰＤＣＣＨ集合上のＺＰ−ＣＳＩ−ＲＳは有効でないと見なすことができる。
【０３２３】
ＬＴＥ−Ａシステムで使われるＥＰＤＣＣＨはＺＰ−ＣＳＩ−ＲＳが存在するＲＥに対してレートマッチング（rate-matching）が実行される。このような場合は、ＲＲＣシグナリングによって設定されたＺＰ−ＣＳＩ−ＲＳが存在するＲＥに対してはレートマッチングが実行されないこともある。
【０３２４】
また、非周期的ＺＰ−ＣＳＩ−ＲＳ構成上のＺＰ−ＣＳＩ−ＲＳＲＥに対してレートマッチングが実行されるように規定されることができる。
【０３２５】
４．２．３．５  ＰＤＳＣＨ開始位置
ＬＴＥ−Ａシステムでは、ＥＰＤＣＣＨを介してセルフスケジューリングが実行されるとき、ＰＤＳＣＨの開始シンボルは上位層シグナリングによって設定されたＥＰＤＣＣＨの開始シンボルと同様に設定される。本発明の実施例において、ＤＬバースト（又は、ＴｘＯＰなど）の最初のＳＦの開始時点は４番目のＯＦＤＭシンボルで、ＵＣｅｌｌ上のスケジューリングはＥＰＤＣＣＨを介してセルフスケジューリングされるように設定することができる。この際、ＵＥは、ＤＬバーストの最初のＳＦのＰＤＳＣＨ開始シンボルは４番目のＯＦＤＭシンボルとして認識し、ＤＬバーストの残りのＳＦでのＰＤＳＣＨ開始シンボルは設定されたＥＰＤＣＣＨ開始シンボルと違うものとして認識することができる。例えば、ＤＬバーストの最初のＳＦ以外のＳＦでＰＤＳＣＨの開始シンボルは１番目のＯＦＤＭシンボルに前もって定義されるかあるいは上位層シグナリングによって設定されることができる。
【０３２６】
次の表８は、ＰＤＳＣＨ開始時点を設定する方法の一つを説明するものである。
【０３２７】
＜表８＞
【表８】
2018201236.tif 000042
【０３２８】
４．２．３．６  一つのＥＣＣＥを構成するＥＲＥＧの個数
ＬＴＥ−Ａシステムにおいては、Ｅ−ＰＤＣＣＨを送信することができるＯＦＤＭシンボルの個数（又は、ＲＥの個数）が少ない一部のスペシャルサブフレーム構成（special subframe configuration）１、２、６、７又は９に対して拡張制御チャネル要素（ＥＣＣＥ：Enhanced Control Channel Element）を構成する拡張リソース要素グループ（ＥＲＥＧ：Enhanced resource Element Group）の個数が４ではなくて２倍である８に設定される。これについての詳細な内容は３ＧＰＰ  ＴＳ  ３６．２１３規格文書の９．１．４節の内容を参照することができる。
【０３２９】
ＬＡＡシステムでは、部分サブフレーム（ｐＳＦ）伝送によってＥ−ＰＤＣＣＨを送信することができるＯＦＤＭシンボルの個数（又は、ＲＥの個数）が減る場合にも類似の動作を実行するように設定することができる。例えば、ｐＳＦを構成するＯＦＤＭシンボルの個数が１１個以上であれば一つのＥＣＣＥを構成するＥＲＥＧの個数を４個に設定し、１１個未満であればＥＣＣＥを構成するＥＲＥＧの個数を８個に設定することができる。
【０３３０】
一つのＥＣＣＥを構成するＥＲＥＧの個数を設定する方法はＰＳｔａｒｔに適用される。
【０３３１】
４．２．３．７  Ｅ−ＰＤＣＣＨデコーディング候補個数
ＬＴＥ−Ａシステムでは、Ｅ−ＰＤＣＣＨで送信するＤＣＩの大きさに比べてサブフレーム内でＥ−ＰＤＣＣＨ伝送のために使用可能なＲＥの個数が少ない場合（Ｃａｓｅ１）、又はＥＣＣＥを構成するＥＲＥＧの個数が８であって全てのＥＣＣＥの個数が少なくなる場合（Ｃａｓｅ２）に特定のサブフレームでＥＰＤＣＣＨデコーディング候補の個数が変わることができる。Ｃａｓｅ１又はＣａｓｅ２が適用される場合についての詳細な説明は３ＧＰＰ  ＴＳ  ３６．２１３規格文書の９．１．４節の内容を参照することができる。
【０３３２】
ＬＡＡシステムにおいて、ｐＳＦを構成するＯＦＤＭシンボルの個数が特定の個数（例えば、既設定の値又は上位層シグナリングされた値）以下になれば上述したＣａｓｅ１が適用されるように設定することができる。
【０３３３】
若しくは、４．２．３．５節で説明したように特定の条件を満たせば、一つのＥＣＣＥを構成するＥＲＥＧの個数をいつも８個に固定させる場合にはＣａｓｅ２が適用されるように設定することができる。
【０３３４】
ＬＴＥ−Ａシステムにおいて、一般ＳＦ（すなわち、ｆｕｌｌ  ＳＦ）で一つのＰＲＢ対に含まれるＲＥの個数（ｎEPDCCH）は１６８個である。ｐＳＦが１個のスロットで構成される場合は８４個のＲＥを有することができ、ｐＳＦが１個のスロットより大きい大きさに設定される場合にも１０４個以下のＲＥで構成される可能性が高い。
【０３３５】
このような場合、ＲＥの個数ｎEPDCCH＜１０４の場合にはＣａｓｅ１が適用されることができる。例えば、ｎEPDCCH＜１０４の場合、端末はＣａｓｅ１と見なしてＥＰＤＣＣＨをデコードすることができる。ＴＳ  ３６．２１３規格文書のテーブル９．１．４−１ａ、９．１．４−１ｂ、９．１．４−２ａ、９．１．４−２ｂ、９．１．４−３ａ、９．１．４−３ｂ、９．１．４−４ａ、９．４．４−４ｂ、９．１．４−５ａ及び／又は９．１．４−５ｂを参照すると、Ｃａｓｅ１が適用される場合、他のＣａｓｅに比べてＥＰＤＣＣＨアグリゲーションレベルが“１、２、４、８（、１６）”より大きい“２、４、８、１６（、３２）”が適用される。すなわち、基地局はＣａｓｅ２又は３が適用される場合よりＥＰＤＣＣＨアグリゲーションレベルが２倍になるようにＥＰＤＣＣＨを構成して送信することができる。
【０３３６】
したがって、ＬＡＡシステムにおいてｐＳＦの場合にｐＳＦを構成するＲＥの個数（ｎEPDCCH）が特定の個数（例えば、１０４個）以下の場合、基地局はＥＰＤＣＣＨに対してＣａｓｅ１を適用して（すなわち、ＥＰＤＣＣＨアグリゲーションレベルを上げて）構成し、端末に送信することができる。端末は、ｐＳＦが構成された場合、Ｃａｓｅ１が適用されたものに基づいてＥＰＤＣＣＨに対するブラインドデコーディングを実行することができる。
【０３３７】
本実施例の他の態様として、上述した４．２．１節及び４．２．３節の方法において、ｐＳＦの長さによってその選択を異なるようにするように構成されることができる。例えば、基地局は、ｐＳＦの長さがＺシンボルより大きければＰＤＣＣＨを用いてセルフスケジューリングを実行し、Ｚシンボル以下であればＥＰＤＣＣＨを用いてセルフスケジューリングを実行するように設定することができる。
【０３３８】
４．２．３．７節の方法はＰＳｔａｒｔであるｐＳＦに適用される。
【０３３９】
本実施例のさらに他の態様として、上述した４．２．１節及び４．２．３節の方法において、（Ｅ）ＰＤＣＣＨの開始シンボルの設定はｐＳＦではない完全なＳＦ（すなわち、フル（full）ＳＦ）の場合にも同様に適用することができる。例えば、完全なＳＦの５番目のＯＦＤＭシンボル（1st slot、ｌ＝４）からＰＤＣＣＨを構成し、ＰＤＣＣＨ領域ではない残りのＯＦＤＭシンボルをＰＤＳＣＨに設定することができる。
【０３４０】
４．２．３．８  スケジューリング方式制限方法
上述した４．２節で説明したように端末がセルフスケジューリングを受けるように構成される場合、基地局がｐＳＦに対してセルフスケジューリングを実行する際に、該当ｐＳＦに対する制御チャネルの位置をｅＮＢが知らせるか、その位置をＵＥが検出するために具現の複雑度が増加する問題があり得る。
【０３４１】
したがって、該当端末は、ｐＳＦに対してセルフスケジューリングは許されずにクロスキャリアスケジューリングのみが許されるように構成されることができる。基地局がｐＳＦを送信する時点でセルフスケジューリングを実行しなければならなければ、該当ｐＳＦにＰＤＳＣＨは含まれないこともある。例えば、該当ｐＳＦは、単にチャネルを占有するためのダミー信号で構成されるか、同期獲得、ＡＧＣ設定、及び／又はセル識別のための用途にのみ構成されることができる。すなわち、端末にセルフスケジューリングが構成された場合には、該当端末はｐＳＦの受信を期待しないことができる。
【０３４２】
４．３  ハイブリッドスケジューリング
以下では、チャネル環境又はシステム要求事項によってクロスキャリアスケジューリングとセルフスケジューリングとを一緒に用いるハイブリッドスケジューリング方式について説明する。
【０３４３】
ＤＬバーストの最初のＳＦは、その長さの可変性によって、ＵＣｅｌｌでセルフスケジューリングするときに制御チャネルの位置が一定でないので、最初のＳＦに対するセルフスケジューリングはｅＮＢ及びＵＥの側面で具現が難しいことがあり得る。また、ＵＣｅｌｌの個数が増えれば、ＰＣｅｌｌでクロスキャリアスケジューリングのためのオーバーヘッド（負担）（overhead）が大きく増加することができる。
【０３４４】
したがって、ＤＬバーストの最初のＳＦ（又は、ｐＳＦ）はクロスキャリアスケジューリングを適用し、残りのＳＦにはセルフスケジューリングを適用するように構成することができる。
【０３４５】
ＬＴＥ−ＡシステムのＣＡ状態では基地局がＲＲＣシグナリングによって該当セルがクロスキャリアスケジューリング又はセルフスケジューリングを行うか否かを端末に知らせた。しかし、本発明の実施例では、一つのＤＬバーストに対して一部のＳＦはクロスキャリアスケジューリングを、残りの一部のＳＦはセルフキャリアスケジューリングを実行することができる。これをハイブリッドスケジューリングと呼ぶことにする。
【０３４６】
４．３．１  プレスケジューリング
図１５において、ｐＳＦ開始に先立つＳＦ  ＃Ｎ＋１の時点で基地局がクロスキャリアスケジューリングを行うことをプレスケジューリングとして定義した。図１５を参照すると、ＳＦ  ＃Ｎ＋１で送信されるＰＤＳＣＨに対するスケジューリングはＰＣｅｌｌ上のＳＦ  ＃Ｎ＋１で実行され、残りのＳＦはＵＣｅｌｌでセルフスケジューリング方式でスケジューリングされることができる。
【０３４７】
ＳＦ  ＃Ｎ＋１の時点でプレスケジューリングされたとしても、ＳＦ  ＃Ｎ＋１の間にチャネルがアイドルでなければ、基地局はＳＦ  ＃Ｎ＋１でｐＳＦを送信することができなく、ＳＦ  ＃Ｎ＋２の時点で再度（また）（again）プレスケジューリングを実行することができる。このような問題を解決するために、ｅＮＢはＵＥにプレスケジューリングと別個のシグナリングによってＤＬバーストが実際に始まったことを知らせることができる。
【０３４８】
例えば、図１５において、ｅＮＢはＳＦ  ＃Ｎ＋２の時点でＤＬバーストが始まったことをＰＣｅｌｌ又はＵＣｅｌｌを介して端末に明示的に知らせることができる。より詳細には、ＤＬバースト開始通知メッセージはセル固有サーチスペース（ＣＳＳ）を介して端末に送信されることができる。
【０３４９】
ＵＥはＤＬバーストの開始を知らせるＤＬバースト開始通知メッセージを受信するまではクロスキャリアスケジューリングを期待し、ＤＬバーストの開始を知らせるメッセージを受信したＳＦを含み、該当ＤＬバーストが終わるまでセルフスケジューリングを期待することができる。この際、ＵＥがクロスキャリアスケジューリング又はセルフキャリアスケジューリングを期待するというのは、ＵＥがＰＤＣＣＨ及び／又はＥＰＤＣＣＨをデコードするためにＰセル又はＵセルのサーチスペースをモニタ及びデコードすることを意味する。
【０３５０】
この際、ＤＬバーストの長さは物理層シグナリング又は上位層シグナリングによって端末に設定することができる。
【０３５１】
本実施例の他の態様として、図１５において、ｅＮＢはＳＦ  ＃Ｎ＋２の時点でＤＬバースト上の最初のＳＦ（例えば、ｐＳＦ）の長さについての情報をＰＣｅｌｌを介して又はＵＣｅｌｌを介して明示的に端末に知らせることができる。例えば、基地局はＣＳＳを介して該当情報を端末に送信することができる。
【０３５２】
ＤＬバースト上の最初のＳＦの長さがＷシンボルより大きければ、最初のＳＦはクロスキャリアスケジューリングによって、Ｗ以下であれば最初のＳＦはセルフスケジューリング方式でスケジューリングされることができる。この際、ＵＥはＤＬバースト上の最初のＳＦの長さについての情報を受信するまではクロスキャリアスケジューリングを期待するように構成される。ＵＥは、ＣＳＳを介して受信したＤＬバースト上の最初のＳＦの長さが分かり、ＳＦの長さによって違うスケジューリング方式が適用されることが分かる。例えば、ＤＬバースト上の最初のＳＦの長さがＷシンボルより大きければ端末はクロスキャリアスケジューリングを期待し、ＤＬバースト上の残りのＳＦに対してはセルフスケジューリングを期待することができる。一方、端末がＣＳＳを介して分かることになったＤＬバースト上の最初のＳＦの長さがＷシンボル以下であればＤＬバースト上のＳＦに対してはセルフスケジューリングを期待することができる。
【０３５３】
４．３．２  ポストスケジューリング
図１５において、ｐＳＦ開始時点より遅くクロスキャリアスケジューリングを行うことをポストスケジューリングとして定義した。この際、ＳＦ  ＃Ｎ＋１のＰＤＳＣＨ伝送に対するスケジューリングはＰＣｅｌｌ上のＳＦ  ＃Ｎ＋２で、残りのＳＦに対するスケジューリングはＵＣｅｌｌでセルフスケジューリングされることができる。
【０３５４】
４．３．１節と同様に、ｅＮＢはＵＥにポストスケジューリングと別個のシグナリングによってＤＬバーストが実際に始まったことを明示的に知らせることができる。ＵＥはいつもＰＣｅｌｌ上のクロスキャリアスケジューリングとＵＣｅｌｌ上のセルフスケジューリングとの両方（both）を期待することができる。端末がＰＣｅｌｌ上でＤＬバーストの開始を知らせるメッセージを受信すれば、端末はその次のＳＦからＤＬバーストが終わるまではＵＣｅｌｌ上のセルフスケジューリングのみを期待し、ＰＣｅｌｌ上のクロスキャリアスケジューリングは期待しないこともできる。この際、ＤＬバーストの長さは物理層シグナリング又は上位層シグナリングによって設定することができる。
【０３５５】
４．３．３  特定のＵセルに対するハイブリッドスケジューリング
端末は特定のＵＣｅｌｌに対していつもクロスキャリアスケジューリング及びセルフスケジューリングを同時に期待するように設定することができる。
【０３５６】
４．３．１節、４．３．２節又は４．３．３節のスケジューリング方法において、基地局は特定のＵＣｅｌｌに対していつもクロスキャリアスケジューリング及び／又はセルフキャリアスケジューリングを実行することができ、基地局が指定した時点から（又は指定した区間内で）クロスキャリアスケジューリング及び／又はセルフキャリアスケジューリングを実行するように構成されることができる。
【０３５７】
４．３．４  サーチスペース
上記４．３節で説明したハイブリッドスケジューリング方法において、特定の時点で一つのＵＣｅｌｌに対するスケジューリンググラントが一つのＵセルだけではない複数のＵセルの中で一つ又は複数のセルで送信されることができることを仮定した。例えば、特定ＵＥの観点でＳＦ  ＃Ｎの時点でＰＣｅｌｌだけでなくＵＣｅｌｌ１でＵＣｅｌｌ１に対するスケジューリンググラントがｅＮＢから送信されると期待することができる。若しくは、端末はＳＦ  ＃Ｎの時点でＰＣｅｌｌだけでなくＵＣｅｌｌ２でＵＣｅｌｌ１に対するスケジューリンググラントがｅＮＢから送信されると期待することができる。すなわち、以下では、一つのＵセルに対するスケジューリングが複数のＣｅｌｌから設定されることができる環境におけるＰＤＣＣＨサーチスペース構成及びＵＥのＰＤＣＣＨブラインドデコーディング（ＢＤ）方法について説明する。
【０３５８】
スケジューリングされたセル（Scheduled cell）のスケジューリングのためのＰＤＣＣＨサーチスペースは、他のセルに対して複数のスケジュールを実行するスケジューリングセル（scheduling cell）の全てに同時に構成されることができる。また、ＵＥは、複数のスケジューリングセル上のサーチスペースに対して同時に、スケジューリングされたセルに対するスケジューリング検出のためのＰＤＣＣＨブラインドデコーディングを試みることができる。この際、ＵＥの特定のスケジューリングされたセルに対するＢＤ実行回数は次のように設定することができる。
【０３５９】
ＬＴＥ−Ａシステムにおいて、特定のスケジューリングされたセルに対するＢＤの回数がＮ回であり、スケジューリングセルの個数をＫ（＞１）個であると仮定するとき、ＵＥは該（当）スケジューリングされたセルに対するＢＤの回数をＮより大きく設定することができる。例えば、該スケジューリングされたセルに対するＢＤ回数をＫ＊Ｎ回に設定することができる。若しくは、ＵＥの立場で特定のスケジューリングされたセルに対するＢＤ回数が増加してＵＥの具現複雑度が増加する問題を考慮し、スケジューリングセルの個数が複数になるとき、ＢＤ回数がＮより小さいか同じになるように設定することができる。
【０３６０】
以下では、この実施例の他の態様として、スケジューリングセルが複数になる場合にもＢＤ回数をＮに維持させる方法について説明する。
【０３６１】
一番単純には、スケジューリングセル（等）間のＢＤ回数を均等に分割することができる。例えば、スケジューリングセルの個数が２個の場合、各スケジューリングセルに対するＢＤ回数はＮ／２に設定することができる。このような方法を適用する場合、アグリゲーションレベル（ＡＬ：Aggregation Level）別のＢＤ回数が複数のスケジューリングセルの間で同一に設定されると定義することができる。例えば、ＡＬ｛１、２、４、８｝に対するＢＤ回数がそれぞれ｛６、６、２、２｝回であり、Ｋ＝２である場合、各スケジューリングセルのＡＬ別のＢＤ回数は｛３、３、１、１｝回に設定することができる。
【０３６２】
若しくは、スケジューリングセル（等）間のＢＤ回数を不均等に設定することもできる。例えば、システム帯域幅が大きいスケジューリングセルにより多いＢＤ回数を設定するかあるいはライセンスバンドスケジューリングセル（Ｐセル）により多いＢＤ回数を設定することもできる。例えば、ＡＬ｛１、２、４、８｝に対するＢＤ回数がそれぞれ｛６、６、２、２｝であり、Ｋ＝２である場合、システム帯域幅が大きいスケジューリングセル又はライセンスバンドのスケジューリングセルのＡＬ別のＢＤ回数は｛４、４、２、２｝回に設定し、残りのスケジューリングセルの場合、ＡＬ別のＤＢ回数は｛２、２、０、０｝に設定することができる。これは、システム帯域幅が大きいスケジューリングセル又はライセンスバンドのスケジューリングセルに対して高いＡＬのＢＤ回数がより多く設定されると解釈することができる。
【０３６３】
スケジューリングセルの個数が複数であり、全ＢＤ回数がＮより大きいか小さいＭに設定されるとき、スケジューリングセル間のＤＢ回数（Ｍ）を均等にあるいは不均等に設定する方法は上記提案方法を活用することができる。
【０３６４】
以下では、本発明の実施例のさらに他の態様として、複数のスケジューリングセルの一部又は全部がＴＤＤセルである場合におけるＢＤ回数の割当て方法について説明する。
【０３６５】
ＴＤＤ  ＤＬ／ＵＬ構成によって、特定時点でＤＬ  ＳＦであるスケジューリングセルの個数が１個又は２個以上であることがあり得る。特定時点でＤＬ  ＳＦであるスケジューリングセルの個数がＫ個であると仮定するとき、ＵＥは該スケジューリングされたセルに対するＢＤ回数をＫ＊Ｎ個に設定することができる。
【０３６６】
若しくは、特定時点でＤＬ  ＳＦであるスケジューリングセル（等）の個数が変わってもＵＥの立場で行うＢＤの回数はいつも一定になるように設定することができる。例えば、特定時点でＤＬ  ＳＦであるスケジューリングセル（等）の個数が１個であれば該当セルでＮ回のＢＤを実行し、特定時点でＤＬ  ＳＦであるスケジューリングセル（等）の個数が２個以上であれば上記提案した方法によってセル別にＢＤ回数を分割し、ＢＤ回数の総和をＮに維持させることができる。
【０３６７】
若しくは、特定時点でＤＬ  ＳＦであるスケジューリングセル（等）の個数によってＢＤ回数を設定する複雑度を減らすために、複数のスケジューリングセルが許されるＳＦを＃０、＃１、＃５、＃６に制限することができる。すなわち、現在ＬＴＥ−ＡシステムのＴＤＤ  ＤＬ／ＵＬ構成上でいつもＤＬ  ＳＦに設定されるＳＦの場合にのみ複数のスケジューリングセルを許し、ＢＤ回数をセル別に設定し、残りのＳＦの場合にはセルフスケジューリングのみ許すように構成されることができる。
【０３６８】
下りリンク伝送だけでなく、上りリンク伝送に対しても特定のスケジューリングセルに対するスケジューリンググラントが複数のセルから送信されることができる。この際、スケジューリングされたセル上のＰＵＳＣＨ伝送に対するＰＨＩＣＨの場合、複数のスケジューリングセルの中で該当ＰＵＳＣＨに対するスケジューリンググラントが実際に送信されたスケジューリングセル上に送信されることができる。
【０３６９】
４．４  ｐＳＦに対するＣＳＩ測定及び報告方法
以下では、ｐＳＦのＣＳＩ測定に関する（のための）（for）有効性（validity）について説明する。以下の実施例は４．１節〜４．３節で説明したスケジューリング方式が適用される場合に一緒に又は単独で適用可能な実施例である。
【０３７０】
４．４．１  ＳＦ形態による有効性設定
一定でないｐＳＦの長さに対してＵＥとｅＮＢとの間に不一致（mismatch）が発生し得る。この際、ｐＳＦがＣＳＩ参照リソース（CSI reference resource）に指定されれば、ＵＥとｅＮＢとの間のｐＳＦ長さ情報の不一致によってＵＥは誤ったＣＱＩ値を基地局にフィードバックすることがあり得る。これを防止するために、ｐＳＦは有効下りリンクサブフレーム（valid downlink SF）と見なされることができない。また、完全なＳＦのみが有効下りリンクサブフレームと見なされることができる。
【０３７１】
例えば、基地局はｐＳＦにＣＳＩ−ＲＳリソースを割り当てないことができ、端末はｐＳＦに対しては有効サブフレームと見なさないので、ｐＳＦをＣＳＩ測定及び報告のための参照リソースとして使わない。よって、端末はＤＬバースト（又は、ＴｘＯＰ区間、ＲＲＰ区間など）に含まれた完全なＳＦに対してのみＣＳＩを測定し、周期的又は非周期方式で基地局に報告することができる。もちろん、端末は、ＣＳＩ報告周期でＤＬバーストがなくても以前に測定したＣＳＩを基地局に報告することができる。
【０３７２】
４．４．１節で、ｐＳＦは最初の一部のＯＦＤＭシンボルが空のままで送信されるＰＳｔａｒｔ  ＳＦ、最後の一部のＯＦＤＭシンボルが空のままで送信されるＰＥｎｄ  ＳＦを含むことができる。
【０３７３】
４．４．２  ｐＳＦの長さによる有効性設定
コンテンションに基づくランダムアクセス方式で動作するアンライセンスバンドの特性上、特定のｅＮＢの該当帯域に対する占有割合が低いこともある。このような状況でｐＳＦまで有効下りリンクＳＦから除かれれば、端末が活用するＣＳＩ参照リソースの個数が多くないから、正確なＣＱＩを測定して報告することができないことがあり得る。したがって、ｐＳＦを有効下りリンクＳＦと見なすことができる。
【０３７４】
Ｄ−２ａ）ｐＳＦの長さによって該当ＳＦの有効性が決定されることができる。例えば、ｐＳＦの長さが７６８０Ｔｓより大きい場合にのみ有効下りリンクＳＦと見なされることができる。この際、７６８０Ｔｓの大きさはＬＴＥ−Ａシステムで定義されるスペシャルＳＦの最小単位である。
【０３７５】
Ｄ−２ｂ）ＤＬバーストの開始ｐＳＦ（又は、終了ｐＳＦ）のサポートが可能か否かはＵＥ性能（及び／又はｅＮＢ性能）として設定することができる。この際、基地局は開始ｐＳＦ（又は、終了ｐＳＦ）の受信が可能であるというＵＥ性能シグナリング（UE capability signaling）を送信したＵＥ及び／又は基地局性能シグナリング（eNB capability signaling）を受信したＵＥに限って開始ｐＳＦ（又は終了ｐＳＦ）が有効であると見なすことができる。
【０３７６】
このようなｐＳＦはＤＬバーストの開始ＳＦ及び／又は終了ＳＦでも構成されることができる。この際、４．４．１節及び４．４．２節で説明した方法はＤＬバーストの開始ＳＦのみならず終了ＳＦに対しても適用可能である。
【０３７７】
４．５  フローティングＴＴＩ
以下では、フローティングＴＴＩ構造について説明する。図２０の例示のように、ＳＦ境界ではない時点で基地局のＬＢＴ動作（ＣＣＡ動作又はＣＳ動作）が完了しても、ｐＳＦではないいつも完全な大きさのＳＦが構成されることができる。例えば、基地局はいつも１ｍｓ程度のＴＴＩを維持しながらＳＦを送信することができる。これをフローティングＴＴＩ構造であると定義することができる。
【０３７８】
４．５．１  開始位置制限
４．２．２節で説明したようにＰＤＣＣＨの長さが１ＯＦＤＭシンボルより大きい場合、フローティングＴＴＩの開始位置に対する制約が必要であり得る。ＤＭ−ＲＳに基づいてＰＤＳＣＨデコーディングを試みる伝送モード（ＴＭ）を使うＵＥに対し、図２１のようにフローティングＴＴＩが送信されれば、端末のＤＭ−ＲＳによるチャネル推定に問題が発生し得る。図２１はフローティングＴＴＩが構成されるとき、開始位置を制限する方法を説明する図である。
【０３７９】
例えば、時間軸上にコード分割多重化（ＣＤＭ：Code Division Multiplexing）した構造を有するＤＭ−ＲＳを考慮するとき、図２１のようにＤＭ−ＲＳが連続したＯＦＤＭシンボルではなくて１ｍｓ程度だけ離れた構造では二つのＤＭ−ＲＳ間のチャネル情報が一致しなくて直交性（orthogonality）が保証されないことがあり、これによって端末のチャネル推定性能が低下することができる。
【０３８０】
これを解決するために、ＤＭ−ＲＳが連続したＯＦＤＭシンボルで送信されることができるようにフローティングＴＴＩの開始位置が制限されることができる。例えば、図２１において、６番目のＯＦＤＭシンボル及び１３番目のＯＦＤＭシンボルではフローティングＴＴＩが始まらないように設定することができる。図２１において６番目のＯＦＤＭシンボルから１３番目のＯＦＤＭシンボルはＳＦ  ＃Ｎに含まれたシンボルであり、０番目〜５番目のＯＦＤＭシンボルはＳＦ  ＃Ｎ＋１に含まれたシンボルである。
【０３８１】
本実施例の他の態様として、端末のバッファリング性能を考慮して一部のＳＦで開始位置が制限されることができる。フローティングＴＴＩの構造上、いつも端末の最小伝送単位（例えば、１ｍｓ）のバッファリングを必要とする。しかし、一部の端末の場合、１ｍｓのバッファリングがサポートされないこともある。例えば、１スロット程度のバッファリングのみがサポートされる端末を考慮する場合、フローティングＴＴＩの開始位置は最初のＯＦＤＭシンボル又は２番目のＯＦＤＭシンボル以後に（のみ）制限される（restricted to after the first or second OFDM symbol）ことができる。
【０３８２】
４．５．２  ＤＬバーストの最後のフローティングＴＴＩの長さ
基地局のＬＢＴ動作が完了した時点がＯＦＤＭシンボル境界と正確に一致しない場合、基地局は該当時点から次のＯＦＤＭシンボル境界まで予約信号を送信することができる。また、伝送ノードが一度チャネルを占有したとき、占有可能な最大時間が限定されていることがあり得る。図２２はＤＬバーストの最後のフローティングＴＴＩの長さを設定する方法の一つを説明する図である。
【０３８３】
図２２のように基地局はＳＦ  ＃Ｎの３番目のＯＦＤＭシンボルの中間からチャネル占有のための予約信号（reservation signal）を送信した後、４番目のＯＦＤＭシンボルからフローティングＴＴＩが始まり、伝送ノードの占有可能な最大時間が２ｍｓであると仮定する。この際、最後のＴＴＩの最後のＯＦＤＭシンボル（例えば、ＳＦ  ＃Ｎ＋２の３番目のＯＦＤＭシンボル）は送信できないことがあり得る。
【０３８４】
４．５．１節のようにフローティングＴＴＩの開始位置に制限があれば、予約信号の長さは一つのＯＦＤＭシンボルより長いことがあり得る。これにより、ＤＬバーストを構成する最後のフローティングＴＴＩの長さは図２１に示したＴＴＩより短くなることができる。
【０３８５】
ＵＥは該当フローティングＴＴＩが上位層シグナリング又は物理層シグナリングによってＤＬバーストを構成する最後のフローティングＴＴＩであることが分かれば、基地局は最後のＴＴＩに対する最初のＯＦＤＭシンボル位置だけでなく該当のＴＴＩを構成するＯＦＤＭシンボルの個数（又は、終了ＯＦＤＭシンボルの位置）を端末に知らせることが好ましい。
【０３８６】
一方、ＵＥは該当フローティングＴＴＩがＤＬバーストを構成する最後のフローティングＴＴＩであることが分からなければ、ｅＮＢは各フローティングＴＴＩに対するスケジューリンググラントごとに最初のＯＦＤＭシンボルの位置のみならず該当ＴＴＩを構成するＯＦＤＭシンボルの個数（又は終了ＯＦＤＭシンボルの位置）を端末に知らせることが好ましい。
【０３８７】
予約信号が基地局及び端末で前もって知っている信号（known sequence）で構成され、端末がＤＬバーストを構成するフローティングＴＴＩの個数を上位層シグナリング又は物理層シグナリングによって知っている場合に限り、端末はＤＬバースト上の最後のフローティングＴＴＩの長さを暗黙的に類推することができる。
【０３８８】
例えば、予約信号が２ＯＦＤＭシンボルにわたって入って来たし、ＤＬバーストを構成するフローティングＴＴＩが２個であることを知っているＵＥが２番目のフローティングＴＴＩでスケジューリンググラントを受信したとすれば、１４ＯＦＤＭシンボルではなくて１２ＯＦＤＭシンボルで構成されたフローティングＴＴＩであると仮定してデコーディングを実行することができる。
【０３８９】
４．５．３  フローティングＴＴＩでのＥＰＤＣＣＨ伝送方法
ＰＤＣＣＨを介してセルフスケジューリングされるＵＥはいつもＳＦの最初のＯＦＤＭシンボルから始まるＰＤＣＣＨからフローティングＴＴＩの開始時点が分かる。
【０３９０】
しかし、フローティングＴＴＩの場合、ＥＰＤＣＣＨの開始シンボルが一定でないこともあるので、ＥＰＤＣＣＨを介してセルフスケジューリングされるＵＥはＥＰＤＣＣＨを正常に受信するためには全ての開始位置候補（starting position candidate）に対してＥＰＤＣＣＨデコーディングを実行しなければならない。これは端末の具現複雑度を大きく増加させる。
【０３９１】
これを解決するために、本発明の実施例では、基地局が端末にＰＣｅｌｌの共通サーチスペースを活用してＥＰＤＣＣＨの開始位置を指示することができる。若しくは、４．５．２節で記述したように最後のＴＴＩの終了位置が変わることを考慮し、ＥＰＤＣＣＨが終わる位置も端末に明示的に指示することができる。
【０３９２】
４．６  ＰＤＣＣＨ領域及びＰＤＳＣＨ開始シンボルの設定方法
４．６．１  ＰＤＣＣＨ領域設定方法
ＵＣｅｌｌでＰＣＦＩＣＨが定義されなければ、Ｕセルに対するＰＤＣＣＨ領域は上位層シグナリングによって端末に設定することができる。このような設定値はセルフキャリアスケジューリング及び／又はクロスキャリアスケジューリングの場合に適用することができる。若しくは、このような設定値はＵＥ固有（UE-specific）に適用するかセル固有（cell-specific）に適用することができる。
【０３９３】
この際、ＰＤＳＣＨ開始シンボルは上位層シグナリングによって設定されたＰＤＣＣＨ領域によって決定されることができる。例えば、ＰＤＣＣＨ領域は２ＯＦＤＭシンボルに設定されており、ｐＳＦの開始時点は０番目のＯＦＤＭシンボル又は３番目のＯＦＤＭシンボルに設定されていれば、ＵＥは、ｐＳＦが０番目のＯＦＤＭシンボルで始まればＰＤＳＣＨは２番目のＯＦＤＭシンボルで始まり、ｐＳＦが３番目のＯＦＤＭシンボルで始まればＰＤＳＣＨは５番目のＯＦＤＭシンボルで始まると仮定することができる。
【０３９４】
４．６．２  ＰＤＳＣＨ開始シンボルの設定
ＤＬバーストで構成されるＰＤＳＣＨの開始シンボルが上位層シグナリングによって端末に関して設定されることができる。この際、設定された値はセルフキャリアスケジューリング及び／又はクロスキャリアスケジューリングに適用することができる。また、該当値は端末固有（UE-specific）の値又はセル固有（cell-specific）の値に設定することができる。この際、ＰＤＳＣＨの開始シンボルは可能なｐＳＦの開始位置によって複数（多く）の（a plurality of）値を有することができ、ＰＤＣＣＨ領域はＰＤＳＣＨの開始シンボルによって暗黙的に決定することができる。例えば、ＰＤＳＣＨの開始シンボルが３番目のＯＦＤＭシンボルに設定されれば、ＰＤＣＣＨ領域はＰＣＦＩＣＨがなくても０番目のＯＦＤＭ  ｓｙｍｂｏｌから２番目のＯＦＤＭシンボルまで３個のＯＦＤＭシンボルで構成されることをＵＥは仮定することができる。
【０３９５】
４．６．３  上位層信号シグナリング方法
ＰＤＣＣＨ領域及びＰＤＳＣＨ開始シンボルは共に上位層シグナリングによって設定することができる。設定された値はセルフキャリアスケジューリング及び／又はクロスキャリアスケジューリングの場合に適用することができる。また、該当値はいずれも端末固有の値又はセル固有の値であってもよい。若しくは、値の一部は端末固有の値であり、値の残りはセル固有の値であってもよい。この際、ＰＤＣＣＨ領域以後にのみＰＤＳＣＨ開始シンボルを構成するように制限されることができる。若しくは、ＵＥはＰＤＣＣＨ領域とＰＤＳＣＨ開始シンボルが重畳するシグナリングを期待しないことができる。
【０３９６】
４．７  ｐＳＦ運用のための基地局及び端末の動作
前述したように、ｐＳＦ構造をｅＮＢがどのように適用するかによってＵＥの動作が変わることができる。本発明の実施例において、説明の便宜上、ＤＬバーストを構成するサブフレームの初めの一部のＯＦＤＭシンボルが空のままで送信されるｐＳＦを‘ＰＳｔａｒｔ’、最後の一部のＯＦＤＭシンボルが空のままで送信されるｐＳＦを‘ＰＥｎｄ’、完全なＳＦを‘Ｆｕｌｌ’と定義して説明する。
【０３９７】
また、ＤＬバーストはＤＬ伝送バースト（DL Tx burst）と呼ぶことができ、ＴｘＯＰ区間、ＲＲＰ区間と同一の意味として使うことができる。この際、ＤＬバーストは予約信号が送信される区間まで含む概念であってもよい。
【０３９８】
４．７．１  Ｇ１）ＰＳｔａｒｔ及びＦｕｌｌのみを運用する方法
ｅＮＢはＰＳｔａｒｔ及びＦｕｌｌのみを運用するが、スケジューリングすべきＵＥのタイプによって次のようにＰＳｔａｒｔの長さを変えて設定することができる。
【０３９９】
Ｇ１−Ａ）クロスキャリアスケジューリング端末の場合、Ｆｕｌｌでのみスケジューリングされることを期待することができる。
【０４００】
Ｇ１−Ｂ）セルフキャリアスケジューリング端末でありながらＰＤＣＣＨを介してスケジューリングされるように設定されたＵＥはＰＳｔａｒｔ及びＦｕｌｌが共にスケジューリングされることを期待することができる。この際、任意のＯＦＤＭシンボルがＰＳｔａｒｔの最初のＯＦＤＭシンボルとして使用可能であり（ＰＳｔａｒｔの最初のＯＦＤＭシンボルは全てのＯＦＤＭシンボルが許されることができ）（Any OFDM symbol is available as the starting OFDM symbol of PStart）、ＰＳｔａｒｔの最初のＯＦＤＭシンボルは一部のＯＦＤＭシンボルでのみ始まることができるように制限されることができる。例えば、２番目のＣＲＳアンテナポート０が送信される５番目のＯＦＤＭシンボルでのみＰＳｔａｒｔが始まるように制限されることができる。若しくは、２番目のスロット境界でのみＰＳｔａｒｔが始まることができるように制限されることもできる。
【０４０１】
端末はＣＲＳ及び／又はＰＤＣＣＨデコーディングの成否によって実際のＰＳｔａｒｔの開始時点を決定することができる。若しくは、端末はＰＳｔａｒｔの開始時点をプリアンブル（又は、ｉｎｉｔｉａｌ  ｓｉｇｎａｌ）の位置及び／又はシーケンスによって決定することができる。
【０４０２】
Ｇ１−Ｃ）セルフキャリアスケジューリングＵＥでありながらＥＰＤＣＣＨを介してスケジューリングされるように設定されたＵＥはＰＳｔａｒｔ及びＦｕｌｌが共にスケジューリングされることを期待することができる。若しくは、ＰＳｔａｒｔでＥＰＤＣＣＨをデコードすることができるかが端末性能（UE capability）として定義され、ｅＮＢは該当性能がサポート可能であるとシグナリングされた端末に対してのみＰＳｔａｒｔ  ＥＰＤＣＣＨを介してスケジューリングするように設定することができる。若しくは、ｅＮＢはＵＥ別に（又は、ｃｅｌｌ共通で）ＰＳｔａｒｔでＥＰＤＣＣＨを介したスケジューリングが可能か否か（whether scheduling is performed through an EPDCCH in PStart）に関して上位層シグナル（例えば、ＲＲＣ）によって構成することができる。若しくは、ＰＳｔａｒｔでＥＰＤＣＣＨがサポートされないように構成することができる。この際、ＰＳｔａｒｔの最初のＯＦＤＭ  ｓｙｍｂｏｌはＧ１−Ｂ）の場合のように制約があり得、Ｇ１−Ｂ）に対応（相応）する（corresponding to）ＵＥの最初のＯＦＤＭシンボルとＧ１−Ｃ）に対応するＵＥの最初のＯＦＤＭシンボルとは違うことができる。
【０４０３】
例えば、Ｇ１−Ｂ）に対応するＵＥの最初のＯＦＤＭシンボルが２番目のスロット境界に相当し、Ｇ１−Ｃ）に対応するＵＥの最初のＯＦＤＭシンボルが３番目のＯＦＤＭシンボルであれば、ｅＮＢはスケジューリングすべきＵＥが何れのＵＥであるか又はＬＢＴ終了時点がいつであるかによって基地局はＧ１−Ｂ）方式を適用するかあるいはＧ１−Ｃ）方式を適用するかを決定することができる。
【０４０４】
Ｇ１−Ｃ）方式の場合、端末がＰＳｔａｒｔであるかＦｕｌｌであるかを区別することができる方法は次の一つであってもよい。
【０４０５】
（１）方式１：基地局が明示的なシグナリングによって端末にＳＦのタイプを指示することができる。端末には二つ以上のＥＰＤＣＣＨ集合が設定されることができる。この際、長さが小さいＥＰＤＣＣＨの場合、端末が、該当ＳＦがＦｕｌｌであるかＰＳｔａｒｔであるかを決定（区分）する（determine）ことができないことがあり得る。よって、基地局は該当ＳＦがＦｕｌｌであるかＰＳｔａｒｔであるか及び／又は該当ＳＦの大きさを端末に明示的に指示することができる。
【０４０６】
（２）方式２：二つのＥＰＤＣＣＨ集合の一方をＰＳｔａｒｔの用途に、他方をＦｕｌｌの用途に前もって設定しておき、ＵＥはどのＥＰＤＣＣＨ集合がデコードされるかによって該当ＳＦがＰＳｔａｒｔであるかＦｕｌｌであるかが分かる。
【０４０７】
（３）方式３：端末がＢＤによってＰＳｔａｒｔであるか又はＦｕｌｌであるかを区別することができる。例えば、二つのＥＰＤＣＣＨ集合のそれぞれに対してＰＳｔａｒｔ用途のＥＰＤＣＣＨ（相対的に短い長さのＥＰＤＣＣＨ）とＦｕｌｌ用途のＥＰＤＣＣＨ（相対的に長い長さのＥＰＤＣＣＨ）とが前もって設定されており、端末がどの長さのＥＰＤＣＣＨに対してデコーディングが成功したかによって端末は該当ＳＦがＰＳｔａｒｔであるかＦｕｌｌであるかを区別することができる。
【０４０８】
（４）方式４：端末はＤＬバーストで送信されるプリアンブルによって該当ＳＦがＰＳｔａｒｔであるかＦｕｌｌであるかを区別することができる。例えば、二つのＥＰＤＣＣＨ集合のそれぞれに対してＰＳｔａｒｔ用途のＥＰＤＣＣＨ（相対的に短い長さのＥＰＤＣＣＨ）とＦｕｌｌ用途のＥＰＤＣＣＨ（相対的に長い長さのＥＰＤＣＣＨ）とが前もって設定されている場合、端末はプリアンブルの位置及び／又はプリアンブルシーケンスによって該当ＳＦがＰＳｔａｒｔであるかＦｕｌｌであるかを区別することができる。
【０４０９】
４．７．２  ＰＳｔａｒｔに割り当てられるＤＭ−ＲＳパターン
以下では、ＰＳｔａｒｔを構成するＯＦＤＭシンボルの個数が７個であるとき、ＤＭ−ＲＳ及びＥＰＤＣＣＨを構成する方法について説明する。
【０４１０】
図２３はＰＳｔａｒｔでＤＭ−ＲＳ及びＥＰＤＣＣＨを構成する方法を説明する図である。
【０４１１】
端末にＰＳｔａｒｔが構成される場合、ＤＭ−ＲＳパターンは図２３の（ａ）、（ｂ）及び（ｃ）の一つの形態で構成されることができる。この際、ＣＲＳはＬＴＥ−Ａシステムにおいて構成されるＣＲＳパターンをそのまま活用することができるが、ＤＭ−ＲＳパターンは図２３の（ａ）、（ｂ）及び（ｃ）の一つを適用することができる。
【０４１２】
ＰＳｔａｒｔでＥＰＤＣＣＨ開始位置は図２３において８番目、９番目又は１０番目のＯＦＤＭシンボルの一つとなることができ、ＥＰＤＣＣＨ終了位置は図２３で１２番目及び１３番目のＯＦＤＭの一つとなることができる。この際、端末に送信されるＰＤＳＣＨの伝送効率を考慮すると、ＰＳｔａｒｔ上にＤＭ−ＲＳ及び／又はＣＳＩ−ＲＳ／ＣＳＩ−ＩＭは構成されないように設定することができる。
【０４１３】
４．７．３  Ｇ２）Ｆｕｌｌ及びＰＥｎｄのみを運用する方法
以下では、基地局がＦｕｌｌ及びＰＥｎｄのみを運用する方法について説明する。
【０４１４】
Ｇ２−Ａ）クロスキャリアスケジューリングＵＥの場合、Ｆｕｌｌ及びＰＥｎｄが共にスケジューリングされることを期待することができる。この際、該当ＳＦがＰＥｎｄであるかを知らせる指示子又はＰＥｎｄの長さを知らせる指示子のための追加のシグナリングが必要であり得る。例えば、該当ＳＦがＰＥｎｄであるか（又は、ＰＥｎｄの長さ）を知らせる指示はＰＤＣＣＨを介して送信されることができる。
【０４１５】
Ｇ２−Ｂ）ＰＤＣＣＨによってセルフスケジューリングされるように設定されたＵＥはＦｕｌｌ又はＰＥｎｄが共にスケジューリングされることを期待することができる。この際、該当ＳＦがＰＥｎｄであるかを知らせる指示子又はＰＥｎｄの長さを知らせる指示子のための追加のシグナリングが必要であり得る。例えば、ＰＥｎｄであるか（又は、ＰＥｎｄの長さ）を知らせる指示はＰＣｅｌｌ上の共通（共用）シグナル（信号）（common signal）によって又はＬＡＡ  ＳＣｅｌｌ上のＰＣＦＩＣＨを介して又はＰＤＣＣＨを介して端末に送信されることができる。
【０４１６】
Ｇ２−Ｃ）セルフキャリアスケジューリングＵＥでありながらＥＰＤＣＣＨを介してスケジューリングされるように設定された端末はＦｕｌｌのみがスケジューリングされることを期待することができる。若しくは、該当端末はＦｕｌｌ及びＰＥｎｄが共にスケジューリングされることを期待することができる。若しくは、ＰＥｎｄでＥＰＤＣＣＨをデコードすることができるかが端末性能（UE capability）として定義されている場合、ｅＮＢは該当端末性能があるとシグナリングされたＵＥに対してのみＰＥｎｄのＥＰＤＣＣＨを介してスケジューリングするように設定することができる。若しくは、ｅＮＢはＵＥ別に（又はｃｅｌｌ共通で）上位層シグナリング（例えば、ＲＲＣシグナリング）によってＰＥｎｄでＥＰＤＣＣＨを介してスケジューリングされるかを指示することができる。
【０４１７】
この際、該当ＳＦがＦｕｌｌであるかＰＥｎｄであるかをＵＥが区別する方法は次の一つであってもよい。
【０４１８】
（１）方式１：基地局はＰＣｅｌｌ上の共通シグナルによって又はＬＡＡ  ＳＣｅｌｌ上のＰＣＦＩＣＨを介してＦｕｌｌであるかＰＥｎｄであるかを端末に指示することができる。例えば、ＵＥはＰＥｎｄ用途に設定されたＥＰＤＣＣＨ集合に対してデコーディングを試みることができる。若しくは、端末はＰＣｅｌｌ上の共通（共用）信号（common signal）によってあるいはＬＡＡ  ＳＣｅｌｌ上のＰＣＦＩＣＨを介して該当ＳＦがＰＥｎｄであることを認知することができる。このような端末は該当ＳＦに対して（ＥＰＤＣＣＨデコーディングではない）ＰＤＣＣＨデコーディングを実行するように設定することができる。
【０４１９】
（２）方式２：基地局は明示的シグナリングによって指示することができる。すなわち、基地局は該当ＳＦがＦｕｌｌであるかＰＥｎｄであるか又は該当ＳＦの大きさを明示的に端末に指示することができる。
【０４２０】
（３）方式３：二つのＥＰＤＣＣＨ集合の一方をＰＥｎｄ用途、他方をＦｕｌｌ用途に前もって設定しておき、ＵＥはどのＥＰＤＣＣＨ集合がデコードされるかによって該当ＳＦがＰＥｎｄであるかＦｕｌｌであるかが分かる。
【０４２１】
（４）方式４：端末はＢＤによって該当ＳＦがＦｕｌｌであるかＰＥｎｄであるかを区別することができる。例えば、二つのＥＰＤＣＣＨ集合のそれぞれに対してＦｕｌｌ用途のＥＰＤＣＣＨ（相対的に長い長さのＥＰＤＣＣＨ）とＰＥｎｄ用途のＥＰＤＣＣＨ（相対的に短い長さのＥＰＤＣＣＨ）とを共に設定しておき、どの長さのＥＰＤＣＣＨに対してデコーディングが成功したかによって該当ＳＦがＦｕｌｌであるかＰＥｎｄであるかを区別することができる。
【０４２２】
（５）方式５：基地局はＤＭ−ＲＳパターン別にＥＰＤＣＣＨを設定することができる。例えば、ＰＥｎｄがスペシャルＳＦであるＤｗＰＴＳ構造に従うとすると、ＰＥｎｄの長さによって図２４のように４種のＤＭ−ＲＳパターンが構成されることができる。図２４はＤＭ−ＲＳパターン別にＥＰＤＣＣＨが構成される方法を説明する図である。図２４は一例示であり、他のスペシャルＳＦの構造が用いられるか、あるいは新形態のＤＭ−ＲＳパターンが構成されることができる。
【０４２３】
方式５で、基地局は各ＤＭ−ＲＳパターンをサポートするＤｗＰＴＳの終了ＯＦＤＭシンボル（end OFDM symbol）の最小ＯＦＤＭシンボルでＥＰＤＣＣＨが終わるように設定することができる。例えば、ＤＬバーストの終了ｐＳＦを構成するＯＦＤＭシンボルの個数が１１〜１３個である場合は図２４（ｂ）のようなＤＭ−ＲＳパターンに従い、ＬＴＥ−Ａシステム（Ｒｅｌ−１２）においてＤｗＰＴＳの長さが１１ＯＦＤＭシンボルであるとき、ＤｗＰＴＳ構成３又は８として定義されたＥＰＤＣＣＨ構成（例えば、Ｎｕｍｂｅｒ  ｏｆ  ＥＲＥＧｓ  ｐｅｒ  ＥＣＣＥ、ｓｕｐｐｏｒｔｅｄ  ＥＰＤＣＣＨ  ｆｏｒｍａｔｓ、ＥＰＤＣＣＨ  ｃａｎｄｉｄａｔｅｓ  ｍｏｎｉｔｏｒｅｄ  ｂｙ  ａ  ＵＥなど）に従うように設定することができる。
【０４２４】
方式５の他の例として、ＤＬバーストの終了ｐＳＦ（ＰＥｎｄ）を構成するＯＦＤＭシンボルの個数が９〜１０個である場合は図２４（ｃ）のようなＤＭ−ＲＳパターンに従い、従来のＲｅｌ−１２  ＬＴＥシステムにおいてＤｗＰＴＳの長さが９ＯＦＤＭシンボルであるとき、ＤｗＰＴＳ構成１又は６として定義されたＥＰＤＣＣＨ構成に従うように設定することができる。
【０４２５】
方式５のさらに他の例として、ＤＬバーストのＰＥｎｄを構成するＯＦＤＭシンボルの個数が６〜８個である場合は図２４（ｄ）のようなＤＭ−ＲＳパターンに従い、従来のＲｅｌ−１２  ＬＴＥシステムにおいてＤｗＰＴＳの長さが６ＯＦＤＭシンボルであるとき、ＤｗＰＴＳ構成９として定義されたＥＰＤＣＣＨ構成に従うように設定することができる。
【０４２６】
この際、基地局は前もって設定されたＤＭ−ＲＳパターンの個数だけ（又はそれ以下の個数だけ）のＥＰＤＣＣＨ集合を構成することができ、端末はどのＥＰＤＣＣＨ集合をデコードするかによってＤＭ−ＲＳパターンを決定することができる。
【０４２７】
若しくは、基地局は各ＤＭ−ＲＳパターン別に（又は、一部のＤＭ−ＲＳパターンに対して）最大２個のＥＰＤＣＣＨ集合を設定することができ、ＵＥは明示的なシグナリング又はブラインドデコーディングによって認知したＤＭ−ＲＳパターンによって適切なＥＰＤＣＣＨ集合に対するデコーディングを試みることができる。
【０４２８】
このように、図２４に示したようにＳＦごとに４種のＤＭ−ＲＳパターン候補に対してＥＰＤＣＣＨデコーディング（又は、ＤＭ−ＲＳ  ＢＤ）を試みる場合、ＵＥ具現の側面で複雑度が非常に大きくなることができる。これを解決するために、以下に提案する方法の少なくとも一つの方法を活用することができる。
【０４２９】
（Ａ）方式５−１：Ｆｕｌｌ  ＳＦ又はｐＳＦを知らせる共通（共用）シグナリング（common signaling）との組合せ
共通シグナリングによって該当ＳＦがＦｕｌｌ  ＳＦであることを認知した端末は図２４（ａ）のようなＤＭ−ＲＳパターンを仮定し、ｐＳＦであることを認知したＵＥは図２４の（ｂ）、（ｃ）又は（ｄ）の中でどのＤＭ−ＲＳパターンが送信されるかを検出することによって該当ＰＥｎｄをデコードすることができる。
【０４３０】
（Ｂ）方式５−２：ＤＭ−ＲＳパターンを知らせる共通シグナリングとの組合せ
共通シグナリングによって該当ＳＦがどのＤＭ−ＲＳパターンであるかを検出した端末は図２４の（ａ）〜（ｄ）の中で特定のＤＭ−ＲＳパターンを仮定し、各ＤＭ−ＲＳパターンに対応して設定されたＥＰＤＣＣＨ集合に対するデコーディングを試みることができる。
【０４３１】
例えば、図２４（ｂ）のようなＤＭ−ＲＳパターンが送信されることが共通シグナリングによって端末に知らされた場合、該当端末はＥＰＤＣＣＨ終了シンボルが１１番目のＯＦＤＭシンボルに（又はそれ以下のＯＦＤＭシンボルに）設定されたＥＰＤＣＣＨ集合（等）に対するデコーディングを実行することができる。
【０４３２】
（Ｃ）方式５−３：ＳＦが何個のＯＦＤＭシンボルで構成されるかを知らせる共通シグナリングとの組合せ
共通シグナリングによって該当ＳＦの終了ＯＦＤＭシンボルが何番目のＯＦＤＭ  ｓｙｍｂｏｌであるかが分かったＵＥは、該当ＯＦＤＭシンボルで終わるように設定されるか、該当ＯＦＤＭシンボルより短く終わるように設定されるか及び／又は該当ＯＦＤＭシンボルより短く終わるように設定されたＥＰＤＣＣＨ集合の中で一番遅く終わるように設定されたＥＰＤＣＣＨ集合に対してデコーディングを実行することができる。
【０４３３】
（Ｄ）方式５−４：特定のＤＭ−ＲＳパターンを排除する方式
ＬＡＡシステムのＳＣｅｌｌで一部のＤＭ−ＲＳパターンは使わないように前もって設定することができる。若しくは、上位層シグナリングによって特定のＵセル又は特定の端末は一部のＤＭ−ＲＳパターンを使わないように設定することができる。
【０４３４】
例えば、６個のＯＦＤＭ  ｓｙｍｂｏｌで構成されたＤｗＰＴＳ構造を有するｐＳＦがＬＡＡシステムの特定のＳＣｅｌｌ又は特定のＵＥに許されなければ、図２４（ｄ）のようなＤＭ−ＲＳパターンは使わないように前もって設定することができる。すなわち、端末は該当ＤＭ−ＲＳパターンはデコーディングのときに仮定しないように設定することができる。
【０４３５】
他の例として、端末はＦｕｌｌ  ＳＦであるとしても、図２４の（ｂ）又は（ｃ）のようなＤＭ−ＲＳパターンを仮定してデコードするように設定することができる。
【０４３６】
さらに他の例として、１１個〜１３個のＯＦＤＭシンボルで構成されたｐＳＦの場合、図２４（ｂ）のＤＭ−ＲＳパターンを使うのではなく、図２４（ｃ）のＤＭ−ＲＳパターンを使うように設定することができる。
【０４３７】
（Ｅ）方式５−５：特定のＤＭ−ＲＳパターンの変形
６ＯＦＤＭシンボルで構成されたＤｗＰＴＳ構造をＬＡＡ  ＳＣｅｌｌでサポートせず、その代わりに７ＯＦＤＭシンボルで構成された新しいＤｗＰＴＳ構成を導入し、該当ＤｗＰＴＳの場合、図２４の（ｃ）のようなＤＭ−ＲＳパターンを仮定するように設定することができる。
【０４３８】
若しくは、図２４の（ｄ）のようなＤＭ−ＲＳパターンを使う場合、従来とは違うＤＭ−ＲＳシーケンスを使うように設定することができる。例えば、図２４の（ｄ）に示したＤＭ−ＲＳのスクランブルシーケンス（scrambling sequence）を初期化するための疑似ランダムシーケンス生成器（pseudo-random sequence generator）のパラメータの一つであるｎｓ値を０〜１９ではない他の値（例えば、ｐｒｅｄｅｆｉｎｅｄ  ｏｒ  ｃｏｎｆｉｇｕｒｅｄ  ｏｆｆｓｅｔ  ｖａｌｕｅ＋ｎｓ）に設定するかあるいはＮIDcell（又は、ｎID、iEPDCCH）値を上位層シグナリングによって特定の値に前もって設定しておくことができる。基地局及び／又は端末はこのように構成された特定のＤＭ−ＲＳパターンに基づいて該当サブフレームがＦｕｌｌであるか（又は）ＰＥｎｄであるかを決定（区分）する（determine）ことができる。
【０４３９】
４．７．４  Ｇ３）ＰＳｔａｒｔ、Ｆｕｌｌ及びＰＥｎを全て運用する方法
Ｇ３−Ａ）クロスキャリアスケジューリング端末の場合、端末はＧ２−Ａ）方式のようにＦｕｌｌ又はＰＥｎｄでのみスケジューリングされることを期待することができる。
【０４４０】
Ｇ３−Ｂ）セルフキャリアスケジューリング端末でありながらＰＤＣＣＨを介してスケジューリングされるように設定されたＵＥはＧ１−Ｂ）方式のようにＰＳｔａｒｔ及びＦｕｌｌでのみスケジューリングされることを期待することができる。若しくは、該当端末はＧ２−Ｂ）方式のようにＦｕｌｌ又はＰＥｎｄでのみスケジューリングされることを期待することができる。若しくは、該当端末はＰＳｔａｒｔ、Ｆｕｌｌ及びＰＥｎｄの全てでスケジューリングされることを期待することができる。
【０４４１】
この際、該当端末はＳＦ境界でＣＲＳ及び／又はＰＤＣＣＨデコーディングを実行し、デコーディングが成功すればＤＣＩ情報（又はＰＣＦＩＣＨ）を活用して該当ＳＦがＦｕｌｌであるかＰＥｎｄであるかを区別する（determine）ことができる。
【０４４２】
端末がＳＦ境界でデコーディングに失敗すれば、ＰＳｔａｒｔの最初のＯＦＤＭシンボルでさらにＣＲＳ及び／又はＰＤＣＣＨデコーディングを実行することができる。ＣＳＲ及び／又はＰＤＣＣＨデコーディングに成功すれば、端末はＰＳｔａｒｔが始まることを認知することができる。
【０４４３】
他の例として、端末がプリアンブルの位置及び／又はプリアンブルのシーケンスによってＳＦ境界から該当ＳＦが始まることを認知すれば、該当端末はＳＦ境界でＣＲＳ及び／又はＰＤＣＣＨデコーディングを実行し、デコーディングに成功すればＤＣＩ情報（又は、ＰＣＦＩＣＨ）を活用して該当ＳＦがＦｕｌｌであるかＰＥｎｄであるかを区別することができる。
【０４４４】
端末がプリアンブルの位置及び／又はシーケンスによってＰＳｔａｒｔであることを認知すれば、該当端末はＰＳｔａｒｔの最初のＯＦＤＭシンボルでさらにＣＲＳ及び／又はＰＤＣＣＨデコーディングを実行することができる。該当端末はデコーディングに成功すればＰＳｔａｒｔが始まることを認知することができる。
【０４４５】
Ｇ３−Ｃ）セルフキャリアスケジューリング端末でありながらＥＰＤＣＣＨを介してスケジューリングされるように設定された端末はＧ１−Ｃ）方式のようにＰＳｔａｒｔ及びＦｕｌｌのみがスケジューリングされることを期待することができる。若しくは、該当端末はＧ２−Ｃ）方式のようにＦｕｌｌ及びＰＥｎｄのみがスケジューリングされることを期待することができる。若しくは、該当端末はＰＳｔａｒｔ、Ｆｕｌｌ及びＰＥｎｄの全てがスケジューリングされることを期待することができる。若しくは、該当端末はＰＳｔａｒｔ及び／又はＰＥｎｄでＥＰＤＣＣＨをデコードすることができるかがＵＥ性能として定義され、ｅＮＢは該当端末がこのような性能を持っているとシグナリングされた端末に対してのみＰＳｔａｒｔ及び／又はＰＥｎｄのＥＰＤＣＣＨを介してスケジューリングするように設定することができる。若しくは、ｅＮＢはＵＥ別に及び／又はＵセル共通にＰＳｔａｒｔ及び／又はＰＥｎｄでＥＰＤＣＣＨを介したスケジューリングが可能か否かに対して上位層シグナリングによって構成可能である。
【０４４６】
若しくは、特定ＵＥの観点でＰＳｔａｒｔ及びＰＥｎｄの両方に対してＥＰＤＣＣＨがサポートされず、ＰＳｔａｒｔ及びＰＥｎｄの一方又はＦｕｌｌ  ＳＦでのみＥＰＤＣＣＨがサポートされるように制限されることができる。この際、該当ＵＥが、該当ＳＦがＰＳｔａｒｔであるか、Ｆｕｌｌであるか又はＰＥｎｄであるかを区別する方法は次の一つであってもよい。
【０４４７】
（Ａ）方式１：端末はＰＣｅｌｌ上の共通シグナルによる指示又はＬＡＡ  ＳＣｅｌｌ上のＰＣＦＩＣＨを介して該当ＳＦがＦｕｌｌであるかＰＥｎｄであるかを先に区別することができる。該当ＳＦがＰＥｎｄであればＧ−２Ｃ）方式の（Ａ）方式１を適用することができる。該当ＳＦがＦｕｌｌ又はＰＥｎｄではないと判断されれば、該当端末は該当ＳＦがＰＳｔａｒｔであると仮定し、Ｇ−１Ｃ）方式の（Ａ）〜（Ｄ）方式４を適用することができる。
【０４４８】
（Ｂ）方式２：基地局は明示的シグナリングによって該当ＳＦのタイプを端末に指示することができる。例えば、４．２節で提案した４種のＥＰＤＣＣＨタイプの中で（４）番目のＥＰＤＣＣＨ（すなわち、最初の一部のＯＦＤＭシンボル及び最後の一部のＯＦＤＭシンボルが満たされない（空である）（empty）ＥＰＤＣＣＨフォーマット）のみを許し、基地局は該当ＥＰＤＣＣＨ上で該当ＳＦがＰＳｔａｒｔであるかＦｕｌｌであるか又はＰＥｎｄであるかを指示するか、あるいは該当ＳＦの長さを指示することができる。
【０４４９】
（Ｃ）方式３：システム上で三つのＥＰＤＣＣＨ集合を定義し、各ＥＰＤＣＣＨ集合別に用途を前もって設定しておくことができる。この際、ＵＥはどのＥＰＤＣＣＨ集合をデコードするかによって該当ＳＦがＰＳｔａｒｔであるかＦｕｌｌであるか又はＰＥｎｄであるかが分かる。
【０４５０】
（Ｄ）方式４：明示的シグナリングと暗黙的（黙示的に）シグナリングとの組合せ
ｉ）方式４Ａ：システム上で二つのＥＰＤＣＣＨ集合の一方はＦｕｌｌ用途に、他方はＰＳｔａｒｔ又はＰＥｎｄ用途に設定することができる。基地局は該当ＳＦがＰＳｔａｒｔ若しくはＰＥｎｄであるか否か（ＰＳｔａｒｔであるかＰＥｎｄであるか）を又はＳＦの長さを該当ＥＰＤＣＣＨ上で指示することができる。
【０４５１】
ｉｉ）方式４Ｂ：システム上で二つのＥＰＤＣＣＨ集合の一方はＰＳｔａｒｔ用途に、他方はＦｕｌｌ又はＰＥｎｄ用途に設定することができる。基地局は該当ＳＦがＦｕｌｌ若しくはＰＥｎｄであるか（ＦｕｌｌであるかＰＥｎｄであるか）を又はＳＦの長さを該当ＥＰＤＣＣＨ上で端末に指示することができる。
【０４５２】
ｉｉｉ）方式４Ｃ：システム上で二つのＥＰＤＣＣＨ集合の一方はＰＥｎｄ用途に、他方はＦｕｌｌ又はＰＳｔａｒｔ用途に設定することができる。基地局は該当ＳＦがＦｕｌｌ若しくはＰＳｔａｒｔであるか（ＦｕｌｌであるかＰＳｔａｒｔであるか）を又はＳＦの長さを該当ＥＰＤＣＣＨ上で端末に指示する。
【０４５３】
ｉｖ）方式４Ｄ：システム上で二つのＥＰＤＣＣＨ集合の一方はＦｕｌｌ又はＰＳｔａｒｔ用途に設定し、他方はＦｕｌｌ又はＰＥｎｄ用途に設定することができる。基地局は該当ＳＦがＦｕｌｌ若しくはＰＳｔａｒｔであるか（ＦｕｌｌであるかＰＳｔａｒｔであるか）、又は（あるいは）Ｆｕｌｌ若しくはＰＥｎｄであるか（ＦｕｌｌであるかＰＥｎｄであるか）をＥＰＤＣＣＨ上で指示することができる。或いは、基地局は該当ＳＦの長さを各ＥＰＤＣＣＨ上でさらに指示することができる。
【０４５４】
ｖ）方式４Ｅ：システム上で三つのＥＰＤＣＣＨの一つはＦｕｌｌ用途に、他の一つはＰＳｔａｒｔ又はＦｕｌｌ用途に、さらに他の一つはＦｕｌｌ又はＰＥｎｄ用途に設定することができる。この際、基地局は該当ＳＦがＦｕｌｌ若しくはＰＳｔａｒｔであるか（ＦｕｌｌであるかＰＳｔａｒｔであるか）、又はＦｕｌｌ若しくはＰＥｎｄであるか（ＦｕｌｌであるかＰＥｎｄであるか）を各ＥＰＤＣＣＨ上で端末に指示することができる。或いは、端末は該当ＳＦの長さを各ＥＰＤＣＣＨ上でさらに端末に指示することができる。
【０４５５】
ｖｉ）方式４Ｆ：システム上で三つのＥＰＤＣＣＨ集合の一つはＦｕｌｌ用途に、他の一つはＰＳｔａｒｔ又はＦｕｌｌ用途に、さらに他の一つはＰＥｎｄ用途に設定することができる。基地局は該当ＳＦがＦｕｌｌ若しくはＰＳｔａｒｔであるか（ＦｕｌｌであるかＰＳｔａｒｔであるか）を又は該当ＳＦの長さを該当ＥＰＤＣＣＨを介して端末に指示することができる。
【０４５６】
ｖｉｉ）方式４Ｇ：システム上で三つのＥＰＤＣＣＨ集合の一つはＦｕｌｌ用途に、他の一つはＰＳｔａｒｔ用途に、さらに他の一つはＦｕｌｌ又はＰＥｎｄ用途に設定することができる。基地局は該当ＳＦがＦｕｌｌ若しくはＰＥｎｄであるか（ＦｕｌｌであるかＰＥｎｄであるか）を又はＳＦの長さを該当ＥＰＤＣＣＨを介して端末に指示することができる。
【０４５７】
４．７．５  ＥＰＤＣＣＨを介したＳＦタイプ指示方法
上述した４．７．１節、４．７．３節及び４．７．４節で提案した方法において、基地局はＥＰＤＣＣＨに新しいフィールドを追加して該当ＳＦのタイプを端末に指示することができる。例えば、新しいフィールドは（１）ＰＳｔａｒｔ若しくはＦｕｌｌであるか（ＰＳｔａｒｔであるかＦｕｌｌであるか）、（２）Ｆｕｌｌ若しくはＰＥｎｄであるか（ＦｕｌｌであるかＰＥｎｄであるか）、又は（３）ＰＳｔａｒｔ、Ｆｕｌｌ若しくはＰＥｎｄであるか（ＰＳｔａｒｔであるか、ＦｕｌｌであるかあるいはＰＥｎｄであるか）を示すことができる。また、基地局は該当ＥＰＤＣＣＨを介して送信される新しいフィールドを定義して該当ＳＦの長さなどを端末に指示することができる。
【０４５８】
他の方法としては、セルフキャリアスケジューリングＵＥ又はＰＵＣＣＨ  ＨＡＲＱ−ＡＣＫフィードバックのためにＰＵＣＣＨフォーマット３伝送が設定されたＵＥに対し、基地局はＬＴＥ−ＡシステムのＤＣＩフォーマットに含まれるＡＲＯ（HARQ-ACK Resource Offset）フィールドをＳＦのタイプを指示するための用途に借用することができる。すなわち、該当端末がＡＲＯを受信するとき、元のＡＲＯが指示する内容ではない該当ＳＦのタイプを認識することができる。
【０４５９】
さらに他の方法として、クロスキャリアスケジューリングＵＥでありながらＰＵＣＣＨ  ＨＡＲＱ−ＡＣＫフィードバックのためにチャネル選択のためのＰＵＣＣＨフォーマット１ａ／１ｂが設定されたＵＥに対し、基地局はＤＣＩフォーマットに含まれるＴＰＣ（Transmit Power Control）フィールドをＳＦのタイプを指示するための用途に借用することができる。
【０４６０】
さらに他の方法として、セルフキャリアスケジューリングＵＥ（であるか）若しくは（あるいは）ＰＵＣＣＨ  ＨＡＲＱ−ＡＣＫフィードバックのためにＰＵＣＣＨフォーマット３伝送が設定されたＵＥのＡＲＯフィールド、又はクロスキャリアスケジューリングＵＥでありながらＰＵＣＣＨ  ＨＡＲＱ−ＡＣＫフィードバックのためのチャネル選択のためにＰＵＣＣＨフォーマット１ａ／１ｂが設定されたＵＥに送信されるＴＰＣフィールドは、他の用途にも使われることができる（an ARO field for a self-carrier scheduled UE or a UE for which PUCCH format 3 transmission is configured to feed back a PUCCH HARQ-ACK, or a TPC field for a cross-carrier scheduled UE for which PUCCH format 1a/1b is configured for channel selection to feed back a PUCCH HARQ-ACK, may be used for another usage）。
【０４６１】
例えば、基地局は該当ＳＦ（又は、ＤＬ  Ｔｘ  ｂｕｒｓｔ）の参照信号電力値（又は、参照信号に対するデータ電力の比又はデータ電力値）を端末に指示することができる。他の例として、基地局は該当ＳＦに対するディスカバリ参照信号（discovery Reference Signal）伝送が可能か否か及び／又はＰＤＳＣＨレートマッチングパターン（PDSCH rate matching pattern）を端末に指示することができる。
【０４６２】
４．７．６  ＥＰＤＣＣＨサーチスペース及びＢＤ
上記提案した方法Ｇ１）〜Ｇ３）において、ＥＰＤＣＣＨの場合（４．７．１節、４．７．３節及び４．７．４節参照）、従来ＬＴＥシステムで定義されたＥＰＤＣＣＨサーチスペースに対するブラインドデコーディング（ＢＤ）より多いＢＤが端末に要求されないようにするために、ＥＰＤＣＣＨ集合候補（EPDCCH set candidate）別に端末がＢＤを分けて実行するように設定することができる。
【０４６３】
このような方法は、上述した方法Ｇ１−Ｃ）の方式３／４及び方法Ｇ２−Ｃ）の方式４／５のようにシステム上にＦｕｌｌ用途のＥＰＤＣＣＨ（相対的に長い長さのＥＰＤＣＣＨ）とｐＳＦ用途のＥＰＤＣＣＨ（相対的に短い長さのＥＰＤＣＣＨ）とを共に設定しておき、端末がどの長さのＥＰＤＣＣＨに対してデコーディングが成功したかによって該当ＳＦがＦｕｌｌであるかｐａｒｔｉａｌ  ＳＦであるかを区別するときに適用することができる。
【０４６４】
より詳細に説明すれば、従来のＬＴＥシステムにおいて端末がＥＰＤＣＣＨに対して行うサーチスペースに対するＢＤ回数をＮであると仮定するとき、Ｆｕｌｌ用途のＥＰＤＣＣＨ（相対的に長い長さのＥＰＤＣＣＨ）に対して端末がＢＤをＮ回、ｐＳＦ用途のＥＰＤＣＣＨ（相対的に短い長さのＥＰＤＣＣＨ）に対しても端末がＢＤをＮ回実行するように設定することができる。しかし、このような場合、ＵＥ具現の複雑度が増加することができる。
【０４６５】
これを解決するために、端末がＦｕｌｌ用途のＥＰＤＣＣＨを検出するために行うＢＤ回数とｐＳＦ用途のＥＰＤＣＣＨに対して行うＢＤ回数との総和をＮ回に維持するように設定することができる。
【０４６６】
例えば、端末はＦｕｌｌ用途のＥＰＤＣＣＨに対して行うＢＤ回数をＮ／２回に、ｐＳＦ用途のＥＰＤＣＣＨに対して行うＢＤ回数をＮ／２回に均等に分けて実行するように構成されることができる。他の例として、端末はＦｕｌｌ用途のＥＰＤＣＣＨに対して行うＢＤ回数をｐＳＦに対するＥＰＤＣＣＨに対して行うＢＤ回数より多く実行するように構成するか、その反対に構成することができる。
【０４６７】
４．７．７  ｐＳＦの位置を通知する方法
上述した方法Ｇ１）〜Ｇ３）において、ＰＳｔａｒｔ及び／又はＰＥｎｄの位置は上位層シグナリングによって基地局及び／又は端末に前もって設定することができる。Ｆｕｌｌ及びＰＥｎｄでのみスケジューリングされるように期待するＵＥがあれば、該当ＵＥは前もって設定されたＦｕｌｌ及びＰＥｎｄの位置でのみスケジューリングを期待することができる。
【０４６８】
４．７．８  スケジューリング制限方法
上記提案した方法Ｇ２）及び方法Ｇ３）のようにｅＮＢがＰＥｎｄを運用する場合、ＤＭ−ＲＳに基づく伝送モード（ＴＭ）を使うＵＥに対するスケジューリング制限（scheduling restriction）を設定することができる。
【０４６９】
例えば、ｅＮＢはＥＰＤＣＣＨが構成されたセルフスケジューリングＵＥ又はＤＭ−ＲＳに基づくＴＭが構成されたＵＥに該当ＰＥｎｄに対してスケジューリングを実行しないこともできる。この際、ｅＮＢがＰＥｎｄを運用しても、該当ＰＥｎｄ上でＤＭ−ＲＳを端末に送信しないように設定することができる。
【０４７０】
より詳細に説明すれば、ＤＭ−ＲＳに基づくＴＭが構成されたＵＥに対してＰＣｅｌｌの共通シグナリング、ＰＣＩＦＣＨ又はＰＤＣＣＨが構成されたセルフ／クロススケジューリング端末の場合、ＰＤＣＣＨなどを介して該当ＳＦがＰＥｎｄであることを指示することができる場合、該当端末が該当ＳＦに対するスケジューリンググラントを受信すれば、該当スケジューリンググラントはこれ以上有効ではないと見なすことができる。
【０４７１】
若しくは、端末は該当ＳＦの長さによってスケジューリンググラントの有効性を異なるように解釈することができる。例えば、ＵＥは（どの）ＳＦの長さがＸ個のＯＦＤＭシンボル（X OFDM symbols）以上でありながらＰＥｎｄである場合には、該当ＳＦのスケジューリンググラントは有効であると判断することができ、Ｘ個のＯＦＤＭシンボル未満でありながらＰＥｎｄである場合は、該当ＳＦのスケジューリンググラントが有効ではないと判断することができる。
【０４７２】
４．７．９  ＣＳＩ構成制限方法
ＥＰＤＣＣＨが構成されたセルフスケジューリング端末が（どの）ＳＦでスケジューリンググラントを受信し、該当ＳＦに構成されたＣＳＩ−ＲＳ／ＣＳＩ−ＩＭが存在する場合にも、ＵＥは該当ＳＦに有効なＣＳＩ−ＲＳ／ＣＳＩ−ＩＭなどが存在しないと仮定することができる。より詳細に説明すれば、該当ＳＦがＰＥｎｄであり、該当ＳＦに構成されたＣＳＩ−ＲＳ／ＣＳＩ−ＩＭが存在するとしても、端末は該当ＳＦに有効なＣＳＩ−ＲＳ／ＣＳＩ−ＩＭなどが存在しないと仮定してＣＳＩなどを測定することができる。
【０４７３】
若しくは、該当ＳＦがＰＥｎｄであるとしても、該当ＳＦの長さによって他の端末の動作を定義することができる。例えば、ＰＥｎｄである場合に適用可能なＣＳＩ−ＲＳ／ＣＳＩ−ＩＭ構成が別に決定されていれば、端末はＰＥｎｄであると判断されるＳＦに対しては該当ＣＳＩ−ＲＳ／ＣＳＩ−ＩＭ構成を適用することができる。
【０４７４】
このような方法はＥＰＤＣＣＨが構成されたセルフスケジューリング端末に限られず、一般に適用可能である。例えば、該当ＳＦにＣＲＳ又はスケジューリング情報が存在すること（ＣＲＳが存在することを認知したかスケジューリング情報があること）を認知したＵＥであっても（even though a UE recognizes the presence of CRSs or scheduling information in an SF）、該当ＳＦがＰＥｎｄ（又は、ＰＳｔａｒｔ）であれば、該当ＳＦに構成されたＣＳＩ−ＲＳ／ＣＳＩ−ＩＭがあるとしても該当ＳＦに有効なＣＳＩ−ＲＳ／ＣＳＩ−ＩＭなどが存在しないと仮定することができる。
【０４７５】
或いは（若しくは）（Or）、ＰＥｎｄ（又は、ＰＳｔａｒｔ）である場合に適用可能なＣＳＩ−ＲＳ／ＣＳＩ−ＩＭ構成が別に設定される場合、端末はＰＥｎｄ（又は、ＰＳｔａｒｔ）であると判断されるＳＦに対してはＣＳＩ−ＲＳ／ＣＳＩ−ＩＭ構成を適用することができる。
【０４７６】
４．７．１０  予約信号伝送方法
ＬＡＡシステムのＳＣｅｌｌでデータ伝送のための時点が制限されているとき（例えば、ＳＦ  ｂｏｕｎｄａｒｙ）、ＬＢＴ終了時点（又は、ＣＣＡ終了時点、ＣＳ終了時点など）と実際のデータ伝送時点との間にタイミングギャップが存在し得る。特に、ＬＡＡ  ＳＣｅｌｌは該当ｅＮＢ及びＵＥが独占的に使うことができなく、ＣＳに基づくコンテンションによって用いなければならないので、このようなタイミングギャップの間に他のシステムが情報伝送を試みることもできる。よって、一例として、基地局はＬＡＡ  ＳＣｅｌｌでタイミングギャップの間に他のシステムが情報伝送を試みることを防止するために予約信号を送信することが好ましい。
【０４７７】
しかし、予約信号を余りにも長い時間の間で送信する場合、ＬＴＥシステムの性能が低下するだけでなくＷｉＦｉ（登録商標）システムにも予約信号が干渉として作用することができるため、ＷｉＦｉ（登録商標）システムの性能も低下する。
【０４７８】
このような問題を解決するために、システム上で予約信号伝送に対する最大値（すなわち、Ｋｍｓ）を設定しておくことができる。例えば、Ｋ＝１ｍｓ（１ＳＦ）又はＫ＝０．５ｍｓ（１ｓｌｏｔ）に設定することができる。この際、ＡＧＣ／ｆｉｎｅ  ｓｙｎｃｈｒｏｎｉｚａｔｉｏｎ／ｃｅｌｌ  ｉｄｅｎｔｉｆｉｃａｔｉｏｎなどの目的で各ＤＬ  ＴＸバーストの前側に（始めの方で）（at the start of each DL TX burst）ＰＳＳ／ＳＳＳ／ＣＲＳなどで構成されたプリアンブルがＺ  ＯＦＤＭシンボルの長さ（例えば、Ｚ＞＝１）の間に送信されなければならないとき、Ｋ時間値はＺを含んで設定するかあるいはＺを除いた時間に設定することができる。
【０４７９】
また、連続したＤＬ  ＴＸバーストが送信されるとき、浪費されるＳＦを最小にするために、ＤＬ  ＴＸバーストの最後のＳＦ又はＤＬ  ＴＸバーストの最初のＳＦの一部のＯＦＤＭシンボルの間にＴＸギャップを前もって設定しておくことができる。ＴＸギャップの間にＬＢＴが完了することができれば、１ＳＦが全部浪費されることを避けることができるという利点がある。Ｕセルの場合、所定の時間が占有された以後には、基地局はさらにＬＢＴを実行しなければならない。よって、ＴＸギャップは基地局が所定のＳＦを占有するためのＬＢＴ実行を保証するための時間値に設定することができる。
【０４８０】
このようなＴＸギャップがＷ  ＯＦＤＭシンボルに設定されている場合、予約信号の最大伝送時間値もＷ  ＯＦＤＭシンボルに設定することができる。この際、各ＴＸバーストの前側にＰＳＳ／ＳＳＳ／ＣＲＳなどで構成されたプリアンブルがＺ  ＯＦＤＭシンボルの長さ（例えば、Ｚ＞＝１）の間に送信されなければならないとき、Ｗ  ＯＦＤＭシンボル内にＺ値を含んで設定するかあるいはＺを除いた時間に設定することができる。
【０４８１】
ＴＸバーストごとにＴＸギャップの大きさが可変である場合、予約信号の最大値も可変であるＴＸギャップの大きさと同一であってもよく、使用可能なＴＸギャップの最大値と同一であってもよい。このときの予約信号伝送の最大値もプリアンブルを含む時間に設定するかあるいはプリアンブルを除いた時間に設定することができる。
【０４８２】
上記提案した予約信号の長さの最大値の制限は下りリンクだけでなく上りリンクにも同じ方法を適用することができ、下りリンク予約信号の長さの最大値と上りリンク予約信号の長さの最大値とは同一に設定することもでき、あるいは独立して設定することもできる。
【０４８３】
上りリンクの場合、予約信号の長さはＴＸギャップの設定に関係なくてもよく、１ｍｓより大きい長さの予約信号も許されることができる。
【０４８４】
上述した予約信号の長さであるＫｍｓのうちＬＢＴ動作に必要な最小キャリアセンシング（ＣＳ）時間が除かれた時間を予約信号の長さの最大値に設定することもできる。
【０４８５】
４．８  ディスカバリ参照信号伝送のためのｐＳＦ
４．１節〜４．７節で提案したｐＳＦはＰＤＳＣＨが含まれたＤＬ  ＴＸバーストの場合に適用することができるだけでなく、ディスカバリ参照信号（ＤＲＳ：Discovery Reference Signal）が送信されるｐＳＦにも適用することができる。
【０４８６】
例えば、ＤＬバーストが始まることができる位置（例えば、ＣＲＳアンテナポート０で送信されるＯＦＤＭシンボルの中のＫ個）が前もって設定されていれば、ＤＲＳが送信されるｐＳＦもＤＬ  ＴＸバーストが始まることができる位置に限ってのみ始まることができるように設定することができる。
【０４８７】
若しくは、ＤＲＳが送信されるｐＳＦはＤＬ  ＴＸバーストが始まることができる位置の一部に限ってのみ始まることができるように設定することができる。
【０４８８】
前述した提案方法の実施例も本発明の具現方法の一つとして含まれることができるので、一種の提案方法として見ることができるのは明らかな事実である。また、前述した提案方式は独立して具現されることもできるが、一部の提案方式の組合せ（あるいはマージ（併合）形態で）具現されることもできる。上記提案方法の適用が可能か否かについての情報（又は、上記提案方法の規則についての情報）は基地局が端末に前もって定義されたシグナル（例えば、物理層シグナル又は上位層シグナル）によって知らせるように定義されることができる。
【０４８９】
４．９  クロスキャリアスケジューリングのとき（時、場合）（case）の実施例
以下で説明する実施例は４．１．５節で説明した方法を図面に基づいて端末と基地局との間のシグナリングの観点でより詳細に説明するためのものである。図２５はクロスキャリアスケジューリングが構成された場合、端末がデコードするサブフレームを制限する方法を説明する図である。
【０４９０】
図２５はＬＡＡシステムに関するもので、ＰセルはＬＴＥ−Ａシステムなどのライセンスバンドに構成されるセルであり、Ｕセルはアンライセンスバンドに構成されるセルである。端末はＰセルの上位層シグナリングによってクロスキャリアスケジューリングを構成することができる（Ｓ２５１０）。
【０４９１】
この際、端末はＳ２５１０段階で送信されるクロスキャリアスケジューリング情報によって、キャリアアグリゲーションされるセルが分かる。クロスキャリアスケジューリング情報はＵセルを指示するセル識別子（Cell ID）を含むことができる。
【０４９２】
その後、基地局はＵセル上でキャリアセンシング過程（又はＬＢＴ、ＣＣＡなど）によってＵセルがアイドル状態であるか否かを判断することができる（Ｓ２５２０）。このとき、Ｓ２５２０段階では図１４で説明した過程（Ｓ１４１０〜Ｓ１４３０）を実行することができる。
【０４９３】
Ｕセルがアイドル状態である場合、基地局はＵセルを介して端末にデータを送信するためのスケジューリング情報を含むＰＤＣＣＨ及び／又はＥＰＤＣＣＨを送信することができる（Ｓ２５３０）。
【０４９４】
ただし、先に４．１節で説明した方法において端末にクロスキャリアスケジューリング及びプレスケジューリング方式が構成される場合、端末及び基地局がＵセル上で実際にどの時点でＣＣＡ動作（又は、ＣＳ動作、ＬＢＴ動作）が完了するかを予測することができない。したがって、端末は設定されたＴｘＯＰ区間にｐＳＦが含まれてもｐＳＦにはＰＤＳＣＨがスケジューリングされることを期待しないこともできる。例えば、端末はＰＳｔａｒｔのみスケジューリングされることを期待せず、Ｆｕｌｌ  ＳＦ又はＰＥｎｄに対してはクロスキャリアスケジューリングを期待することができる。すなわち、端末はＦｕｌｌ  ＳＦ及びＰＥｎｄに対してはＰＤＳＣＨがスケジューリングされると把握してデータを受信することができる。また、基地局は端末にクロスキャリアスケジューリングが構成された場合にｐＳＦにＰＤＳＣＨをスケジューリングしないように構成されることができる（Ｓ２５４０）。
【０４９５】
Ｓ２５４０段階でｐＳＦにＰＤＳＣＨがスケジューリングされない場合、該当ｐＳＦは同期過程、ＡＧＣ設定及び／又はセル識別のための用途に使われることができる。
【０４９６】
４．１０  セルフキャリアスケジューリングのときの実施例
以下で説明する実施例は４．２節で説明したセルフスケジューリング方式を端末と基地局との間のシグナリングの観点で説明するためのものである。
【０４９７】
基地局はＵセルでＣＳ過程を行ってＵセルがアイドル状態であるか否かを判断することができる。ＣＳ過程についての説明は図１４及び３．１節〜３．３節の内容を参照することができる（Ｓ２６１０）。
【０４９８】
Ｕセルがアイドル状態であると判断されれば、基地局はセルフスケジューリングのために送信するＰＤＣＣＨ及び／又はＥＰＤＣＣＨを構成することができる。このとき、ＰＤＣＣＨ及び／又はＥＰＤＣＣＨを構成する方法は４．２．１節〜４．２．３．７節を参照することができる。特に、基地局は、ＴｘＯＰ区間（又は、ＤＬバースト区間、ＲＲＰ区間）にｐＳＦが含まれた場合、ＰＤＣＣＨの場合は４．２．１節、ＥＰＤＣＣＨの場合は４．２．３節で説明した方式で構成して送信することができる。ＥＰＤＣＣＨの場合、ＥＰＤＣＣＨを構成するＥＣＣＥ、一つのＥＣＣＥを構成するＥＲＥＧ、ＥＰＤＣＣＨが送信されるサーチスペースなどはｐＳＦを考慮して設定することができる（Ｓ２６２０）。
【０４９９】
端末は、ＰＤＣＣＨ及び／又はＥＰＤＣＣＨを受信するためにＬＡＡシステムで定義するサーチスペースをデコードして各制御情報を獲得することができる。
【０５００】
その後、基地局はＵセルのＴｘＯＰ区間で各サブフレームをスケジューリングするためにＰＤＣＣＨ及び／又はＥＰＤＣＣＨを端末に送信することができ、ＰＤＣＣＨ及び／又はＥＰＤＣＣＨに含まれたスケジューリング情報に基づいて端末にＰＤＳＣＨを送信することができる（Ｓ２６３０、Ｓ２６４０）。
【０５０１】
４．１１  ｐＳＦが構成されるときのＣＳＩ測定及び報告方法
以下では、ｐＳＦが端末に構成される場合、ＣＳＩを測定及び報告する方法をシグナリングの観点で説明する。
【０５０２】
図２７はｐＳＦが構成される場合にＣＳＩを測定及び報告する方法を説明する図である。
【０５０３】
以下の説明は基本的に４．４節で説明した内容に基づいて記述する。図２７を参照すると、基地局はＵセルでＣＳ過程を実行し、Ｕセルがアイドル状態の場合、ＴｘＯＰ区間などで端末にＰＤＳＣＨを送信する。これについての説明は図１４及び３．１節〜３．３節の内容を参照することができる（Ｓ２７１０、Ｓ２７２０）。
【０５０４】
端末は周期的又は非周期方式でＣＳＩを測定することができる。このとき、端末はＵセルで送信されるＰＤＳＣＨにマッピングされるＣＳＩ−ＲＳリソース、ＣＳＩ−ＩＭリソース及びＣＲＳなどに基づいてＣＳＩを測定することができる（Ｓ２７３０）。
【０５０５】
ただし、Ｓ２７２０段階でＴｘＯＰ区間（又は、ＲＲＰ、ＤＬバースト）にｐＳＦが含まれた場合、Ｓ２７３０段階で端末がＣＳＩを測定するとき、ｐＳＦをＣＳＩ測定のための有効な参照リソースとして使うことができるかが問題となる。本発明の実施例では、端末と基地局との間のｐＳＦの長さなどの不一致問題を解消するために、端末がＣＳＩを測定するときｐＳＦは有効なＳＦと見なさないことができる。これについての説明は４．４．１節を参照する。
【０５０６】
本実施例の他の態様として、ｐＳＦも有効なＳＦと見なすことができるが、これについての詳細な説明は４．４．２節の内容で置き換える。
【０５０７】
非周期方式でＣＳＩを報告する場合には基地局の要求（要請）（request）がなければならないので、Ｓ２７４０ａ又はＳ２７４０ｂ段階を実行する。すなわち、基地局はＰセル及び／又はＵセルを介して、ＣＳＩ要求フィールドを含むＰＤＣＣＨ及び／又はＥＰＤＣＣＨを端末に送信してＣＳＩを報告することを指示する（Ｓ２７４０ａ、Ｓ２７４０ｂ）。
【０５０８】
ただし、端末が周期方式でＣＳＩを報告する場合にはＳ２７４０ａ／ｂ段階を実行しないこともできる。
【０５０９】
端末は周期的に又は非周期的にＣＳＩを測定して基地局に報告することができる（Ｓ２７５０ａ、Ｓ２７５０ｂ）。
【０５１０】
Ｓ２７４０ｂ及びＳ２７５０ｂ段階はセルフキャリアスケジューリングのときに実行することができ、クロスキャリアスケジューリングの場合には実行しないこともできる。
【０５１１】
５．  具現装置
図２８で説明する装置は、図１乃至図２７で説明した方法を具現し得る手段である。
【０５１２】
端末（ＵＥ：User Equipment）は、上りリンクでは送信端として動作し、下りリンクでは受信端として動作することができる。また、基地局（ｅＮＢ：e-NodeB）は、上りリンクでは受信端として動作し、下りリンクでは送信端として動作することができる。
【０５１３】
すなわち、端末及び基地局は、情報、データ及び／又はメッセージの送信及び受信を制御するために、それぞれ、送信器（transmitter）２８４０、２８５０及び受信器（receiver）２８６０、２８７０を備えることができ、情報、データ及び／又はメッセージを送受信するための一つ又は複数のアンテナ２８００、２８１０などを有することができる。
【０５１４】
また、端末及び基地局はそれぞれ、上述した本発明の実施例を実行するためのプロセッサ（Processor）２８２０、２８３０、及びプロセッサの処理過程を一時的に又は持続的に記憶し得るメモリ２８８０、２８９０を備えることができる。
【０５１５】
上述した端末及び基地局装置の構成成分及び機能を用いて本発明の実施例を実行することができる。例えば、基地局のプロセッサはバックオフカウント値を設定し、各ＴＴＩ（又は、ＳＦ）でバックオフ可能（許容）（is allowed）区間であるかを判断することができる。基地局のプロセッサは、バックオフ可能区間であれば送信器及び／又は受信器を制御してＣＳを実行し、ＣＳが実行されればバックオフカウント値を１ずつ減らすことができる。その後、バックオフカウント値が０となれば、基地局のプロセッサは予約信号及び／又はデータをＵセルを介して端末に送信するか端末から受信することができる。
【０５１６】
また、上述した端末及び基地局のプロセッサは、上述したクロスキャリアスケジューリング、セルフキャリアスケジューリング、ハイブリッドスケジューリング、ｐＳＦに対するＣＳＩ測定方法、フローティングＴＴＩ構成方法、ＰＤＣＣＨ領域及びＥＰＤＣＣＨ領域構成方法及びこのための動作をサポートするように構成されている。端末及び基地局のプロセッサはこのために送信器及び受信器と機能的に接続され、これらを制御することができる。
【０５１７】
端末及び基地局に含まれた送信モジュール及び受信モジュールは、データ送信のためのパケット変復調機能、高速パケットチャネルコーディング機能、直交周波数分割多元接続（ＯＦＤＭＡ：Orthogonal Frequency Division Multiple Access）パケットスケジューリング、時分割二重通信（デュプレックス）（ＴＤＤ：Time Division Duplex）パケットスケジューリング及び／又はチャネル多重化機能を実行することができる。また、図２８の端末及び基地局は、低電力ＲＦ（Radio Frequency）／ＩＦ（Intermediate Frequency）モジュールをさらに備えることができる。
【０５１８】
一方、本発明では、端末として、個人携帯端末機（ＰＤＡ：Personal Digital Assistant）、セルラフォン、個人通信サービス（ＰＣＳ：Personal Communication Service）フォン、ＧＳＭ（登録商標）（Global System for Mobile）フォン、ＷＣＤＭＡ（登録商標）（Wideband CDMA）フォン、ＭＢＳ（Mobile Broadband System）フォン、ハンドヘルドＰＣ（Hand-Held PC）、ノートパソコン、スマート（Smart）フォン、又はマルチモードマルチバンド（ＭＭ−ＭＢ：Multi Mode-Multi Band）端末機などを用いることができる。
【０５１９】
ここで、スマートフォンは、移動通信端末器と個人携帯端末器との長所を組み合わせた端末機であって、移動通信端末器に、個人携帯端末器の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡ（登録商標）システムなど）でも作動できる端末機のことを指す。
【０５２０】
本発明の実施例は、様々な手段によって具現することができる。例えば、本発明の実施例は、ハードウェア、ファームウェア（firmware）、ソフトウェア又はそれらの組合せ（結合）（combination）などによって具現することができる。
【０５２１】
ハードウェアによる具現の場合、本発明の実施例に係る方法は、１つ又は複数のＡＳＩＣ（Application Specific Integrated Circuit）、ＤＳＰ（Digital Signal Processor）、ＤＳＰＤ（Digital Signal Processing Device）、ＰＬＤ（Programmable Logic Device）、ＦＰＧＡ（Field Programmable Gate Arrays）、プロセッサ、コントローラ、マイクロコントローラ、マイクロプロセッサなどによって具現することができる。
【０５２２】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット２８８０、２８９０に記憶され、プロセッサ２８２０、２８３０によって駆動されてもよい。メモリユニットは、プロセッサの内部又は外部に設けられ、公知の種々の手段によってプロセッサとデータを交換することができる。
【０５２３】
本発明は、本発明の精神及び必須の特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を組み合わせて（結合して）（in combination）実施例を構成してもよく、出願後の補正によって新しい請求項として含めてもよい。
【産業上の利用可能性】
【０５２４】
本発明の実施例は、様々な無線アクセスシステムに適用可能である。様々な無線アクセスシステムの一例として、３ＧＰＰ（3rd Generation Partnership Project）、３ＧＰＰ２及び／又はＩＥＥＥ  ８０２．ｘｘ（Institute of Electrical and Electronic Engineers 802）システムなどがある。本発明の実施例は、上記の様々な無線アクセスシステムだけでなく、これらの様々な無線アクセスシステムを応用したいずれの技術分野にも適用可能である。
【図１】
2018201236.tif 000043
【図２】
2018201236.tif 000044
【図３】
2018201236.tif 000045
【図４】
2018201236.tif 000046
【図５】
2018201236.tif 000047
【図６】
2018201236.tif 000048
【図７】
2018201236.tif 000049
【図８】
2018201236.tif 000050
【図９】
2018201236.tif 000051
【図１０】
2018201236.tif 000052
【図１１】
2018201236.tif 000053
【図１２】
2018201236.tif 000054
【図１３】
2018201236.tif 000055
【図１４】
2018201236.tif 000056
【図１５】
2018201236.tif 000057
【図１６】
2018201236.tif 000058
【図１７】
2018201236.tif 000059
【図１８】
2018201236.tif 000060
【図１９】
2018201236.tif 000061
【図２０】
2018201236.tif 000062
【図２１】
2018201236.tif 000063
【図２２】
2018201236.tif 000064
【図２３】
2018201236.tif 000065
【図２４】
2018201236.tif 000066
【図２５】
2018201236.tif 000067
【図２６】
2018201236.tif 000068
【図２７】
2018201236.tif 000069
【図２８】
2018201236.tif 000070
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
アンライセンスバンドをサポートする無線アクセスシステムにおいて前記アンライセンスバンドに構成されるセルを介してデータを受信する方法であって、
端末が、基地局からプライマリセル（ＰＣｅｌｌ）を介して制御情報を受信する段階と、
前記端末が、前記基地局から、前記制御情報に基づいて前記アンライセンスバンドに構成されるアンライセンスバンドセル（ＵＣｅｌｌ）を介して下りリンクデータを受信する段階と、を有し、
前記端末にクロスキャリアスケジューリングが構成された場合、前記端末は、前記下りリンクデータを受信する最初の送信時間間隔（ＴＴＩ）として部分ＴＴＩでスケジューリングされると期待しないように構成され、
前記部分ＴＴＩは一つの正常ＴＴＩより小さい大きさに構成される、データ受信方法。
【請求項２】
前記部分ＴＴＩは、直交周波数分割多重（ＯＦＤＭ）シンボルの個数として定義される、請求項１に記載のデータ受信方法。
【請求項３】
前記下りリンクデータは所定個数のＴＴＩで構成された下りリンクバーストを介して送信される、請求項２に記載のデータ受信方法。
【請求項４】
前記ＰＣｅｌｌは、ライセンスバンド内で構成される、請求項３に記載のデータ受信方法。
【請求項５】
前記下りリンクバーストが前記部分ＴＴＩを有する場合、前記下りリンクデータは前記下りリンクバーストに有された１つ又は複数の正常ＴＴＩ及び最後の一部のシンボルが空のままで送信される部分ＴＴＩを介して送信される、請求項３に記載のデータ受信方法。
【請求項６】
前記制御情報はプレスケジューリング方式で送信され、
前記プレスケジューリング方式は、前記下りリンクデータの伝送より先に前記制御情報を送信する方式である、請求項３に記載のデータ受信方法。
【請求項７】
前記下りリンクデータが送信される開始時間は前記部分ＴＴＩの開始位置又は長さによって決定される、請求項３に記載のデータ受信方法。
【請求項８】
前記端末は、上位層信号によって前記下りリンクデータの開始シンボルが設定された場合にも、前記部分ＴＴＩが構成された場合、前記上位層信号によって設定された前記下りリンクデータの開始シンボルの位置を有効でないものと見なす、請求項７に記載のデータ受信方法。
【請求項９】
アンライセンスバンドをサポートする無線アクセスシステムにおいて前記アンライセンスバンドに構成されるセルを介してデータを受信する端末であって、
受信器と、
前記受信器と機能的に接続され、前記セルを介したデータ受信をサポートするプロセッサと、を有し、
前記プロセッサは、前記受信器を制御することにより、基地局から、
プライマリセル（ＰＣｅｌｌ）を介して制御情報を受信し、
前記制御情報に基づいて前記アンライセンスバンドに構成されるアンライセンスバンドセル（ＵＣｅｌｌ）を介して下りリンクデータを受信するように構成され、
前記プロセッサは、前記端末にクロスキャリアスケジューリングが構成された場合、前記下りリンクデータを受信する最初の送信時間間隔（ＴＴＩ）として部分ＴＴＩでスケジューリングされると期待しないように構成され、
前記部分ＴＴＩは一つの正常ＴＴＩより小さい大きさに構成される、端末。
【請求項１０】
前記部分ＴＴＩは、直交周波数分割多重（ＯＦＤＭ）シンボルの個数として定義される、請求項９に記載の端末。
【請求項１１】
前記下りリンクデータは所定個数のＴＴＩで構成された下りリンクバーストを介して送信される、請求項１０に記載の端末。
【請求項１２】
前記ＰＣｅｌｌは、ライセンスバンド内で構成される、請求項１１に記載の端末。
【請求項１３】
前記下りリンクバーストが前記部分ＴＴＩを有する場合、前記下りリンクデータは前記下りリンクバーストに有された１つ又は複数の正常ＴＴＩ及び最後の一部のシンボルが空のままで送信される部分ＴＴＩを介して送信される、請求項１１に記載の端末。
【請求項１４】
前記制御情報はプレスケジューリング方式で送信され、
前記プレスケジューリング方式は、前記下りリンクデータの伝送より先に前記制御情報を送信する方式である、請求項１１に記載の端末。
【請求項１５】
前記下りリンクデータが送信される開始時間は前記部分ＴＴＩの開始位置又は長さによって決定される、請求項１１に記載の端末。
【請求項１６】
前記プロセッサは、上位層信号によって前記下りリンクデータの開始シンボルが前記端末に対して設定された場合にも、前記部分ＴＴＩが構成された場合、前記上位層信号によって設定された前記下りリンクデータの開始シンボルの位置を有効でないものと見なす、請求項１５に記載の端末。